(57)【要約】本出願の実施形態は、ボイスサービスのネットワークハンドオーバ方法および装置を提供する。方法は、第１のネットワーク内のモビリティ管理ネットワーク要素によって、第１のネットワーク内のアクセスネットワークデバイスから第１の情報を受信することであって、第１の情報は、第１のネットワークから第２のネットワークへの端末デバイスのハンドオーバを示すのに使われる、ことと、第１のネットワーク内のモビリティ管理ネットワーク要素によって、第１の情報に基づいて、第３のネットワーク内のモビリティ管理ネットワーク要素へ第２の情報を送信することであって、第２の情報は、第３のネットワーク内のモビリティ管理ネットワーク要素に、第２のネットワーク内のモバイル交換ネットワーク要素へハンドオーバ要求を送信するよう命令するのに使われ、ハンドオーバ要求は、端末デバイスのボイスサービスを第２のネットワークにハンドオーバするのに使われる、こととを含む。第１のネットワークと第３のネットワークとの間の通信および第３のネットワークと第２のネットワークとの間の通信は、端末デバイスのボイスサービスが第２のネットワークにハンドオーバされることを可能にし、ボイスサービスの連続性を実装し、端末デバイスがボイスサービスを実装することができないという問題を解決する。
2021517790.tif 000002
【特許請求の範囲】
【請求項１】
ボイスサービスのネットワークハンドオーバ方法であって、
第１のネットワーク内のモビリティ管理ネットワーク要素によって、前記第１のネットワーク内のアクセスネットワークデバイスから第１の情報を受信するステップであって、前記第１の情報は、前記第１のネットワークから第２のネットワークへの端末デバイスのハンドオーバを示すのに使われる、ステップと、
前記第１のネットワーク内の前記モビリティ管理ネットワーク要素によって、前記第１の情報に基づいて、第３のネットワーク内のモビリティ管理ネットワーク要素へ第２の情報を送信するステップであって、前記第２の情報は、前記第３のネットワーク内の前記モビリティ管理ネットワーク要素に、前記第２のネットワーク内のモバイル交換ネットワーク要素へハンドオーバ要求を送信するよう命令するのに使われ、前記ハンドオーバ要求は、前記端末デバイスのボイスサービスを前記第２のネットワークにハンドオーバするのに使われる、ステップと
を含む方法。
【請求項２】
前記方法は、
前記第１のネットワーク内の前記モビリティ管理ネットワーク要素によって、前記第３のネットワーク内の前記モビリティ管理ネットワーク要素へ、前記端末デバイスについての情報を送信するステップであって、前記端末デバイスについての前記情報は、前記端末デバイスの階級値、前記端末デバイスによってサポートされるコーデックについての情報、および前記端末デバイスの前記ボイスサービスを前記第２のネットワークにハンドオーバするのに使われる加入情報のうちの１つまたは複数を含む、ステップをさらに含む請求項１に記載の方法。
【請求項３】
前記第１の情報は、前記第１のネットワークから前記第２のネットワークへのボイスハンドオーバの第１の識別子および／または前記第２のネットワークのターゲット識別子を含み、
前記第２の情報は、前記第１のネットワークから前記第２のネットワークへのボイスハンドオーバの第２の識別子および／または前記第２のネットワークの前記ターゲット識別子を含む請求項１または２に記載の方法。
【請求項４】
前記第１のネットワーク内の前記モビリティ管理ネットワーク要素によって、前記第１のネットワーク内のセッション管理ネットワーク要素から、前記端末デバイスの前記第３のネットワークのセッション情報を受信するステップであって、前記セッション情報は、前記第３のネットワークにおけるボイスサービスのセッション管理コンテキスト情報および／または前記第３のネットワークにおける非ボイスサービスのセッション管理コンテキスト情報を含む、ステップと、
前記第１のネットワーク内の前記モビリティ管理ネットワーク要素によって、前記第３のネットワーク内の前記モビリティ管理ネットワーク要素へ前記セッション情報を送信するステップと
をさらに含む請求項１乃至３のいずれか一項に記載の方法。
【請求項５】
前記第１のネットワーク内の前記モビリティ管理ネットワーク要素によって、前記第１のネットワーク内の前記セッション管理ネットワーク要素へ第３の情報を送信するステップであって、前記第３の情報は、前記第１のネットワークから前記第２のネットワークへの、前記端末デバイスのハンドオーバを示すのに使われる、ステップをさらに含み、
前記第３の情報は、前記第１のネットワークから前記第２のネットワークへのボイスハンドオーバの第３の識別子および／または前記第２のネットワークの前記ターゲット識別子を含む請求項１乃至４のいずれか一項に記載の方法。
【請求項６】
前記第１のネットワーク内の前記モビリティ管理ネットワーク要素によって、前記第１のネットワークから前記第２のネットワークへの、前記端末デバイスの非ボイスサービスのハンドオーバがサポートされると判定するステップをさらに含む請求項５に記載の方法。
【請求項７】
前記方法は、
前記第１のネットワーク内の前記モビリティ管理ネットワーク要素によって、前記第１のネットワークから前記第２のネットワークへの、前記端末デバイスの前記ハンドオーバが完了されたと判定した後、前記第１のネットワーク内の前記セッション管理ネットワーク要素へセッション消去要求を送信するステップであって、前記セッション消去要求は、前記第１のネットワーク内の前記セッション管理ネットワーク要素に、前記端末デバイスの前記第１のネットワーク内のセッション管理コンテキスト情報および／または前記端末デバイスの前記第３のネットワーク内のセッション管理コンテキスト情報を消去するよう要求するのに使われ、前記第３のネットワークの前記セッション管理コンテキスト情報は、前記第１のネットワークの前記セッション管理コンテキスト情報に基づいて生成される、ステップをさらに含む請求項１乃至６のいずれか一項に記載の方法。
【請求項８】
前記方法は、
前記第１のネットワーク内の前記モビリティ管理ネットワーク要素によって、前記第１のネットワーク内の前記セッション管理ネットワーク要素へ原因情報を送信するステップであって、前記原因情報は、前記端末デバイスの前記第１のネットワークにおける前記セッション管理コンテキスト情報および／または前記端末デバイスの前記第３のネットワークにおける前記セッション管理コンテキスト情報が消去された理由を示すのに使われる、ステップをさらに含む請求項７に記載の方法。
【請求項９】
前記原因情報は、
前記第１のネットワークから前記第２のネットワークへの、前記端末デバイスの前記ボイスサービスの前記ハンドオーバが完了されたことを示す情報を含む請求項８に記載の装置。
【請求項１０】
前記方法は、
前記第１のネットワーク内の前記モビリティ管理ネットワーク要素によって、前記第１のネットワーク内の前記セッション管理ネットワーク要素へ第４の情報を送信するステップであって、前記第４の情報は、前記第１のネットワークから前記第２のネットワークへの、前記端末デバイスの前記ハンドオーバが完了されたことを示すのに使われる、ステップをさらに含む請求項１乃至９のいずれか一項に記載の方法。
【請求項１１】
前記第１のネットワーク内の前記モビリティ管理ネットワーク要素によって、前記第１のネットワーク内の前記モビリティ管理ネットワーク要素と前記第３のネットワーク内の前記モビリティ管理ネットワーク要素との間に相互動作インタフェースが存在すると判定するステップをさらに含む請求項１乃至１０のいずれか一項に記載の方法。
【請求項１２】
ボイスサービスのネットワークハンドオーバ方法であって、
第３のネットワーク内のモビリティ管理ネットワーク要素によって、第１のネットワーク内のモビリティ管理ネットワーク要素から第２の情報を受信するステップであって、前記第２の情報は、前記第１のネットワークから第２のネットワークへの端末デバイスのハンドオーバを示すのに使われる、ステップと、
前記第３のネットワーク内の前記モビリティ管理ネットワーク要素によって、前記第２の情報に基づいて、前記第２のネットワーク内のモバイル交換ネットワーク要素へハンドオーバ要求を送信するステップであって、前記ハンドオーバ要求は、前記端末デバイスのボイスサービスを前記第２のネットワークにハンドオーバするのに使われる、ステップと
を含む方法。
【請求項１３】
前記第３のネットワーク内の前記モビリティ管理ネットワーク要素によって、前記第１のネットワーク内の前記モビリティ管理ネットワーク要素から、前記端末デバイスについての情報を受信するステップであって、前記端末デバイスについての前記情報は、前記端末デバイスの階級値、前記端末デバイスによってサポートされるコーデックについての情報、および前記端末デバイスの前記ボイスサービスを前記第２のネットワークにハンドオーバするのに使われる加入情報のうちの１つまたは複数を含む、ステップと、
前記第３のネットワーク内の前記モビリティ管理ネットワーク要素によって、前記第２のネットワーク内の前記モバイル交換ネットワーク要素へ前記端末デバイスについての前記情報を送信するステップと
をさらに含む請求項１２に記載の方法。
【請求項１４】
前記第３のネットワーク内の前記モビリティ管理ネットワーク要素によって、前記第２のネットワーク内の前記モバイル交換ネットワーク要素へネットワーク識別子情報を送信するステップであって、前記ネットワーク識別子情報は、前記端末デバイスが前記第１のネットワークからであることを示すのに使われる、ステップをさらに含む請求項１２または１３に記載の方法。
【請求項１５】
前記第３のネットワーク内の前記モビリティ管理ネットワーク要素によって、前記端末デバイスの前記ボイスサービスが終わった後の、前記第２のネットワークから前記第１のネットワークへの前記端末デバイスの復帰がサポートされると判定するステップをさらに含む請求項１４に記載の方法。
【請求項１６】
前記第２の情報は、前記第１のネットワークから前記第２のネットワークへのボイスハンドオーバの識別子および／または前記第２のネットワークのターゲット識別子を含む請求項１２乃至１５のいずれか一項に記載の方法。
【請求項１７】
前記第３のネットワーク内の前記モビリティ管理ネットワーク要素によって、前記端末デバイスの前記第３のネットワークにおける非ボイスサービスのセッション管理コンテキスト情報を、前記第１のネットワーク内の前記モビリティ管理ネットワーク要素から受信するステップと、
前記第３のネットワーク内の前記モビリティ管理ネットワーク要素によって、前記端末デバイスの前記第３のネットワークにおける前記非ボイスサービスの前記セッション管理コンテキスト情報に基づいて、前記第２のネットワークへの、前記端末デバイスの非ボイスサービスのハンドオーバをトリガするステップと
をさらに含む請求項１２乃至１６のいずれか一項に記載の方法。
【請求項１８】
ボイスサービスのネットワークハンドオーバ装置であって、
第１のネットワーク内のアクセスネットワークデバイスから第１の情報を受信するように構成された受信ユニットであって、前記第１の情報は、前記第１のネットワークから第２のネットワークへの端末デバイスのハンドオーバを示すのに使われる、受信ユニットと、
前記第１の情報に基づいて、第３のネットワーク内のモビリティ管理ネットワーク要素へ第２の情報を送信するように構成された送信ユニットであって、前記第２の情報は、前記第３のネットワーク内の前記モビリティ管理ネットワーク要素に、前記第２のネットワーク内のモバイル交換ネットワーク要素へハンドオーバ要求を送信するよう命令するのに使われ、前記ハンドオーバ要求は、前記端末デバイスのボイスサービスを前記第２のネットワークにハンドオーバするのに使われる、送信ユニットと
を備える装置。
【請求項１９】
前記送信ユニットは、前記第３のネットワーク内の前記モビリティ管理ネットワーク要素へ、前記端末デバイスについての情報を送信することであって、前記端末デバイスについての前記情報は、前記端末デバイスの階級値、前記端末デバイスによってサポートされるコーデックについての情報、および前記端末デバイスの前記ボイスサービスを前記第２のネットワークにハンドオーバするのに使われる加入情報のうちの１つまたは複数を含む、ことを行うようにさらに構成される請求項１８に記載の装置。
【請求項２０】
前記第１の情報は、前記第１のネットワークから前記第２のネットワークへのボイスハンドオーバの第１の識別子および／または前記第２のネットワークのターゲット識別子を含み、
前記第２の情報は、前記第１のネットワークから前記第２のネットワークへのボイスハンドオーバの第２の識別子および／または前記第２のネットワークの前記ターゲット識別子を含む請求項１８または１９に記載の装置。
【請求項２１】
前記送信ユニットは、前記第１のネットワーク内の前記セッション管理ネットワーク要素へ第３の情報を送信することであって、前記第３の情報は、前記第１のネットワークから前記第２のネットワークへの、前記端末デバイスのハンドオーバを示すのに使われる、ことを行うようにさらに構成され、
前記第３の情報は、前記第１のネットワークから前記第２のネットワークへのボイスハンドオーバの第３の識別子および／または前記第２のネットワークの前記ターゲット識別子を含む請求項１８乃至２０のいずれか一項に記載の装置。
【請求項２２】
前記送信ユニットを使うことによって、前記第１のネットワークから前記第２のネットワークへの前記端末デバイスの前記ハンドオーバが完了されたと判定した後、前記第１のネットワーク内の前記セッション管理ネットワーク要素へセッション消去要求を送信することであって、前記セッション消去要求は、前記第１のネットワーク内の前記セッション管理ネットワーク要素に、前記端末デバイスの前記第１のネットワーク内のセッション管理コンテキスト情報および／または前記端末デバイスの前記第３のネットワーク内のセッション管理コンテキスト情報を消去するよう要求するのに使われ、前記第３のネットワークの前記セッション管理コンテキスト情報は、前記第１のネットワークの前記セッション管理コンテキスト情報に基づいて生成される、ことを行うように構成された判定ユニットをさらに備える請求項１８乃至２１のいずれか一項に記載の装置。
【請求項２３】
前記送信ユニットは、前記第１のネットワーク内の前記セッション管理ネットワーク要素へ原因情報を送信することであって、前記原因情報は、前記端末デバイスの前記第１のネットワークにおける前記セッション管理コンテキスト情報および／または前記端末デバイスの前記第３のネットワークにおける前記セッション管理コンテキスト情報が消去された理由を示すのに使われる、ことを行うようにさらに構成される請求項２２に記載の装置。
【請求項２４】
前記原因情報は、
前記第１のネットワークから前記第２のネットワークへの、前記端末デバイスの前記ボイスサービスの前記ハンドオーバが完了されたことを示す情報を含む請求項２３に記載の装置。
【請求項２５】
前記送信ユニットは、前記第１のネットワーク内の前記セッション管理ネットワーク要素へ第４の情報を送信することであって、前記第４の情報は、前記第１のネットワークから前記第２のネットワークへの、前記端末デバイスの前記ハンドオーバが完了されたことを示すのに使われる、ことを行うようにさらに構成される請求項１８乃至２４のいずれか一項に記載の装置。
【請求項２６】
ボイスサービスのネットワークハンドオーバ装置であって、
第１のネットワーク内のモビリティ管理ネットワーク要素から第２の情報を受信するように構成された受信ユニットであって、前記第２の情報は、前記第１のネットワークから第２のネットワークへの端末デバイスのハンドオーバを示すのに使われる、受信ユニットと、
前記第２の情報に基づいて、前記第２のネットワーク内のモバイル交換ネットワーク要素へハンドオーバ要求を送信するように構成された送信ユニットであって、前記ハンドオーバ要求は、前記端末デバイスのボイスサービスを前記第２のネットワークにハンドオーバするのに使われる、送信ユニットと
を備える装置。
【請求項２７】
前記受信ユニットは、前記第１のネットワーク内の前記モビリティ管理ネットワーク要素から、前記端末デバイスについての情報を受信することであって、前記端末デバイスについての前記情報は、前記端末デバイスの階級値、前記端末デバイスによってサポートされるコーデックについての情報、および前記端末デバイスの前記ボイスサービスを前記第２のネットワークにハンドオーバするのに使われる加入情報のうちの１つまたは複数を含む、ことを行うようにさらに構成され、
前記送信ユニットは、前記第２のネットワーク内の前記モバイル交換ネットワーク要素へ前記端末デバイスについての前記情報を送信するようにさらに構成される請求項２６に記載の装置。
【請求項２８】
前記送信ユニットは、前記第２のネットワーク内の前記モバイル交換ネットワーク要素へネットワーク識別子情報を送信することであって、前記ネットワーク識別子情報は、前記端末デバイスが前記第１のネットワークからであることを示すのに使われる、ことを行うようにさらに構成される請求項２６または２７に記載の装置。
【請求項２９】
前記第２の情報は、前記第１のネットワークから前記第２のネットワークへのボイスハンドオーバの識別子および／または前記第２のネットワークのターゲット識別子を含む請求項２６乃至２８のいずれか一項に記載の装置。
【請求項３０】
コンピュータ命令を備えるコンピュータ記憶媒体であって、前記コンピュータ命令が端末デバイス上で稼働されたとき、前記端末デバイスは請求項１乃至１７のいずれか一項に記載のネットワークハンドオーバ方法を実施することを可能にされるコンピュータ記憶媒体。
【発明の詳細な説明】
【技術分野】
【０００１】
本出願の実施形態は、通信技術の分野に関し、詳細には、ボイスサービスのネットワークハンドオーバ方法および装置に関する。
【背景技術】
【０００２】
本出願は、参照によってその全体が本明細書に組み込まれている、２０１８年４月９日に中国特許庁に出願され、「ＮＥＴＷＯＲＫ  ＨＡＮＤＯＶＥＲ  ＭＥＴＨＯＤ  ＡＮＤ  ＡＰＰＡＲＡＴＵＳ  ＯＦ  ＶＯＩＣＥ  ＳＥＲＶＩＣＥ」と題する中国特許出願第２０１８１０３１２５９５．２号に対する優先権を主張する。
【０００３】
現在、第５世代（英語：ｆｉｆｔｈ−ｇｅｎｅｒａｔｉｏｎ、略して５Ｇ）ネットワークには、高周波信号の使用により、比較的小さいカバレージなどの問題がある。したがって、端末デバイスは、５Ｇネットワークでは連続ボイスサービスを実装することができない。例えば、ボイスサービスを使う端末デバイスが、５Ｇネットワークのボイスサービスのカバレージを出た後、ボイスサービスは遮断される。
【０００４】
従来技術では、端末デバイスが、５Ｇネットワークのボイスサービスのカバレージを出た後、端末デバイスのボイスサービスは、５Ｇネットワークから発展型パケットシステム（ｅｖｏｌｖｅｄ  ｐａｃｋｅｔ  ｓｙｓｔｅｍ、略してＥＰＳ）ネットワーク、すなわち、一般に知られている第４世代（英語：４ｔｈ  ｇｅｎｅｒａｔｉｏｎ、略して４Ｇ）ネットワークにハンドオーバされてよく、そうすることによって、端末デバイスのボイスサービスは連続性を保たれる。ただし、ＥＰＳネットワークの信号がないとき、ＥＰＳネットワークは比較的弱い信号を有するか、またはＥＰＳネットワークがボイスサービスをサポートせず、端末デバイスは依然として、ボイスサービスを実装することができない。
【発明の概要】
【０００５】
本出願の実施形態において解決されるべき技術的問題は、端末デバイスがボイスサービスを実装することができないという問題を解決するための、ボイスサービスのネットワークハンドオーバ方法を提供することである。
【０００６】
したがって、本発明の実施形態において、技術的問題を解決するのに使われる技術的解決策は、以下の通りである。
【０００７】
第１の態様によると、ボイスサービスのネットワークハンドオーバ方法が提供される。この方法は、
第１のネットワーク内のモビリティ管理ネットワーク要素（例えば、ＡＭＦネットワーク要素）によって、第１のネットワーク内のアクセスネットワークデバイス（例えば、ＮＧ−ＲＡＮデバイス）から第１の情報を受信することであって、第１の情報は、第１のネットワークから第２のネットワークへの端末デバイスのハンドオーバを示すのに使われる、受信することと、第１のネットワーク内のモビリティ管理ネットワーク要素によって、第１の情報に基づいて、第３のネットワーク内のモビリティ管理ネットワーク要素（例えば、ＭＭＥネットワーク要素）へ第２の情報を送信することであって、第２の情報は、第３のネットワーク内のモビリティ管理ネットワーク要素に、第２のネットワーク内のモバイル交換ネットワーク要素（例えば、ＭＳＣネットワーク要素）へハンドオーバ要求を送信するよう命令するのに使われ、ハンドオーバ要求は、端末デバイスのボイスサービスを第２のネットワークにハンドオーバするのに使われる、送信することとを含む。
【０００８】
第１の態様において提供される方法では、第１のネットワークと第３のネットワークとの間の通信および第３のネットワークと第２のネットワークとの間の通信は、端末デバイスのボイスサービスが第２のネットワークにハンドオーバされることを可能にし、ボイスサービスの連続性を実装し、端末デバイスが第１のネットワークにおいてボイスサービスを実装することができないという問題を解決する。
【０００９】
可能な設計では、第１の情報は、第１のネットワークから第２のネットワークへの、端末デバイスのボイスサービスのハンドオーバを示すのに使われる。この設計では、第１のネットワークから第２のネットワークへの、端末デバイスのボイスサービスのハンドオーバは、ボイスサービスの連続性を維持することである。
【００１０】
可能な設計では、第２のネットワークは、回線交換ボイスサービスをサポートする。
【００１１】
可能な設計では、方法は、第１のネットワーク内のモビリティ管理ネットワーク要素によって、第３のネットワーク内のモビリティ管理ネットワーク要素へ、端末デバイスについての情報を送信することであって、端末デバイスについての情報は、端末デバイスの階級値、端末デバイスによってサポートされるコーデックについての情報、および端末デバイスのボイスサービスを第２のネットワークにハンドオーバするのに使われる加入情報という情報のうちの１つまたは複数を含む、送信することをさらに含む。
【００１２】
可能な設計では、第１の情報は、第１のネットワークから第２のネットワークへのボイスハンドオーバの第１の識別子および／または第２のネットワークのターゲット識別子を含み、第２の情報は、第１のネットワークから第２のネットワークへのボイスハンドオーバの第２の識別子および／または第２のネットワークのターゲット識別子を含む。
【００１３】
可能な設計では、方法は、第１のネットワーク内のモビリティ管理ネットワーク要素によって、第１のネットワーク内のセッション管理ネットワーク要素から、端末デバイスの第３のネットワークのセッション情報を受信することであって、第３のネットワークのセッション情報は、第３のネットワークのボイスサービスのセッション管理コンテキスト情報および／または第３のネットワークの非ボイスサービスのセッション管理コンテキスト情報を含む、受信することと、第１のネットワーク内のモビリティ管理ネットワーク要素によって、第３のネットワーク内のモビリティ管理ネットワーク要素へ第３のネットワークのセッション情報を送信することとをさらに含む。
【００１４】
この設計では、第１のネットワーク内のモビリティ管理ネットワーク要素は、端末デバイスの第３のネットワークのボイスサービスのセッション管理コンテキスト情報および／または端末デバイスの第３のネットワークの非ボイスサービスのセッション管理コンテキスト情報を、第３のネットワーク内のモビリティ管理ネットワーク要素へ送信し、第３のネットワークのボイスサービスのセッション管理コンテキスト情報は、端末デバイスのボイスサービスのハンドオーバを示すのに使われ、そうすることによって、第３のネットワーク内のモビリティ管理ネットワーク要素は、第２の情報および第３のネットワークのボイスサービスのセッション管理コンテキスト情報に基づいて、端末デバイスのボイスサービスのハンドオーバを判定し、第３のネットワークの非ボイスサービスのセッション管理コンテキスト情報は、端末デバイスの非ボイスサービスのハンドオーバを示すのに使われる。
【００１５】
可能な設計では、方法は、
第１のネットワーク内のモビリティ管理ネットワーク要素によって、第１のネットワーク内のセッション管理ネットワーク要素へ第３の情報を送信することであって、第３の情報は、第１のネットワークから第２のネットワークへの、端末デバイスのハンドオーバを示すのに使われる、送信することをさらに含み、
第３の情報は、第１のネットワークから第２のネットワークへのボイスハンドオーバの第３の識別子および／または第２のネットワークのターゲット識別子を含む。
【００１６】
可能な設計では、方法は、
第１のネットワーク内のモビリティ管理ネットワーク要素によって、第１のネットワークから第２のネットワークへの、端末デバイスの非ボイスサービスのハンドオーバがサポートされると判定することをさらに含む。
【００１７】
可能な設計では、第１のネットワークから第２のネットワークへの、端末デバイスの非ボイスサービスのハンドオーバがサポートされることは、端末デバイス、第１のネットワーク内のデバイス、第２のネットワーク内のデバイス、および第３のネットワーク内のデバイスのうちの少なくとも１つまたは複数が、第１のネットワークから第２のネットワークへの、端末デバイスの非ボイスサービスのハンドオーバをサポートすることを含む。
【００１８】
可能な設計では、第１のネットワークから第２のネットワークへの、端末デバイスの非ボイスサービスのハンドオーバがサポートされることは、端末デバイスのボイスサービスを、第１のネットワークから第２のネットワークにハンドオーバする処理における、第１のネットワークから第２のネットワークへの非ボイスサービスのハンドオーバがサポートされることを含む。
【００１９】
可能な設計では、方法は、
第１のネットワーク内のモビリティ管理ネットワーク要素によって、第１のネットワークから第２のネットワークへの端末デバイスのハンドオーバが完了されたと判定した後、第１のネットワーク内のセッション管理ネットワーク要素へセッション消去要求を送信することであって、セッション消去要求は、第１のネットワーク内のセッション管理ネットワーク要素に、端末デバイスの第１のネットワークのセッション管理コンテキスト情報および／または端末デバイスの第３のネットワークのセッション管理コンテキスト情報を消去するよう要求するのに使われ、第３のネットワークのセッション管理コンテキスト情報は、第１のネットワークのセッション管理コンテキスト情報に基づいて生成される、送信することをさらに含む。
【００２０】
この設計では、第１のネットワーク内のセッション管理ネットワーク要素は、端末デバイスの第１のネットワークのセッション管理コンテキスト情報および／または端末デバイスの第３のネットワークのセッション管理コンテキスト情報を消去して、第１のネットワークのネットワークリソースの占有を解放するよう要求される。
【００２１】
可能な設計では、方法は、第１のネットワーク内のモビリティ管理ネットワーク要素によって、第１のネットワーク内のセッション管理ネットワーク要素へ原因情報を送信することであって、原因情報は、端末デバイスの第１のネットワークのセッション管理コンテキスト情報および／または端末デバイスの第３のネットワークのセッション管理コンテキスト情報が消去される理由を示すのに使われる、送信することをさらに含む。
【００２２】
可能な設計では、原因情報は、第１のネットワークから第２のネットワークへの、端末デバイスのボイスサービスのハンドオーバが完了されたことを示す情報を含む。
【００２３】
可能な設計では、方法は、第１のネットワーク内のモビリティ管理ネットワーク要素によって、第１のネットワーク内のセッション管理ネットワーク要素へ第４の情報を送信することであって、第４の情報は、第１のネットワークから第２のネットワークへの端末デバイスのハンドオーバが完了されたことを示すのに使われる、送信することをさらに含む。
【００２４】
この設計では、第４の情報は、第１のネットワーク内のセッション管理ネットワーク要素へ送信され、そうすることによって、第１のネットワーク内のセッション管理ネットワーク要素が、端末デバイスの第１のネットワークのセッション管理コンテキスト情報および／または端末デバイスの第３のネットワークのセッション管理コンテキスト情報を消去するようにトリガされて、第１のネットワークのネットワークリソースの占有を解放し得る。
【００２５】
この設計では、第４の情報は、第１のネットワーク内のセッション管理ネットワーク要素へ送信され、そうすることによって、第１のネットワーク内のセッション管理ネットワーク要素は、非ボイスサービスのセッション管理コンテキスト情報を中断するようにトリガされて、中断された非ボイスサービスが、端末デバイスが必要とするときに再開されることが可能であることを保証し、端末デバイスおよびネットワーク側が非ボイスサービスについてのセッション管理コンテキスト情報を確立し直すのを回避してよく、遅延を短縮し、オーバーヘッドを削減する。
【００２６】
可能な設計では、方法は、第１のネットワーク内のモビリティ管理ネットワーク要素によって、第１のネットワーク内のモビリティ管理ネットワーク要素と第３のネットワーク内のモビリティ管理ネットワーク要素との間に相互動作インタフェースが存在すると判定することをさらに含む。
【００２７】
可能な設計では、第１のネットワーク内のモビリティ管理ネットワーク要素は、第１の情報に基づいて、端末デバイスの第３のネットワークのセッション管理コンテキスト情報を、第１のネットワーク内のセッション管理ネットワーク要素から取得する動作をスキップする。
【００２８】
この設計では、第１のネットワーク内のモビリティ管理ネットワーク要素は、端末デバイスの第３のネットワークのセッション管理コンテキスト情報を取得する動作をスキップして、シグナリングオーバーヘッドを削減する。
【００２９】
可能な設計では、第１のネットワーク内のモビリティ管理ネットワーク要素によって、第１の情報に基づいて、端末デバイスの第３のネットワークのセッション管理コンテキスト情報を、第１のネットワーク内のセッション管理ネットワーク要素から取得する動作をスキップすることの前に、方法は、
第１のネットワーク内のモビリティ管理ネットワーク要素によって、第１のネットワークから第２のネットワークへの、端末デバイスの非ボイスサービスのハンドオーバがサポートされないと判定することをさらに含む。
【００３０】
可能な設計では、第１のネットワークから第２のネットワークへの、端末デバイスの非ボイスサービスのハンドオーバがサポートされないことは、端末デバイス、第１のネットワーク内のデバイス、第２のネットワーク内のデバイス、および第３のネットワーク内のデバイスのうちの少なくとも１つまたは複数が、第１のネットワークから第２のネットワークへの、端末デバイスの非ボイスサービスのハンドオーバをサポートしないことを含む。
【００３１】
可能な設計では、第１のネットワークから第２のネットワークへの、端末デバイスの非ボイスサービスのハンドオーバがサポートされないことは、端末デバイスのボイスサービスを、第１のネットワークから第２のネットワークにハンドオーバする処理における、第１のネットワークから第２のネットワークへの非ボイスサービスのハンドオーバがサポートされないことを含む。
【００３２】
第２の態様によると、ボイスサービスのネットワークハンドオーバ方法が提供される。この方法は、
第３のネットワーク内のモビリティ管理ネットワーク要素によって、第１のネットワーク内のモビリティ管理ネットワーク要素から第２の情報を受信することであって、第２の情報は、第１のネットワークから第２のネットワークへの端末デバイスのハンドオーバを示すのに使われる、受信することと、
第３のネットワーク内のモビリティ管理ネットワーク要素によって、第２の情報に基づいて、第２のネットワーク内のモバイル交換ネットワーク要素へハンドオーバ要求を送信することであって、ハンドオーバ要求は、端末デバイスのボイスサービスを第２のネットワークにハンドオーバするのに使われる、送信することと
を含む。
【００３３】
第２の態様において提供される方法では、第１のネットワークと第３のネットワークとの間の通信および第３のネットワークと第２のネットワークとの間の通信は、端末デバイスのボイスサービスが第２のネットワークにハンドオーバされることを可能にし、ボイスサービスの連続性を実装し、端末デバイスが第１のネットワークにおいてボイスサービスを実装することができないという問題を解決する。
【００３４】
可能な設計では、方法は、
第３のネットワーク内のモビリティ管理ネットワーク要素によって、第１のネットワーク内のモビリティ管理ネットワーク要素から、端末デバイスについての情報を受信することであって、端末デバイスについての情報は、端末デバイスの階級値、端末デバイスによってサポートされるコーデックについての情報、および端末デバイスのボイスサービスを第２のネットワークにハンドオーバするのに使われる加入情報という情報のうちの１つまたは複数を含む、受信することと、第３のネットワーク内のモビリティ管理ネットワーク要素によって、第２のネットワーク内のモバイル交換ネットワーク要素へ、端末デバイスについての情報を送信することとをさらに含む。
【００３５】
可能な設計では、方法は、
第３のネットワーク内のモビリティ管理ネットワーク要素によって、第２のネットワーク内のモバイル交換ネットワーク要素へネットワーク識別子情報を送信することであって、ネットワーク識別子情報は、端末デバイスが第１のネットワークからであることを示すのに使われる、送信することをさらに含む。
【００３６】
この設計では、第３のネットワーク内のモビリティ管理ネットワーク要素は、端末デバイスを第２のネットワークから第１のネットワークに復帰させるように、第２のネットワーク内のモバイル交換ネットワーク要素をトリガすることができ、そうすることによって、第１のネットワークは端末デバイスにサービスを提供して、ユーザエクスペリエンスを強化する。
【００３７】
可能な設計では、方法は、
第３のネットワーク内のモビリティ管理ネットワーク要素によって、第２のネットワークから第１のネットワークへの端末デバイスの復帰がサポートされると判定することをさらに含む。
【００３８】
可能な設計では、第２のネットワークから第１のネットワークへの端末デバイスの復帰がサポートされることは、端末デバイス、第１のネットワーク内のデバイス、第２のネットワーク内のデバイス、および第３のネットワーク内のデバイスのうちの少なくとも１つまたは複数が、第２のネットワークから第１のネットワークへの端末デバイスの復帰をサポートすることを含む。
【００３９】
可能な設計では、第２のネットワークから第１のネットワークへの端末デバイスの復帰がサポートされることは、第２のネットワークのボイスサービスが終わった後の、第２のネットワークから第１のネットワークへの端末デバイスの復帰がサポートされることがサポートされることを含む。
【００４０】
可能な設計では、第２の情報は、第１のネットワークから第２のネットワークへのボイスハンドオーバの識別子および／または第２のネットワークのターゲット識別子を含む。この設計では、第１のネットワークから第２のネットワークへの、端末デバイスのボイスサービスのハンドオーバは、ボイスサービスの連続性を維持することである。
【００４１】
可能な設計では、方法は、
第３のネットワーク内のモビリティ管理ネットワーク要素によって、端末デバイスの第３のネットワークの非ボイスサービスのセッション管理コンテキスト情報を、第１のネットワーク内のモビリティ管理ネットワーク要素から受信することと、
第３のネットワーク内のモビリティ管理ネットワーク要素によって、端末デバイスの第３のネットワークの非ボイスサービスのセッション管理コンテキスト情報に基づいて、第２のネットワークへの、端末デバイスの非ボイスサービスのハンドオーバをトリガすることと
をさらに含む。
【００４２】
この設計では、端末デバイスのボイスサービスが第２のネットワークにハンドオーバされると、端末デバイスの非ボイスサービスも、第２のネットワークにハンドオーバされることが可能である。したがって、第１のネットワークが端末デバイスにサービスを提供することができないとき、第２のネットワークが、端末デバイスにサービスし続けて、ユーザエクスペリエンスを向上する。
【００４３】
第３の態様によると、情報取得方法が提供される。この方法は、
第１のネットワーク内のセッション管理ネットワーク要素によって、第１のネットワーク内のモビリティ管理ネットワーク要素から第３の情報を受信することであって、第３の情報は、第１のネットワークから第２のネットワークへの端末デバイスのハンドオーバを示すのに使われる、受信することと、
第１のネットワーク内のセッション管理ネットワーク要素によって、第３の情報に基づいて、端末デバイスの第３のネットワークのセッション管理コンテキスト情報に対して分離動作を実施して、分離されたセッション管理コンテキスト情報を取得することであって、分離されたセッション管理コンテキスト情報は、分離の後で取得される、端末デバイスの第３のネットワークの非ボイスサービスのセッション管理コンテキスト情報および／または分離の後で取得される、端末デバイスの第３のネットワークのボイスサービスのセッション管理コンテキスト情報を含む、実施することと、
第１のネットワーク内のセッション管理ネットワーク要素によって、分離されたセッション管理コンテキスト情報を、第１のネットワーク内のモビリティ管理ネットワーク要素へ送信することと
を含む。
【００４４】
第３の態様による方法では、第１のネットワーク内のセッション管理ネットワーク要素は、第１のネットワーク内のモビリティ管理ネットワーク要素に、分離の後で取得される、端末デバイスの第３のネットワークの非ボイスサービスのセッション管理コンテキスト情報および／または分離の後で取得される、端末デバイスの第３のネットワークのボイスサービスのセッション管理コンテキスト情報を提供し、第３のネットワークのボイスサービスのセッション管理コンテキスト情報は、端末デバイスのボイスサービスのハンドオーバを示し、そうすることによって、第３のネットワーク内のモビリティ管理ネットワーク要素は、第２の情報および第３のネットワークのボイスサービスのセッション管理コンテキスト情報に基づいて、端末デバイスのボイスサービスのハンドオーバを判定し、第３のネットワークの非ボイスサービスのセッション管理コンテキスト情報は、端末デバイスの非ボイスサービスのハンドオーバを示すのに使われる。
【００４５】
可能な設計では、第３の情報は、第１のネットワークから第２のネットワークへの、端末デバイスのボイスサービスのハンドオーバを示すのに使われる。この設計では、第１のネットワークから第２のネットワークへの、端末デバイスのボイスサービスのハンドオーバは、ボイスサービスの連続性を維持することである。
【００４６】
可能な設計では、第１のネットワーク内のセッション管理ネットワーク要素が、端末デバイスの第３のネットワークの非ボイスサービスのセッション管理コンテキスト情報を、第１のネットワーク内のモビリティ管理ネットワーク要素へ送信する前に、方法は、第１のネットワーク内のセッション管理ネットワーク要素によって、第１のネットワークから第２のネットワークへの、端末デバイスの非ボイスサービスのハンドオーバがサポートされると判定することをさらに含む。
【００４７】
可能な設計では、第１のネットワークから第２のネットワークへの、端末デバイスの非ボイスサービスのハンドオーバがサポートされることは、端末デバイス、第１のネットワーク内のデバイス、第２のネットワーク内のデバイス、および第３のネットワーク内のデバイスのうちの少なくとも１つまたは複数が、第１のネットワークから第２のネットワークへの、端末デバイスの非ボイスサービスのハンドオーバをサポートすることを含む。
【００４８】
可能な設計では、第１のネットワークから第２のネットワークへの、端末デバイスの非ボイスサービスのハンドオーバがサポートされることは、端末デバイスのボイスサービスを、第１のネットワークから第２のネットワークにハンドオーバする処理における、第１のネットワークから第２のネットワークへの非ボイスサービスのハンドオーバがサポートされることを含む。
【００４９】
可能な設計では、第１のネットワーク内のセッション管理ネットワーク要素は、第３の情報に基づいて、端末デバイスの第３のネットワークの非ボイスサービスのセッション管理コンテキスト情報を中断する。
【００５０】
この設計では、第１のネットワーク内のセッション管理ネットワーク要素は、非ボイスサービスのセッション管理コンテキスト情報を中断して、中断された非ボイスサービスが、端末デバイスが必要とするときに再開されることが可能であることを保証し、端末デバイスおよびネットワーク側が非ボイスサービスについてのセッション管理コンテキスト情報を確立し直すのを回避してよく、遅延を短縮し、オーバーヘッドを削減する。
【００５１】
可能な設計では、第１のネットワーク内のセッション管理ネットワーク要素によって、端末デバイスの第３のネットワークの非ボイスサービスのセッション管理コンテキスト情報を中断することの前に、方法は、第１のネットワーク内のセッション管理ネットワーク要素によって、第１のネットワークから第２のネットワークへの、端末デバイスの非ボイスサービスのハンドオーバがサポートされないと判定するか、または第２のネットワークから第１のネットワークへの端末デバイスの復帰がサポートされると判定することをさらに含む。
【００５２】
可能な設計では、第１のネットワークから第２のネットワークへの、端末デバイスの非ボイスサービスのハンドオーバがサポートされないことは、端末デバイス、第１のネットワーク内のデバイス、第２のネットワーク内のデバイス、および第３のネットワーク内のデバイスのうちの少なくとも１つまたは複数が、第１のネットワークから第２のネットワークへの、端末デバイスの非ボイスサービスのハンドオーバをサポートしないことを含む。
【００５３】
可能な設計では、第１のネットワークから第２のネットワークへの、端末デバイスの非ボイスサービスのハンドオーバがサポートされないことは、端末デバイスのボイスサービスを、第１のネットワークから第２のネットワークにハンドオーバする処理における、第１のネットワークから第２のネットワークへの非ボイスサービスの同時ハンドオーバがサポートされないことを含む。
【００５４】
可能な設計では、第２のネットワークから第１のネットワークへの端末デバイスの復帰がサポートされることは、端末デバイス、第１のネットワーク内のデバイス、第２のネットワーク内のデバイス、および第３のネットワーク内のデバイスのうちの少なくとも１つまたは複数が、第２のネットワークから第１のネットワークへの端末デバイスの復帰をサポートすることを含む。
【００５５】
可能な設計では、第２のネットワークから第１のネットワークへの端末デバイスの復帰がサポートされることは、第２のネットワークのボイスサービスが終わった後の、第２のネットワークから第１のネットワークへの端末デバイスの復帰がサポートされることを含む。
【００５６】
第４の態様によると、情報取得方法が提供される。この方法は、
第１のネットワーク内のセッション管理ネットワーク要素によって、第１のネットワーク内のモビリティ管理ネットワーク要素から第３の情報を受信することであって、第３の情報は、第１のネットワークから第２のネットワークへの端末デバイスのハンドオーバを示すのに使われる、受信することと、
第３の情報に基づいて、第１のネットワーク内のセッション管理ネットワーク要素によって、端末デバイスの第３のネットワークのセッション管理コンテキスト情報を第１のネットワーク内のモビリティ管理ネットワーク要素へ送信する動作をスキップすることと
を含む。
【００５７】
第４の態様による方法では、第１のネットワーク内のセッション管理ネットワーク要素は、端末デバイスの第３のネットワークのセッション管理コンテキスト情報を第１のネットワーク内のモビリティ管理ネットワーク要素へ送信する動作をスキップして、信号オーバーヘッドを削減する。
【００５８】
可能な設計では、第３の情報は、第１のネットワークから第２のネットワークへの、端末デバイスのボイスサービスのハンドオーバを示すのに使われる。この設計では、第１のネットワークから第２のネットワークへの、端末デバイスのボイスサービスのハンドオーバは、ボイスサービスの連続性を維持することである。
【００５９】
可能な設計では、第３の情報に基づいて、第１のネットワーク内のセッション管理ネットワーク要素によって、端末デバイスの第３のネットワークのセッション管理コンテキスト情報を第１のネットワーク内のモビリティ管理ネットワーク要素へ送信する動作をスキップすることの前に、方法は、第１のネットワーク内のセッション管理ネットワーク要素によって、第１のネットワークから第２のネットワークへの、端末デバイスの非ボイスサービスのハンドオーバがサポートされないと判定することをさらに含む。
【００６０】
可能な設計では、第１のネットワークから第２のネットワークへの、端末デバイスの非ボイスサービスのハンドオーバがサポートされないことは、端末デバイス、第１のネットワーク内のデバイス、第２のネットワーク内のデバイス、および第３のネットワーク内のデバイスのうちの少なくとも１つまたは複数が、第１のネットワークから第２のネットワークへの、端末デバイスの非ボイスサービスのハンドオーバをサポートしないことを含む。
【００６１】
可能な設計では、第１のネットワークから第２のネットワークへの、端末デバイスの非ボイスサービスのハンドオーバがサポートされないことは、端末デバイスのボイスサービスを、第１のネットワークから第２のネットワークにハンドオーバする処理における、第１のネットワークから第２のネットワークへの非ボイスサービスの同時ハンドオーバがサポートされないことを含む。
【００６２】
第５の態様によると、情報中断方法が提供される。この方法は、
第１のネットワーク内のセッション管理ネットワーク要素によって、第１のネットワーク内のモビリティ管理ネットワーク要素から第３の情報を受信することであって、第３の情報は、第１のネットワークから第２のネットワークへの端末デバイスのハンドオーバを示すのに使われる、受信することと、
第１のネットワーク内のセッション管理ネットワーク要素によって、第３の情報に基づいて、端末デバイスの第１のネットワークの非ボイスサービスのセッション管理コンテキスト情報および／または端末デバイスの第３のネットワークの非ボイスサービスのセッション管理コンテキスト情報を中断することと
を含む。
【００６３】
第５の態様による方法では、第１のネットワーク内のセッション管理ネットワーク要素は、非ボイスサービスのセッション管理コンテキスト情報を中断して、中断された非ボイスサービスが、端末デバイスが必要とするときに再開されることが可能であることを保証し、端末デバイスおよびネットワーク側が非ボイスサービスについてのセッション管理コンテキスト情報を確立し直すのを回避してよく、遅延を短縮し、オーバーヘッドを削減する。
【００６４】
可能な設計では、第３の情報は、第１のネットワークから第２のネットワークへの、端末デバイスのボイスサービスのハンドオーバを示すのに使われる。この設計では、第１のネットワークから第２のネットワークへの、端末デバイスのボイスサービスのハンドオーバは、ボイスサービスの連続性を維持することである。
【００６５】
可能な設計では、第１のネットワーク内のセッション管理ネットワーク要素によって、端末デバイスの第１のネットワークの非ボイスサービスのセッション管理コンテキスト情報および／または端末デバイスの第３のネットワークの非ボイスサービスのセッション管理コンテキスト情報を中断することの前に、方法は、第１のネットワーク内のセッション管理ネットワーク要素によって、第１のネットワークから第２のネットワークへの、端末デバイスの非ボイスサービスのハンドオーバがサポートされないと判定するか、または第２のネットワークから第１のネットワークへの端末デバイスの復帰がサポートされると判定することをさらに含む。
【００６６】
可能な設計では、第１のネットワークから第２のネットワークへの、端末デバイスの非ボイスサービスのハンドオーバがサポートされないことは、端末デバイス、第１のネットワーク内のデバイス、第２のネットワーク内のデバイス、および第３のネットワーク内のデバイスのうちの少なくとも１つまたは複数が、第１のネットワークから第２のネットワークへの、端末デバイスの非ボイスサービスのハンドオーバをサポートしないことを含む。
【００６７】
可能な設計では、第１のネットワークから第２のネットワークへの、端末デバイスの非ボイスサービスのハンドオーバがサポートされないことは、端末デバイスのボイスサービスを、第１のネットワークから第２のネットワークにハンドオーバする処理における、第１のネットワークから第２のネットワークへの非ボイスサービスの同時ハンドオーバがサポートされないことを含む。
【００６８】
可能な設計では、第２のネットワークから第１のネットワークへの端末デバイスの復帰がサポートされることは、端末デバイス、第１のネットワーク内のデバイス、第２のネットワーク内のデバイス、および第３のネットワーク内のデバイスのうちの少なくとも１つまたは複数が、第２のネットワークから第１のネットワークへの端末デバイスの復帰をサポートすることを含む。
【００６９】
可能な設計では、第２のネットワークから第１のネットワークへの端末デバイスの復帰がサポートされることは、第２のネットワークのボイスサービスが終わった後の、第２のネットワークから第１のネットワークへの端末デバイスの復帰がサポートされることがサポートされることを含む。
【００７０】
第６の態様によると、情報中断方法が提供される。この方法は、
第１のネットワーク内のセッション管理ネットワーク要素によって、第１のネットワーク内のモビリティ管理ネットワーク要素から第４の情報を受信することであって、第４の情報は、第１のネットワークから第２のネットワークへの端末デバイスのハンドオーバが完了されたことを示すのに使われる、受信することと、
第１のネットワーク内のセッション管理ネットワーク要素によって、第４の情報に基づいて、端末デバイスの第１のネットワークの非ボイスサービスのセッション管理コンテキスト情報および／または端末デバイスの第３のネットワークの非ボイスサービスのセッション管理コンテキスト情報を中断することと
を含む。
【００７１】
第６の態様による方法では、第１のネットワーク内のセッション管理ネットワーク要素は、非ボイスサービスのセッション管理コンテキスト情報を中断して、中断された非ボイスサービスが、端末デバイスが必要とするときに再開されることが可能であることを保証し、端末デバイスおよびネットワーク側が非ボイスサービスについてのセッション管理コンテキスト情報を確立し直すのを回避してよく、遅延を短縮し、オーバーヘッドを削減する。
【００７２】
可能な設計では、第４の情報は、第１のネットワークから第２のネットワークへの、端末デバイスのボイスサービスのハンドオーバが完了されたことを示すのに使われる。この設計では、第１のネットワークから第２のネットワークへの、端末デバイスのボイスサービスのハンドオーバは、ボイスサービスの連続性を維持することである。
【００７３】
可能な設計では、第１のネットワーク内のセッション管理ネットワーク要素によって、端末デバイスの第１のネットワークの非ボイスサービスのセッション管理コンテキスト情報および／または端末デバイスの第３のネットワークの非ボイスサービスのセッション管理コンテキスト情報を中断することの前に、方法は、第１のネットワーク内のセッション管理ネットワーク要素によって、第１のネットワークから第２のネットワークへの、端末デバイスの非ボイスサービスのハンドオーバがサポートされないと判定するか、または第２のネットワークから第１のネットワークへの端末デバイスの復帰がサポートされると判定することをさらに含む。
【００７４】
可能な設計では、第１のネットワークから第２のネットワークへの、端末デバイスの非ボイスサービスのハンドオーバがサポートされないことは、端末デバイス、第１のネットワーク内のデバイス、第２のネットワーク内のデバイス、および第３のネットワーク内のデバイスのうちの少なくとも１つまたは複数が、第１のネットワークから第２のネットワークへの、端末デバイスの非ボイスサービスのハンドオーバをサポートしないことを含む。
【００７５】
可能な設計では、第１のネットワークから第２のネットワークへの、端末デバイスの非ボイスサービスのハンドオーバがサポートされないことは、端末デバイスのボイスサービスを、第１のネットワークから第２のネットワークにハンドオーバする処理における、第１のネットワークから第２のネットワークへの非ボイスサービスの同時ハンドオーバがサポートされないことを含む。
【００７６】
可能な設計では、第２のネットワークから第１のネットワークへの端末デバイスの復帰がサポートされることは、端末デバイス、第１のネットワーク内のデバイス、第２のネットワーク内のデバイス、および第３のネットワーク内のデバイスのうちの少なくとも１つまたは複数が、第２のネットワークから第１のネットワークへの端末デバイスの復帰をサポートすることを含む。
【００７７】
可能な設計では、第２のネットワークから第１のネットワークへの端末デバイスの復帰がサポートされることは、第２のネットワークのボイスサービスが終わった後の、第２のネットワークから第１のネットワークへの端末デバイスの復帰がサポートされることがサポートされることを含む。
【００７８】
第７の態様によると、情報消去方法が提供される。この方法は、
第１のネットワーク内のセッション管理ネットワーク要素によって、第１のネットワーク内のモビリティ管理ネットワーク要素から第４の情報を受信することであって、第４の情報は、第１のネットワークから第２のネットワークへの端末デバイスのハンドオーバが完了されたことを示すのに使われる、受信することと、
第１のネットワーク内のセッション管理ネットワーク要素によって、第４の情報に基づいて、端末デバイスの第１のネットワークのセッション管理コンテキスト情報および／または端末デバイスの第３のネットワークのセッション管理コンテキスト情報を消去することと
を含む。
【００７９】
第７の態様による方法では、第１のネットワーク内のセッション管理ネットワーク要素は、ハンドオーバが完了された後、端末デバイスの第１のネットワークのセッション管理コンテキスト情報および／または端末デバイスの第３のネットワークのセッション管理コンテキスト情報を消去して、第１のネットワークのネットワークリソースの占有を解放する。
【００８０】
可能な設計では、第４の情報は、第１のネットワークから第２のネットワークへの、端末デバイスのボイスサービスのハンドオーバが完了されたことを示すのに使われる。この設計では、第１のネットワークから第２のネットワークへの、端末デバイスのボイスサービスのハンドオーバは、ボイスサービスの連続性を維持することである。
【００８１】
可能な設計では、第１のネットワーク内のセッション管理ネットワーク要素によって、端末デバイスの第１のネットワークのセッション管理コンテキスト情報を消去することは、第１のネットワーク内のセッション管理ネットワーク要素によって、端末デバイスの第１のネットワークのボイスサービスのセッション管理コンテキスト情報および／または端末デバイスの第１のネットワークの非ボイスサービスのセッション管理コンテキスト情報を消去することを含み、
第１のネットワーク内のセッション管理ネットワーク要素によって、端末デバイスの第３のネットワークのセッション管理コンテキスト情報を消去することは、第１のネットワーク内のセッション管理ネットワーク要素によって、端末デバイスの第３のネットワークのボイスサービスのセッション管理コンテキスト情報および／または端末デバイスの第３のネットワークの非ボイスサービスのセッション管理コンテキスト情報を消去することを含む。
【００８２】
可能な設計では、第１のネットワーク内のセッション管理ネットワーク要素によって、端末デバイスの第１のネットワークの非ボイスサービスのセッション管理コンテキスト情報を消去することの前に、方法は、第１のネットワーク内のセッション管理ネットワーク要素によって、第１のネットワークから第２のネットワークへの、端末デバイスの非ボイスサービスのハンドオーバがサポートされないと判定するか、または第２のネットワークから第１のネットワークへの端末デバイスの復帰がサポートされないと判定することをさらに含む。
【００８３】
可能な設計では、第１のネットワークから第２のネットワークへの、端末デバイスの非ボイスサービスのハンドオーバがサポートされないことは、端末デバイス、第１のネットワーク内のデバイス、第２のネットワーク内のデバイス、および第３のネットワーク内のデバイスのうちの少なくとも１つまたは複数が、第１のネットワークから第２のネットワークへの、端末デバイスの非ボイスサービスのハンドオーバをサポートしないことを含む。
【００８４】
可能な設計では、第１のネットワークから第２のネットワークへの、端末デバイスの非ボイスサービスのハンドオーバがサポートされないことは、端末デバイスのボイスサービスを、第１のネットワークから第２のネットワークにハンドオーバする処理における、第１のネットワークから第２のネットワークへの非ボイスサービスの同時ハンドオーバがサポートされないことを含む。
【００８５】
可能な設計では、第２のネットワークから第１のネットワークへの端末デバイスの復帰がサポートされないことがサポートされないことは、端末デバイス、第１のネットワーク内のデバイス、第２のネットワーク内のデバイス、および第３のネットワーク内のデバイスのうちの少なくとも１つまたは複数が、第２のネットワークから第１のネットワークへの端末デバイスの復帰をサポートしないことを含む。
【００８６】
可能な設計では、第２のネットワークから第１のネットワークへの端末デバイスの復帰がサポートされないことがサポートされないことは、第２のネットワークのボイスサービスが終わった後の、第２のネットワークから第１のネットワークへの端末デバイスの復帰がサポートされることがサポートされないことを含む。
【００８７】
第８の態様によると、ネットワーク復帰方法が提供される。この方法は、
第２のネットワーク内のモバイル交換ネットワーク要素によって、第３のネットワーク内のモビリティ管理ネットワーク要素からネットワーク識別子情報を受信することであって、ネットワーク識別子情報は、端末デバイスが第１のネットワークからであることを示すのに使われる、受信することと、
ネットワーク識別子情報に基づいて、第２のネットワーク内のモバイル交換ネットワーク要素によって、第２のネットワーク内の基地局コントローラをトリガして、端末デバイスを第２のネットワークから第１のネットワークに復帰させることと
を含む。
【００８８】
第８の態様による方法では、第２のネットワーク内のモバイル交換ネットワーク要素は、端末デバイスを第２のネットワークから第１のネットワークに復帰させ、そうすることによって、第１のネットワークは、端末デバイスにサービスを提供して、ユーザエクスペリエンスを強化する。
【００８９】
可能な設計では、第２のネットワーク内のモバイル交換ネットワーク要素は、端末デバイスの無線リソースを解放するとき、ネットワーク識別子情報に基づいて、第２のネットワーク内の基地局コントローラをトリガして、端末デバイスを第２のネットワークから第１のネットワークに復帰させる。
【００９０】
可能な設計では、ネットワーク識別子情報に基づいて、第２のネットワーク内のモバイル交換ネットワーク要素によって、第２のネットワーク内の基地局コントローラをトリガして、端末デバイスを第２のネットワークから第１のネットワークに復帰させることは、第２のネットワーク内のモバイル交換ネットワーク要素によって、第２のネットワーク内の基地局コントローラへネットワーク識別子情報を送信することを含む。
【００９１】
可能な設計では、第２のネットワーク内のモバイル交換ネットワーク要素によって、第２のネットワーク内の基地局コントローラへネットワーク識別子情報を送信することは、第２のネットワーク内のモバイル交換ネットワーク要素によって、ハンドオーバ要求メッセージ、シグナリング接続確立応答、または無線リソース解放要求を第２のネットワーク内の基地局コントローラへ送信するとき、第２のネットワーク内の基地局コントローラへネットワーク識別子情報を送信することを含む。
【００９２】
可能な設計では、第２のネットワーク内のモバイル交換ネットワーク要素は、第２のネットワークから第１のネットワークへの端末デバイスの復帰がサポートされると判定する。
【００９３】
可能な設計では、第２のネットワークから第１のネットワークへの端末デバイスの復帰がサポートされることは、端末デバイス、第１のネットワーク内のデバイス、第２のネットワーク内のデバイス、および第３のネットワーク内のデバイスのうちの少なくとも１つまたは複数が、第２のネットワークから第１のネットワークへの端末デバイスの復帰をサポートすることを含む。
【００９４】
可能な設計では、第２のネットワークから第１のネットワークへの端末デバイスの復帰がサポートされることは、第２のネットワークのボイスサービスが終わった後の、第２のネットワークから第１のネットワークへの端末デバイスの復帰がサポートされることを含む。
【００９５】
第９の態様によると、ボイスサービスのネットワークハンドオーバ装置が提供される。この装置は、
第１のネットワーク内のアクセスネットワークデバイスから第１の情報を受信するように構成された受信ユニットであって、第１の情報は、第１のネットワークから第２のネットワークへの端末デバイスのハンドオーバを示すのに使われる、受信ユニットと、
第１の情報に基づいて、第３のネットワーク内のモビリティ管理ネットワーク要素へ第２の情報を送信するように構成された送信ユニットであって、第２の情報は、第３のネットワーク内のモビリティ管理ネットワーク要素に、第２のネットワーク内のモバイル交換ネットワーク要素へハンドオーバ要求を送信するよう命令するのに使われ、ハンドオーバ要求は、端末デバイスのボイスサービスを第２のネットワークにハンドオーバするのに使われる、送信ユニットと
を含む。
【００９６】
第９の態様において提供される装置では、第１のネットワークと第３のネットワークとの間の通信および第３のネットワークと第２のネットワークとの間の通信は、端末デバイスのボイスサービスが第２のネットワークにハンドオーバされることを可能にし、ボイスサービスの連続性を実装し、端末デバイスが第１のネットワークにおいてボイスサービスを実装することができないという問題を解決する。
【００９７】
可能な設計では、第１の情報は、第１のネットワークから第２のネットワークへの、端末デバイスのボイスサービスのハンドオーバを示すのに使われる。この設計では、第１のネットワークから第２のネットワークへの、端末デバイスのボイスサービスのハンドオーバは、ボイスサービスの連続性を維持することである。
【００９８】
可能な設計では、第２のネットワークは、回線交換ボイスサービスをサポートする。
【００９９】
可能な設計では、送信ユニットは、第３のネットワーク内のモビリティ管理ネットワーク要素へ、端末デバイスについての情報を送信するようにさらに構成され、端末デバイスについての情報は、端末デバイスの階級値、端末デバイスによってサポートされるコーデックについての情報、および端末デバイスのボイスサービスを第２のネットワークにハンドオーバするのに使われる加入情報という情報のうちの１つまたは複数を含む。
【０１００】
可能な設計では、第１の情報は、第１のネットワークから第２のネットワークへのボイスハンドオーバの第１の識別子および／または第２のネットワークのターゲット識別子を含み、
第２の情報は、第１のネットワークから第２のネットワークへのボイスハンドオーバの第２の識別子および／または第２のネットワークのターゲット識別子を含む。
【０１０１】
可能な設計では、受信ユニットは、第１のネットワーク内のセッション管理ネットワーク要素から、端末デバイスの第３のネットワークのセッション管理コンテキスト情報を受信するようにさらに構成され、第３のネットワークのセッション管理コンテキスト情報は、第３のネットワークのボイスサービスのセッション管理コンテキスト情報または端末デバイスの第３のネットワークの非ボイスサービスのセッション管理コンテキスト情報を含み、
送信ユニットは、端末デバイスの第３のネットワークのセッション管理コンテキスト情報を、第３のネットワーク内のモビリティ管理ネットワーク要素へ送信するようにさらに構成される。
【０１０２】
この設計では、端末デバイスの第３のネットワークのボイスサービスのセッション管理コンテキスト情報および／または端末デバイスの第３のネットワークの非ボイスサービスのセッション管理コンテキスト情報は、第３のネットワーク内のモビリティ管理ネットワーク要素へ送信され、第３のネットワークのボイスサービスのセッション管理コンテキスト情報は、端末デバイスのボイスサービスのハンドオーバを示すのに使われ、そうすることによって、第３のネットワーク内のモビリティ管理ネットワーク要素は、第２の情報および第３のネットワークのボイスサービスのセッション管理コンテキスト情報に基づいて、端末デバイスのボイスサービスのハンドオーバを判定し、第３のネットワークの非ボイスサービスのセッション管理コンテキスト情報は、端末デバイスの非ボイスサービスのハンドオーバを示すのに使われる。
【０１０３】
可能な設計では、送信ユニットは、第１のネットワーク内のセッション管理ネットワーク要素へ第３の情報を送信するようにさらに構成され、第３の情報は、第１のネットワークから第２のネットワークへの端末デバイスのハンドオーバを示すのに使われ、第３の情報は、第１のネットワークから第２のネットワークへのボイスハンドオーバの第３の識別子および／または第２のネットワークのターゲット識別子を含む。
【０１０４】
可能な設計では、装置は、第１のネットワークから第２のネットワークへの、端末デバイスの非ボイスサービスのハンドオーバがサポートされると判定するように構成された第１の判定ユニットをさらに含む。
【０１０５】
可能な設計では、第１のネットワークから第２のネットワークへの、端末デバイスの非ボイスサービスのハンドオーバがサポートされることは、端末デバイス、第１のネットワーク内のデバイス、第２のネットワーク内のデバイス、および第３のネットワーク内のデバイスのうちの少なくとも１つまたは複数が、第１のネットワークから第２のネットワークへの、端末デバイスの非ボイスサービスのハンドオーバをサポートすることを含む。
【０１０６】
可能な設計では、第１のネットワークから第２のネットワークへの、端末デバイスの非ボイスサービスのハンドオーバがサポートされることは、端末デバイスのボイスサービスを、第１のネットワークから第２のネットワークにハンドオーバする処理における、第１のネットワークから第２のネットワークへの非ボイスサービスのハンドオーバがサポートされることを含む。
【０１０７】
可能な設計では、装置は、第１のネットワークから第２のネットワークへの端末デバイスのハンドオーバが完了されたと判定した後、送信ユニットを使うことによって、第１のネットワーク内のセッション管理ネットワーク要素へ、セッション消去要求を送信するように構成された第２の判定ユニットをさらに含み、セッション消去要求は、第１のネットワーク内のセッション管理ネットワーク要素に、端末デバイスの第１のネットワークのセッション管理コンテキスト情報および／または端末デバイスの第３のネットワークのセッション管理コンテキスト情報を消去するよう要求するのに使われ、第３のネットワークのセッション管理コンテキスト情報は、第１のネットワークのセッション管理コンテキスト情報に基づいて生成される。
【０１０８】
この設計では、第１のネットワーク内のセッション管理ネットワーク要素は、端末デバイスの第１のネットワークのセッション管理コンテキスト情報および／または端末デバイスの第３のネットワークのセッション管理コンテキスト情報を消去して、第１のネットワークのネットワークリソースの占有を解放するよう要求される。
【０１０９】
可能な設計では、送信ユニットは、第１のネットワーク内のセッション管理ネットワーク要素へ原因情報を送信するようにさらに構成され、原因情報は、端末デバイスの第１のネットワークのセッション管理コンテキスト情報および／または端末デバイスの第３のネットワークのセッション管理コンテキスト情報が消去される理由を示すのに使われる。
【０１１０】
可能な設計では、原因情報は、第１のネットワークから第２のネットワークへの、端末デバイスのボイスサービスのハンドオーバが完了されたことを示す情報を含む。
【０１１１】
可能な設計では、送信ユニットは、第１のネットワーク内のセッション管理ネットワーク要素へ第４の情報を送信するようにさらに構成され、第４の情報は、第１のネットワークから第２のネットワークへの端末デバイスのハンドオーバが完了されたことを示すのに使われる。
【０１１２】
この設計では、第４の情報は、第１のネットワーク内のセッション管理ネットワーク要素へ送信され、そうすることによって、第１のネットワーク内のセッション管理ネットワーク要素が、端末デバイスの第１のネットワークのセッション管理コンテキスト情報および／または端末デバイスの第３のネットワークのセッション管理コンテキスト情報を消去するようにトリガされて、第１のネットワークのネットワークリソースの占有を解放し得る。
【０１１３】
この設計では、第４の情報は、第１のネットワーク内のセッション管理ネットワーク要素へ送信され、そうすることによって、第１のネットワーク内のセッション管理ネットワーク要素は、非ボイスサービスのセッション管理コンテキスト情報を中断するようにトリガされて、中断された非ボイスサービスが、端末デバイスが必要とするときに再開されることが可能であることを保証し、端末デバイスおよびネットワーク側が非ボイスサービスについてのセッション管理コンテキスト情報を確立し直すのを回避してよく、遅延を短縮し、オーバーヘッドを削減する。
【０１１４】
可能な設計では、装置は、第１のネットワーク内のモビリティ管理ネットワーク要素と第３のネットワーク内のモビリティ管理ネットワーク要素との間に相互動作インタフェースが存在すると判定するように構成された第３の判定ユニットをさらに含む。
【０１１５】
可能な設計では、装置は、第１の情報に基づいて、端末デバイスの第３のネットワークのセッション管理コンテキスト情報を、第１のネットワーク内のセッション管理ネットワーク要素から取得する動作をスキップするように構成されたスキップユニットをさらに含む。
【０１１６】
この設計では、端末デバイスの第３のネットワークのセッション管理コンテキスト情報を取得する動作がスキップされて、シグナリングオーバーヘッドを削減する。
【０１１７】
可能な設計では、装置は、第１のネットワークから第２のネットワークへの、端末デバイスの非ボイスサービスのハンドオーバがサポートされないと判定するように構成された第４の判定ユニットをさらに含む。
【０１１８】
可能な設計では、第１のネットワークから第２のネットワークへの、端末デバイスの非ボイスサービスのハンドオーバがサポートされないことは、端末デバイス、第１のネットワーク内のデバイス、第２のネットワーク内のデバイス、および第３のネットワーク内のデバイスのうちの少なくとも１つまたは複数が、第１のネットワークから第２のネットワークへの、端末デバイスの非ボイスサービスのハンドオーバをサポートしないことを含む。
【０１１９】
可能な設計では、第１のネットワークから第２のネットワークへの、端末デバイスの非ボイスサービスのハンドオーバがサポートされないことは、端末デバイスのボイスサービスを、第１のネットワークから第２のネットワークにハンドオーバする処理における、第１のネットワークから第２のネットワークへの非ボイスサービスのハンドオーバがサポートされないことを含む。
【０１２０】
第１０の態様によると、ボイスサービスのネットワークハンドオーバ装置が提供される。この装置は、
第１のネットワーク内のモビリティ管理ネットワーク要素から第２の情報を受信するように構成された受信ユニットであって、第２の情報は、第１のネットワークから第２のネットワークへの端末デバイスのハンドオーバを示すのに使われる、受信ユニットと、
第２の情報に基づいて、第２のネットワーク内のモバイル交換ネットワーク要素へハンドオーバ要求を送信するように構成された送信ユニットであって、ハンドオーバ要求は、端末デバイスのボイスサービスを第２のネットワークにハンドオーバするのに使われる、送信ユニットと
を含む。
【０１２１】
第１０の態様において提供される装置では、第１のネットワークと第３のネットワークとの間の通信および第３のネットワークと第２のネットワークとの間の通信は、端末デバイスのボイスサービスが第２のネットワークにハンドオーバされることを可能にし、ボイスサービスの連続性を実装し、端末デバイスが第１のネットワークにおいてボイスサービスを実装することができないという問題を解決する。
【０１２２】
可能な設計では、受信ユニットは、第１のネットワーク内のモビリティ管理ネットワーク要素から、端末デバイスについての情報を受信するようにさらに構成され、端末デバイスについての情報は、端末デバイスの階級値、端末デバイスによってサポートされるコーデックについての情報、および端末デバイスのボイスサービスを第２のネットワークにハンドオーバするのに使われる加入情報という情報のうちの１つまたは複数を含み、送信ユニットは、端末デバイスについての情報を送信するようにさらに構成される。
【０１２３】
可能な設計では、送信ユニットは、第２のネットワーク内のモバイル交換ネットワーク要素へネットワーク識別子情報を送信するようにさらに構成され、ネットワーク識別子情報は、端末デバイスが第１のネットワークからであることを示すのに使われる。
【０１２４】
この設計では、第２のネットワーク内のモバイル交換ネットワーク要素がトリガされて、端末デバイスを第２のネットワークから第１のネットワークに復帰させることが可能であり、そうすることによって、第１のネットワークは、端末デバイスにサービスを提供して、ユーザエクスペリエンスを強化する。
【０１２５】
可能な設計では、装置は、第２のネットワークから第１のネットワークへの端末デバイスの復帰がサポートされると判定するように構成された判定ユニットをさらに含む。
【０１２６】
可能な設計では、第２のネットワークから第１のネットワークへの端末デバイスの復帰がサポートされることは、端末デバイス、第１のネットワーク内のデバイス、第２のネットワーク内のデバイス、および第３のネットワーク内のデバイスのうちの少なくとも１つまたは複数が、第２のネットワークから第１のネットワークへの端末デバイスの復帰をサポートすることを含む。
【０１２７】
可能な設計では、第２のネットワークから第１のネットワークへの端末デバイスの復帰がサポートされることは、第２のネットワークのボイスサービスが終わった後の、第２のネットワークから第１のネットワークへの端末デバイスの復帰がサポートされることを含む。
【０１２８】
可能な設計では、第２の情報は、第１のネットワークから第２のネットワークへのボイスハンドオーバの識別子および／または第２のネットワークのターゲット識別子を含む。この設計では、第１のネットワークから第２のネットワークへの、端末デバイスのボイスサービスのハンドオーバは、ボイスサービスの連続性を維持することである。
【０１２９】
可能な設計では、装置は、トリガリングユニットをさらに含み、
受信ユニットは、第１のネットワーク内のモビリティ管理ネットワーク要素から、端末デバイスの第３のネットワークの非ボイスサービスのセッション管理コンテキスト情報を受信するようにさらに構成され、トリガリングユニットは、端末デバイスの第３のネットワークの非ボイスサービスのセッション管理コンテキスト情報に基づいて、第２のネットワークへの、端末デバイスの非ボイスサービスのハンドオーバをトリガするように構成される。
【０１３０】
この設計では、端末デバイスのボイスサービスが第２のネットワークにハンドオーバされると、端末デバイスの非ボイスサービスも、第２のネットワークにハンドオーバされることが可能である。したがって、第１のネットワークが端末デバイスにサービスを提供することができないとき、第２のネットワークが、端末デバイスにサービスし続けて、ユーザエクスペリエンスを向上する。
【０１３１】
第１１の態様によると、情報取得装置が提供される。この装置は、
第１のネットワーク内のモビリティ管理ネットワーク要素から第３の情報を受信するように構成された受信ユニットであって、第３の情報は、第１のネットワークから第２のネットワークへの端末デバイスのハンドオーバを示すのに使われる、受信ユニットと、
第３の情報に基づいて、端末デバイスの第３のネットワークのセッション管理コンテキスト情報に対して分離動作を実施して、分離されたセッション管理コンテキスト情報を取得するように構成された分離ユニットであって、分離されたセッション管理コンテキスト情報は、端末デバイスの第３のネットワークの非ボイスサービスのセッション管理コンテキスト情報および／または分離の後で取得される、端末デバイスの第３のネットワークのボイスサービスのセッション管理コンテキスト情報を含む、分離ユニットと、
分離されたセッション管理コンテキスト情報を、第１のネットワーク内のモビリティ管理ネットワーク要素へ送信するように構成された送信ユニットと
を含む。
【０１３２】
第１１の態様による装置では、分離の後で取得される、端末デバイスの第３のネットワークの非ボイスサービスのセッション管理コンテキスト情報および／または分離の後で取得される、端末デバイスの第３のネットワークのボイスサービスのセッション管理コンテキスト情報は、第１のネットワーク内のモビリティ管理ネットワーク要素に提供され、第３のネットワークのボイスサービスのセッション管理コンテキスト情報は、端末デバイスのボイスサービスのハンドオーバを示し、そうすることによって、第３のネットワーク内のモビリティ管理ネットワーク要素は、第２の情報および第３のネットワークのボイスサービスのセッション管理コンテキスト情報に基づいて、端末デバイスのボイスサービスのハンドオーバを判定し、第３のネットワークの非ボイスサービスのセッション管理コンテキスト情報は、端末デバイスの非ボイスサービスのハンドオーバを示すのに使われる。
【０１３３】
可能な設計では、第３の情報は、第１のネットワークから第２のネットワークへの、端末デバイスのボイスサービスのハンドオーバを示すのに使われる。この設計では、第１のネットワークから第２のネットワークへの、端末デバイスのボイスサービスのハンドオーバは、ボイスサービスの連続性を維持することである。
【０１３４】
可能な設計では、装置は、第１のネットワークから第２のネットワークへの、端末デバイスの非ボイスサービスのハンドオーバがサポートされると判定するように構成された第１の判定ユニットをさらに含む。
【０１３５】
可能な設計では、第１のネットワークから第２のネットワークへの、端末デバイスの非ボイスサービスのハンドオーバがサポートされることは、端末デバイス、第１のネットワーク内のデバイス、第２のネットワーク内のデバイス、および第３のネットワーク内のデバイスのうちの少なくとも１つまたは複数が、第１のネットワークから第２のネットワークへの、端末デバイスの非ボイスサービスのハンドオーバをサポートすることを含む。
【０１３６】
可能な設計では、第１のネットワークから第２のネットワークへの、端末デバイスの非ボイスサービスのハンドオーバがサポートされることは、端末デバイスのボイスサービスを、第１のネットワークから第２のネットワークにハンドオーバする処理における、第１のネットワークから第２のネットワークへの非ボイスサービスのハンドオーバがサポートされることを含む。
【０１３７】
可能な設計では、装置は、第３の情報に基づいて、端末デバイスの第３のネットワークの非ボイスサービスのセッション管理コンテキスト情報を中断するように構成された中断ユニットをさらに含む。
【０１３８】
この設計では、非ボイスサービスのセッション管理コンテキスト情報が中断されて、端末デバイスが必要とするときに、中断された非ボイスサービスが再開されることが可能であることを保証し、端末デバイスおよびネットワーク側が非ボイスサービスについてのセッション管理コンテキスト情報を確立し直すのを回避して、遅延を短縮し、オーバーヘッドを削減する。
【０１３９】
可能な設計では、装置は、第１のネットワークから第２のネットワークへの、端末デバイスの非ボイスサービスのハンドオーバがサポートされないと判定するか、または第２のネットワークから第１のネットワークへの端末デバイスの復帰がサポートされると判定するように構成された第２の判定ユニットをさらに含む。
【０１４０】
可能な設計では、第１のネットワークから第２のネットワークへの、端末デバイスの非ボイスサービスのハンドオーバがサポートされないことは、端末デバイス、第１のネットワーク内のデバイス、第２のネットワーク内のデバイス、および第３のネットワーク内のデバイスのうちの少なくとも１つまたは複数が、第１のネットワークから第２のネットワークへの、端末デバイスの非ボイスサービスのハンドオーバをサポートしないことを含む。
【０１４１】
可能な設計では、第１のネットワークから第２のネットワークへの、端末デバイスの非ボイスサービスのハンドオーバがサポートされないことは、端末デバイスのボイスサービスを、第１のネットワークから第２のネットワークにハンドオーバする処理における、第１のネットワークから第２のネットワークへの非ボイスサービスの同時ハンドオーバがサポートされないことを含む。
【０１４２】
可能な設計では、第２のネットワークから第１のネットワークへの端末デバイスの復帰がサポートされることは、端末デバイス、第１のネットワーク内のデバイス、第２のネットワーク内のデバイス、および第３のネットワーク内のデバイスのうちの少なくとも１つまたは複数が、第２のネットワークから第１のネットワークへの端末デバイスの復帰をサポートすることを含む。
【０１４３】
可能な設計では、第２のネットワークから第１のネットワークへの端末デバイスの復帰がサポートされることは、第２のネットワークのボイスサービスが終わった後の、第２のネットワークから第１のネットワークへの端末デバイスの復帰がサポートされることを含む。
【０１４４】
第１２の態様によると、情報処理装置が提供される。この装置は、
第１のネットワーク内のモビリティ管理ネットワーク要素から第３の情報を受信するように構成された受信ユニットであって、第３の情報は、第１のネットワークから第２のネットワークへの端末デバイスのハンドオーバを示すのに使われる、受信ユニットと、
第３の情報に基づいて、端末デバイスの第３のネットワークのセッション管理コンテキスト情報を第１のネットワーク内のモビリティ管理ネットワーク要素へ送信する動作をスキップするように構成されたスキップユニットと
を含む。
【０１４５】
第１２の態様による装置では、端末デバイスの第３のネットワークのセッション管理コンテキスト情報を第１のネットワーク内のモビリティ管理ネットワーク要素へ送信する動作がスキップされて、信号オーバーヘッドを削減する。
【０１４６】
可能な設計では、第３の情報は、第１のネットワークから第２のネットワークへの、端末デバイスのボイスサービスのハンドオーバを示すのに使われる。この設計では、第１のネットワークから第２のネットワークへの、端末デバイスのボイスサービスのハンドオーバは、ボイスサービスの連続性を維持することである。
【０１４７】
可能な設計では、装置は、第１のネットワークから第２のネットワークへの、端末デバイスの非ボイスサービスのハンドオーバがサポートされないと判定するように構成された判定ユニットをさらに含む。
【０１４８】
可能な設計では、第１のネットワークから第２のネットワークへの、端末デバイスの非ボイスサービスのハンドオーバがサポートされないことは、端末デバイス、第１のネットワーク内のデバイス、第２のネットワーク内のデバイス、および第３のネットワーク内のデバイスのうちの少なくとも１つまたは複数が、第１のネットワークから第２のネットワークへの、端末デバイスの非ボイスサービスのハンドオーバをサポートしないことを含む。
【０１４９】
可能な設計では、第１のネットワークから第２のネットワークへの、端末デバイスの非ボイスサービスのハンドオーバがサポートされないことは、端末デバイスのボイスサービスを、第１のネットワークから第２のネットワークにハンドオーバする処理における、第１のネットワークから第２のネットワークへの非ボイスサービスの同時ハンドオーバがサポートされないことを含む。
【０１５０】
第１３の態様によると、情報中断装置が提供される。この装置は、
第１のネットワーク内のモビリティ管理ネットワーク要素から第３の情報を受信するように構成された受信ユニットであって、第３の情報は、第１のネットワークから第２のネットワークへの端末デバイスのハンドオーバを示すのに使われる、受信ユニットと、
端末デバイスの第１のネットワークの非ボイスサービスのセッション管理コンテキスト情報および／または端末デバイスの第３のネットワークの非ボイスサービスのセッション管理コンテキスト情報を、第３の情報に基づいて中断するように構成された中断ユニットと
を含む。
【０１５１】
第１３の態様による装置では、非ボイスサービスのセッション管理コンテキスト情報が中断されて、端末デバイスが必要とするときに、中断された非ボイスサービスが再開されることが可能であることを保証し、端末デバイスおよびネットワーク側が非ボイスサービスについてのセッション管理コンテキスト情報を確立し直すのを回避して、遅延を短縮し、オーバーヘッドを削減する。
【０１５２】
可能な設計では、第３の情報は、第１のネットワークから第２のネットワークへの、端末デバイスのボイスサービスのハンドオーバを示すのに使われる。この設計では、第１のネットワークから第２のネットワークへの、端末デバイスのボイスサービスのハンドオーバは、ボイスサービスの連続性を維持することである。
【０１５３】
可能な設計では、装置は、第１のネットワークから第２のネットワークへの、端末デバイスの非ボイスサービスのハンドオーバがサポートされないと判定するか、または第２のネットワークから第１のネットワークへの端末デバイスの復帰がサポートされると判定するように構成された判定ユニットをさらに含む。
【０１５４】
可能な設計では、第１のネットワークから第２のネットワークへの、端末デバイスの非ボイスサービスのハンドオーバがサポートされないことは、端末デバイス、第１のネットワーク内のデバイス、第２のネットワーク内のデバイス、および第３のネットワーク内のデバイスのうちの少なくとも１つまたは複数が、第１のネットワークから第２のネットワークへの、端末デバイスの非ボイスサービスのハンドオーバをサポートしないことを含む。
【０１５５】
可能な設計では、第１のネットワークから第２のネットワークへの、端末デバイスの非ボイスサービスのハンドオーバがサポートされないことは、端末デバイスのボイスサービスを、第１のネットワークから第２のネットワークにハンドオーバする処理における、第１のネットワークから第２のネットワークへの非ボイスサービスの同時ハンドオーバがサポートされないことを含む。
【０１５６】
可能な設計では、第２のネットワークから第１のネットワークへの端末デバイスの復帰がサポートされることは、端末デバイス、第１のネットワーク内のデバイス、第２のネットワーク内のデバイス、および第３のネットワーク内のデバイスのうちの少なくとも１つまたは複数が、第２のネットワークから第１のネットワークへの端末デバイスの復帰をサポートすることを含む。
【０１５７】
可能な設計では、第２のネットワークから第１のネットワークへの端末デバイスの復帰がサポートされることは、第２のネットワークのボイスサービスが終わった後の、第２のネットワークから第１のネットワークへの端末デバイスの復帰がサポートされることを含む。
【０１５８】
第１４の態様によると、情報中断装置が提供される。この装置は、
第１のネットワーク内のモビリティ管理ネットワーク要素から第４の情報を受信するように構成された受信ユニットであって、第４の情報は、第１のネットワークから第２のネットワークへの端末デバイスのハンドオーバが完了されたことを示すのに使われる、受信ユニットと、
端末デバイスの第１のネットワークの非ボイスサービスのセッション管理コンテキスト情報および／または端末デバイスの第３のネットワークの非ボイスサービスのセッション管理コンテキスト情報を、第４の情報に基づいて中断するように構成された中断ユニットと
を含む。
【０１５９】
第１４の態様による装置では、非ボイスサービスのセッション管理コンテキスト情報が中断されて、端末デバイスが必要とするときに、中断された非ボイスサービスが再開されることが可能であることを保証し、端末デバイスおよびネットワーク側が非ボイスサービスについてのセッション管理コンテキスト情報を確立し直すのを回避して、遅延を短縮し、オーバーヘッドを削減する。
【０１６０】
可能な設計では、第４の情報は、第１のネットワークから第２のネットワークへの、端末デバイスのボイスサービスのハンドオーバが完了されたことを示すのに使われる。この設計では、第１のネットワークから第２のネットワークへの、端末デバイスのボイスサービスのハンドオーバは、ボイスサービスの連続性を維持することである。
【０１６１】
可能な設計では、装置は、第１のネットワークから第２のネットワークへの、端末デバイスの非ボイスサービスのハンドオーバがサポートされないと判定するか、または第２のネットワークから第１のネットワークへの端末デバイスの復帰がサポートされると判定するように構成された判定ユニットをさらに含む。
【０１６２】
可能な設計では、第１のネットワークから第２のネットワークへの、端末デバイスの非ボイスサービスのハンドオーバがサポートされないことは、端末デバイス、第１のネットワーク内のデバイス、第２のネットワーク内のデバイス、および第３のネットワーク内のデバイスのうちの少なくとも１つまたは複数が、第１のネットワークから第２のネットワークへの、端末デバイスの非ボイスサービスのハンドオーバをサポートしないことを含む。
【０１６３】
可能な設計では、第１のネットワークから第２のネットワークへの、端末デバイスの非ボイスサービスのハンドオーバがサポートされないことは、端末デバイスのボイスサービスを、第１のネットワークから第２のネットワークにハンドオーバする処理における、第１のネットワークから第２のネットワークへの非ボイスサービスの同時ハンドオーバがサポートされないことを含む。
【０１６４】
可能な設計では、第２のネットワークから第１のネットワークへの端末デバイスの復帰がサポートされることは、端末デバイス、第１のネットワーク内のデバイス、第２のネットワーク内のデバイス、および第３のネットワーク内のデバイスのうちの少なくとも１つまたは複数が、第２のネットワークから第１のネットワークへの端末デバイスの復帰をサポートすることを含む。
【０１６５】
可能な設計では、第２のネットワークから第１のネットワークへの端末デバイスの復帰がサポートされることは、第２のネットワークのボイスサービスが終わった後の、第２のネットワークから第１のネットワークへの端末デバイスの復帰がサポートされることを含む。
【０１６６】
第１５の態様によると、情報消去装置が提供される。この装置は、
第１のネットワーク内のモビリティ管理ネットワーク要素から第４の情報を受信するように構成された受信ユニットであって、第４の情報は、第１のネットワークから第２のネットワークへの端末デバイスのハンドオーバが完了されたことを示すのに使われる、受信ユニットと、
端末デバイスの第１のネットワークのセッション管理コンテキスト情報および／または端末デバイスの第３のネットワークのセッション管理コンテキスト情報を、第４の情報に基づいて消去するように構成された消去ユニットと
を含む。
【０１６７】
第１５の態様による装置では、端末デバイスの第１のネットワークのセッション管理コンテキスト情報および／または端末デバイスの第３のネットワークのセッション管理コンテキスト情報は、ハンドオーバが完了された後で消去されて、第１のネットワークのネットワークリソースの占有を解放する。
【０１６８】
可能な設計では、第４の情報は、第１のネットワークから第２のネットワークへの、端末デバイスのボイスサービスのハンドオーバが完了されたことを示すのに使われる。この設計では、第１のネットワークから第２のネットワークへの、端末デバイスのボイスサービスのハンドオーバは、ボイスサービスの連続性を維持することである。
【０１６９】
可能な設計では、消去ユニットは、第１の消去ユニットおよび／または第２の消去ユニットを含み、
第１の消去ユニットは、端末デバイスの第１のネットワークのボイスサービスのセッション管理コンテキスト情報および／または端末デバイスの第１のネットワークの非ボイスサービスのセッション管理コンテキスト情報を消去するように構成され、
第２の消去ユニットは、端末デバイスの第３のネットワークのボイスサービスのセッション管理コンテキスト情報および／または端末デバイスの第３のネットワークの非ボイスサービスのセッション管理コンテキスト情報を消去するように構成される。
【０１７０】
可能な設計では、装置は、第１のネットワークから第２のネットワークへの、端末デバイスの非ボイスサービスのハンドオーバをサポートすることがサポートされないと判定するか、または第２のネットワークから第１のネットワークへの端末デバイスの復帰がサポートされないと判定するように構成された判定ユニットをさらに含む。
【０１７１】
可能な設計では、第１のネットワークから第２のネットワークへの、端末デバイスの非ボイスサービスのハンドオーバがサポートされないことは、端末デバイス、第１のネットワーク内のデバイス、第２のネットワーク内のデバイス、および第３のネットワーク内のデバイスのうちの少なくとも１つまたは複数が、第１のネットワークから第２のネットワークへの、端末デバイスの非ボイスサービスのハンドオーバをサポートしないことを含む。
【０１７２】
可能な設計では、第１のネットワークから第２のネットワークへの、端末デバイスの非ボイスサービスのハンドオーバがサポートされないことは、端末デバイスのボイスサービスを、第１のネットワークから第２のネットワークにハンドオーバする処理における、第１のネットワークから第２のネットワークへの非ボイスサービスの同時ハンドオーバがサポートされないことを含む。
【０１７３】
可能な設計では、第２のネットワークから第１のネットワークへの端末デバイスの復帰がサポートされないことは、端末デバイス、第１のネットワーク内のデバイス、第２のネットワーク内のデバイス、および第３のネットワーク内のデバイスのうちの少なくとも１つまたは複数が、第２のネットワークから第１のネットワークへの端末デバイスの復帰をサポートしないことを含む。
【０１７４】
可能な設計では、第２のネットワークから第１のネットワークへの端末デバイスの復帰がサポートされないことは、第２のネットワークのボイスサービスが終わった後の、第２のネットワークから第１のネットワークへの端末デバイスの復帰をスキップすることがサポートされることを含む。
【０１７５】
第１６の態様によると、ネットワーク復帰装置が提供される。この装置は、
第３のネットワーク内のモビリティ管理ネットワーク要素からネットワーク識別子情報を受信するように構成された受信ユニットであって、ネットワーク識別子情報は、端末デバイスが第１のネットワークからであることを示すのに使われる、受信ユニットと、
ネットワーク識別子情報に基づいて、第２のネットワーク内の基地局コントローラをトリガして、端末デバイスを第２のネットワークから第１のネットワークに復帰させるように構成されたトリガリングユニットと
を含む。
【０１７６】
第１６の態様による装置では、端末デバイスは、第２のネットワークから第１のネットワークに復帰され、そうすることによって、第１のネットワークは端末デバイスにサービスを提供して、ユーザエクスペリエンスを強化する。
【０１７７】
可能な設計では、トリガリングユニットは、ネットワーク識別子情報に基づいて、第２のネットワーク内の基地局コントローラをトリガして、端末デバイスの無線リソースを解放するときに端末デバイスを第２のネットワークから第１のネットワークに復帰させるように特に構成される。
【０１７８】
可能な設計では、トリガリングユニットは、
第２のネットワーク内の基地局コントローラへネットワーク識別子情報を送信するように構成された送信ユニットを含む。
【０１７９】
可能な設計では、送信ユニットは、ハンドオーバ要求メッセージ、シグナリング接続確立応答、または無線リソース解放要求を第２のネットワーク内の基地局コントローラへ送信するとき、第２のネットワーク内の基地局コントローラへネットワーク識別子情報を送信するように特に構成される。
【０１８０】
可能な設計では、装置は、第２のネットワークから第１のネットワークへの端末デバイスの復帰がサポートされると判定するように構成された判定ユニットをさらに含む。
【０１８１】
可能な設計では、第２のネットワークから第１のネットワークへの端末デバイスの復帰がサポートされることは、端末デバイス、第１のネットワーク内のデバイス、第２のネットワーク内のデバイス、および第３のネットワーク内のデバイスのうちの少なくとも１つまたは複数が、第２のネットワークから第１のネットワークへの端末デバイスの復帰をサポートすることを含む。
【０１８２】
可能な設計では、第２のネットワークから第１のネットワークへの端末デバイスの復帰がサポートされることは、第２のネットワークのボイスサービスが終わった後の、第２のネットワークから第１のネットワークへの端末デバイスの復帰がサポートされることを含む。
【０１８３】
第１７の態様によると、コンピュータ可読記憶媒体が提供される。コンピュータ可読記憶媒体は命令を含み、命令がコンピュータ上で稼働されたとき、コンピュータは、第１の態様、第２の態様、第３の態様、第４の態様、第５の態様、第６の態様、第７の態様、および第８の態様において提供されるいずれかの方法を実施することを可能にされる。
【０１８４】
第１８の態様によると、命令を含むコンピュータプログラム製品が提供される。コンピュータプログラム製品がコンピュータ上で稼働されたとき、コンピュータは、第１の態様、第２の態様、第３の態様、第４の態様、第５の態様、第６の態様、第７の態様、および第８の態様において提供されるいずれかの方法を実施することを可能にされる。
【図面の簡単な説明】
【０１８５】
本出願の実施形態における技術的解決策をより明瞭に説明するために、以下では、実施形態を説明するために必要とされる添付の図面について簡潔に説明する。以下の説明における添付の図面は、本出願のいくつかの実施形態のみを示し、当業者は、これらの添付の図面から、創意工夫なしに他の図面をさらに導出してよいことが、明らかである。
【０１８６】
【図１】通信システムの概略構造図である。
【図２】本出願による、ボイスサービスのネットワークハンドオーバ方法の実施形態の概略フローチャートである。
【図３】本出願による、ボイスサービスのネットワークハンドオーバ方法の実施形態の概略フローチャートである。
【図４】本出願による、ボイスサービスの別のネットワークハンドオーバ方法の実施形態の概略フローチャートである。
【図５】本出願による別のネットワーク復帰方法の実施形態の概略フローチャートである。
【図６】別の通信システムの概略構造図である。
【図７】本出願による、ボイスサービスの別のネットワークハンドオーバ方法の実施形態の概略フローチャートである。
【図８】本出願による、ボイスサービスのネットワークハンドオーバ装置の実施形態の概略構造図である。
【図９】本出願による、ボイスサービスのネットワークハンドオーバ装置の実施形態の概略構造図である。
【図１０】本出願による情報取得装置の実施形態の概略構造図である。
【図１１】本出願による情報処理装置の実施形態の概略構造図である。
【図１２】本出願による情報中断装置の実施形態の概略構造図である。
【図１３】本出願による情報中断装置の実施形態の概略構造図である。
【図１４】本出願による情報消去装置の実施形態の概略構造図である。
【図１５】本出願によるネットワーク復帰装置の実施形態の概略構造図である。
【図１６】本出願によるネットワークデバイスの概略構造図である。
【発明を実施するための形態】
【０１８７】
本出願の実施形態における方法および装置を説明しやすいように、本出願の実施形態が適用されるワイヤレス通信システムが、図１を参照して例を使うことによって、最初に記載される。図１は、説明のための例であることが留意されるべきである。どのネットワーク要素も、ワイヤレス通信技術の開発に従って、１つまたは複数の他のネットワーク要素で置き換えられてよく、どのネットワーク要素も、１つまたは複数の物理エンティティ上で展開されてよい。このことは、本出願の実施形態において制限されない。
【０１８８】
本出願の実施形態において提供される方法は、ワイヤレス通信システムに適用され得る。ワイヤレス通信システムは、第１のネットワーク、第２のネットワーク、および第３のネットワークを含む。第１のネットワーク、第２のネットワーク、および第３のネットワークは、２Ｇネットワーク、３Ｇネットワーク、ＥＰＳネットワーク（すなわち、一般に知られている４Ｇネットワーク）、５Ｇネットワーク、および将来のワイヤレス通信ネットワークというネットワークにおける、どの３つの異なるネットワークであってもよい。２Ｇネットワークは、モバイル通信用グローバルシステム（英語：ｇｌｏｂａｌ  ｓｙｓｔｅｍ  ｏｆ  ｍｏｂｉｌｅ  ｃｏｍｍｕｎｉｃａｔｉｏｎ、略してＧＳＭ）ネットワーク、符号分割多元接続（英語：ｃｏｄｅ  ｄｉｖｉｓｉｏｎ  ｍｕｌｔｉｐｌｅ  ａｃｃｅｓｓ、略してＣＤＭＡ）ネットワーク、または汎用パケット無線サービス（英語：ｇｅｎｅｒａｌ  ｐａｃｋｅｔ  ｒａｄｉｏ  ｓｅｒｖｉｃｅ、略してＧＰＲＳ）ネットワークを含んでよく、３Ｇネットワークは、ＣＤＭＡ２０００ネットワーク、広帯域符号分割多元接続（英語：ｗｉｄｅｂａｎｄ  ｃｏｄｅ  ｄｉｖｉｓｉｏｎ  ｍｕｌｔｉｐｌｅ  ａｃｃｅｓｓ  ｗｉｒｅｌｅｓｓ、略してＷＣＤＭＡ）ネットワーク、時分割同期符号分割多元接続（英語：Ｔｉｍｅ  Ｄｉｖｉｓｉｏｎ−Ｓｙｎｃｈｒｏｎｏｕｓ  Ｃｏｄｅ  Ｄｉｖｉｓｉｏｎ  Ｍｕｌｔｉｐｌｅ  Ａｃｃｅｓｓ、略してＴＤ−ＳＣＤＭＡ）ネットワーク、またはユニバーサルモバイル電気通信システム（英語：ｕｎｉｖｅｒｓａｌ  ｍｏｂｉｌｅ  ｔｅｌｅｃｏｍｍｕｎｉｃａｔｉｏｎｓ  ｓｙｓｔｅｍ、略してＵＭＴＳ）ネットワークを含んでよい。例えば、図１は、第１のネットワークが５Ｇネットワークであり、第２のネットワークが、回線交換（ｃｉｒｃｕｉｔ  ｓｗｉｔｃｈｉｎｇ、略してＣＳ）ボイスサービスをサポートするネットワーク、例えば、２Ｇネットワーク／３Ｇネットワークであり、第３のネットワークがＥＰＳネットワークである例を使うことによって記載される。
【０１８９】
本出願の説明では、「／」は、別段に規定されていない限り、「または」を意味する。例えば、Ａ／Ｂは、ＡまたはＢを表し得る。本出願では、「および／または」は、関連付けられる事物を記述するための関連付け関係のみを記述し、３つの関係が存在し得ることを表す。例えば、Ａおよび／またはＢは、３つのケース、すなわち、Ａのみが存在する、ＡとＢの両方が存在する、およびＢのみが存在することを表し得る。さらに、本出願の説明では、「複数の」は、２つか、または２つより多いことを意味する。
【０１９０】
図１に示されるように、５Ｇネットワークは、（無線）アクセスネットワーク（英語：（ｒａｄｉｏ）ａｃｃｅｓｓ  ｎｅｔｗｏｒｋ、略して（Ｒ）ＡＮ）デバイス、アクセスおよびモビリティ管理機能（英語：Ａｃｃｅｓｓ  ａｎｄ  ｍｏｂｉｌｉｔｙ  ｍａｎａｇｅｍｅｎｔ  ｆｕｎｃｔｉｏｎ、略してＡＭＦ）ネットワーク要素、統合データ管理（英語：ｕｎｉｆｉｅｄ  ｄａｔａ  ｍａｎａｇｅｍｅｎｔ、略してＵＤＭ）ネットワーク要素、ポリシー制御機能（英語：ｐｏｌｉｃｙ  ｃｏｎｔｒｏｌ  ｆｕｎｃｔｉｏｎ、略してＰＣＦ）ネットワーク要素、セッション管理機能（英語：ｓｅｓｓｉｏｎ  ｍａｎａｇｅｍｅｎｔ  ｆｕｎｃｔｉｏｎ、略してＳＭＦ）ネットワーク要素、およびユーザプレーン機能（英語：ｕｓｅｒ  ｐｌａｎｅ  ｆｕｎｃｔｉｏｎ、略してＵＰＦ）ネットワーク要素を含む。（Ｒ）ＡＮデバイスは、次世代（英語：ｎｅｘｔ  ｇｅｎｅｒａｔｉｏｎ、略してＮＧ）ＲＡＮデバイスであってよく、または進化型ユニバーサル地上無線アクセスネットワーク（英語：ｅｖｏｌｖｅｄ  ｕｎｉｖｅｒｓａｌ  ｔｅｒｒｅｓｔｒｉａｌ  ｒａｄｉｏ  ａｃｃｅｓｓ  ｎｅｔｗｏｒｋ、略してＥ−ＵＴＲＡＮ）デバイスであってよい。
【０１９１】
ＥＰＳネットワークは、Ｅ−ＵＴＲＡＮデバイス、モビリティ管理エンティティ（英語：ｍｏｂｉｌｉｔｙ  ｍａｎａｇｅｍｅｎｔ  ｅｎｔｉｔｙ、略してＭＭＥ）ネットワーク要素、サービングゲートウェイ（英語：ｓｅｒｖｉｎｇ  ｇａｔｅｗａｙ、略してＳＧＷ）、パケットデータネットワークゲートウェイ（英語：ｐａｃｋｅｔ  ｄａｔａ  ｎｅｔｗｏｒｋ  ｇａｔｅｗａｙ、略してＰＧＷ）、ポリシーおよび課金規則機能（英語：ｐｏｌｉｃｙ  ａｎｄ  ｃｈａｒｇｉｎｇ  ｒｕｌｅｓ  ｆｕｎｃｔｉｏｎ、略してＰＣＲＦ）ネットワーク要素、ならびにホーム加入者サーバ（英語：ｈｏｍｅ  ｓｕｂｓｃｒｉｂｅｒ  ｓｅｒｖｅｒ、略してＨＳＳ）を含む。Ｅ−ＵＴＲＡＮデバイスは、発展型ノードＢ（英語：ｅＮｏｄｅＢ、略してｅＮＢ）であってよい。パケットデータネットワークゲートウェイは、パケットデータネットワークゲートウェイ制御プレーン（英語：ｐａｃｋｅｔ  ｄａｔａ  ｎｅｔｗｏｒｋ  ｇａｔｅｗａｙ−ｃｏｎｔｒｏｌ  ｐｌａｎｅ、略してＰＧＷ−Ｃ）ネットワーク要素およびパケットデータネットワークゲートウェイユーザプレーン（英語：ｐａｃｋｅｔ  ｄａｔａ  ｎｅｔｗｏｒｋ  ｇａｔｅｗａｙ−ｕｓｅｒ  ｐｌａｎｅ、略してＰＧＷ−Ｕ）ネットワーク要素を含み得る。５Ｇネットワーク内のいくつかのネットワーク要素およびＥＰＳネットワーク内のいくつかのネットワーク要素は、同じ物理エンティティ上に展開されてよく、そうすることによって、５Ｇネットワークは、ＥＰＳネットワークとインタラクションし得る。例えば、図１に示されるように、ＨＳＳネットワーク要素およびＵＤＭネットワーク要素が同じ物理エンティティ上に展開され、ＰＣＦネットワーク要素およびＰＣＲＦネットワーク要素が同じ物理エンティティ上に展開され、ＳＭＦネットワーク要素およびＰＧＷ−Ｃネットワーク要素が同じ物理エンティティ上に展開され、ＵＰＦネットワーク要素およびＰＧＷ−Ｕネットワーク要素が同じ物理エンティティ上に展開される。ネットワーク要素は、代替として、別個のネットワーク要素であってよい。このことは、本出願の本実施形態において制限されない。
【０１９２】
２Ｇ／３Ｇネットワークは、移動交換センタ（英語：ｍｏｂｉｌｅ  ｓｗｉｔｃｈｉｎｇ  ｃｅｎｔｅｒ、略してＭＳＣ）ネットワーク要素、サービングＧＰＲＳサポートノード（英語：ｓｅｒｖｉｎｇ  ＧＰＲＳ  ｓｕｐｐｏｒｔ  ｎｏｄｅ、略してＳＧＳＮ）、およびＧＰＲＳサポートノード（英語：ｇａｔｅｗａｙ  ＧＰＲＳ  ｓｕｐｐｏｒｔ  ｎｏｄｅ、略してＧＧＳＮ）を含み、基地局コントローラ（英語：Ｂａｓｅ  Ｓｔａｔｉｏｎ  Ｃｏｎｔｒｏｌｌｅｒ、略してＢＳＣ）または無線ネットワークコントローラ（英語：Ｒａｄｉｏ  Ｎｅｔｗｏｒｋ  Ｃｏｎｔｒｏｌｌｅｒ、略してＲＮＣ）をさらに含む。
【０１９３】
図１に示されるように、５Ｇネットワークと２Ｇ／３Ｇネットワークとの間には相互動作インタフェースはなく、５ＧネットワークとＥＰＳネットワークとの間には相互動作インタフェースがあり、ＥＰＳネットワークと２Ｇ／３Ｇネットワークとの間には相互動作インタフェースがある。したがって、５Ｇネットワークは、ＥＰＳネットワークを使うことによって、２Ｇ／３Ｇネットワークと間接的に通信し得る。特に、ＡＭＦネットワーク要素は、Ｎ２６インタフェースを使うことによってＭＭＥネットワーク要素と通信してよく、ＭＭＥネットワーク要素は、Ｓｖインタフェースを通してＭＳＣネットワーク要素と通信してよい。
【０１９４】
図１に示されるワイヤレス通信システムでは、端末デバイスは、ユーザ機器（ｕｓｅｒ  ｅｑｕｉｐｍｅｎｔ、ＵＥ）、アクセス端末、加入者ユニット、加入者局、移動局、モバイルコンソール、リモート局、リモート端末、モバイルデバイス、ユーザ端末、端末、ワイヤレス通信デバイス、ユーザエージェント、またはユーザ装置と呼ばれ得る。代替として、端末デバイスは、ワイヤレスローカルエリアネットワーク（ｗｉｒｅｌｅｓｓ  ｌｏｃａｌ  ａｒｅａ  ｎｅｔｗｏｒｋｓ、略してＷＬＡＮ）中の局（ｓｔａｔｉｏｎ、略してＳＴ）であってよく、セルラーフォン、コードレスフォン、セッション開始プロトコル（ｓｅｓｓｉｏｎ  ｉｎｉｔｉａｔｉｏｎ  ｐｒｏｔｏｃｏｌ、略してＳＩＰ）フォン、ワイヤレスローカルループ（ｗｉｒｅｌｅｓｓ  ｌｏｃａｌ  ｌｏｏｐ、略してＷＬＬ）局、携帯情報端末（ｐｅｒｓｏｎａｌ  ｄｉｇｉｔａｌ  ａｓｓｉｓｔａｎｔ、略してＰＤＡ）デバイス、ワイヤレス通信機能を有するハンドヘルドデバイス、コンピューティングデバイス、またはワイヤレスモデム、車載デバイス、もしくは装着可能デバイス（装着可能インテリジェントデバイスとも呼ばれ得る）に接続された別の処理デバイスであってよい。代替として、端末デバイスは、次世代通信システム中の端末デバイス、例えば、５Ｇにおける端末デバイスもしくは将来の発展型パブリックランドモバイルネットワーク（ｐｕｂｌｉｃ  ｌａｎｄ  ｍｏｂｉｌｅ  ｎｅｔｗｏｒｋ、略してＰＬＭＮ）中の端末デバイス、または新無線（ｎｅｗ  ｒａｄｉｏ、略してＮＲ）通信システム中の端末デバイスであってよい。
【０１９５】
図１に示されるワイヤレス通信システムでは、ＡＭＦネットワーク要素は、端末デバイスの登録、モビリティ管理、追跡エリア更新手順などを担当し得る。ＡＭＦネットワーク要素は、ＡＭＦデバイスまたはＡＭＦエンティティとも呼ばれ得る。
【０１９６】
図１に示されるワイヤレス通信システムでは、ＳＭＦネットワーク要素は、端末デバイスのセッション管理を担当し得る。例えば、セッション管理は、ユーザプレーンデバイスの選択、ユーザプレーンデバイスの再選択、ＩＰアドレス割当て、サービス品質（ｑｕａｌｉｔｙ  ｏｆ  ｓｅｒｖｉｃｅ、ＱｏＳ）制御、およびセッション確立、変更、または解放を含む。ＳＭＦネットワーク要素は、ＳＭＦエンティティまたはＳＭＦデバイスとも呼ばれ得る。
【０１９７】
図１に示されるワイヤレス通信システムでは、ＰＣＦネットワーク要素は、ポリシー制御機能およびフロー基盤課金制御機能を含む。例えば、ＰＣＦネットワーク要素は、ポリシー制御機能、課金ポリシー制御機能、ＱｏＳ制御などを実装し得る。ＰＣＦネットワーク要素は、ＰＣＦエンティティまたはＰＣＦデバイスとも呼ばれ得る。
【０１９８】
図１に示されるワイヤレス通信システムでは、ＭＭＥネットワーク要素は、端末デバイスの認証、モビリティ管理、およびセッション管理を担当し得る。ＭＭＥネットワーク要素は、ＭＭＥデバイスまたはＭＭＥエンティティとも呼ばれ得る。
【０１９９】
上記のネットワーク要素は、専用ハードウェア上で実装されるネットワーク要素であってよく、または専用ハードウェア上で稼働されるソフトウェアインスタンスであってよく、または適切なプラットフォーム上の仮想化機能のインスタンスであってよい。例えば、上記の仮想化プラットフォームは、クラウドプラットフォームであってよい。
【０２００】
以下は特に、本出願の実施形態において提供されるボイスサービスのネットワークハンドオーバ方法を記述する。
【０２０１】
図２を参照すると、本出願の実施形態は、ボイスサービスのネットワークハンドオーバ方法の方法実施形態を提供する。本実施形態は、図１に示されるワイヤレス通信システムに特に適用され得る。
【０２０２】
本実施形態は、以下のステップを含む。
【０２０３】
２０１．第１のネットワーク内のアクセスネットワークデバイスが、第１のネットワーク内のモビリティ管理ネットワーク要素へ第１の情報を送信し、それに応じて、第１のネットワーク内のモビリティ管理ネットワーク要素は、第１のネットワーク内のアクセスネットワークデバイスから第１の情報を受信し、第１の情報は、第１のネットワークから第２のネットワークへの端末デバイスのハンドオーバを示すのに使われる。
【０２０４】
例示的シナリオでは、第１のネットワーク内のアクセスネットワークデバイスは、ボイスサービスを執り行う端末デバイスから、信号測定報告を受信し、信号測定報告に基づいて、端末デバイスが第１のネットワークの信号カバレージを出て、第２のネットワークの信号カバレージ中にあると判定して、端末デバイスのボイスサービスは、第１のネットワークから第２のネットワークにハンドオーバされる必要があると判定する。したがって、第１のネットワーク内のアクセスネットワークデバイスは、第１のネットワーク内のモビリティ管理ネットワーク要素へ第１の情報を送信する。
【０２０５】
第１の情報は、第１のネットワークから第２のネットワークへの、端末デバイスのボイスサービスのハンドオーバを示すのに使われ得る。任意選択で、第１の情報を送信する前に、アクセスネットワークデバイスは、端末デバイスのボイスサービスのサービス品質フロー（英語：ＱｏＳ  ｆｌｏｗ）が検出されたと判定する。本出願の本実施形態では、第１のネットワークから第２のネットワークへの、端末デバイスのボイスサービスのハンドオーバは特に、無線ボイスコール連続性（英語：Ｓｉｎｇｌｅ  Ｒａｄｉｏ  Ｖｏｉｃｅ  Ｃａｌｌ  Ｃｏｎｔｉｎｕｉｔｙ、略してＳＲＶＣＣ）ハンドオーバ、すなわち、ボイス連続性を保証するハンドオーバであってよいことが留意されるべきである。
【０２０６】
任意選択の実施形態では、第１の情報は、第１のネットワークから第２のネットワークへのボイスハンドオーバの第１の識別子および／または第２のネットワークのターゲット識別子（英語：ｔａｒｇｅｔ  ＩＤ）を含む。説明が、以下で別個に行われる。ボイスハンドオーバの第１の識別子は、第１のネットワークから第２のネットワークへの、端末デバイスのボイスサービスのハンドオーバを示すのに使われ、特に、ＳＲＶＣＣハンドオーバインジケーション（英語：ＨＯ  ｉｎｄｉｃａｔｉｏｎ）であってよい。ボイスハンドオーバの第１の識別子は、第１のネットワーク内のアクセスネットワークデバイスによって生成され得る。第２のネットワークのターゲット識別子は、端末デバイスがハンドオーバされる必要がある第２のネットワークを識別するのに使われ、第２のネットワークの基地局識別子、例えば、ターゲットＲＮＣ／ＢＳＣ識別子、または第２のネットワークのターゲットセル識別子（英語：ｔａｒｇｅｔ  ｃｅｌｌ  ＩＤ）を含み得る。ターゲット識別子は、受信された信号測定報告に基づいて、第１のネットワーク内のアクセスネットワークデバイスによって取得され得る。
【０２０７】
第１の情報は、どのメッセージ内でも搬送されないことがあり、第１のネットワーク内のモビリティ管理ネットワーク要素へ直接送信される。代替として、第１の情報は、ハンドオーバ要求（英語：ｈａｎｄｏｖｅｒ  ｒｅｑｕｉｒｅｄ）メッセージまたは別のメッセージ内で搬送されてよく、第１のネットワーク内のモビリティ管理ネットワーク要素へ送信される。通常、第１のネットワークと第２のネットワークとの間には相互動作インタフェースがないことが留意されるべきである。したがって、第１のネットワークおよび第２のネットワークは、第１のネットワークから第２のネットワークへのハンドオーバを実装するために、第３のネットワークを使うことによって間接通信を実施する必要がある。
【０２０８】
以下は、図１に示されるワイヤレス通信システムを、説明のための例として使う。第１のネットワークは５Ｇネットワークであってよく、第２のネットワークは、ＣＳボイスサービスをサポートするネットワークであってよく、例えば、特に２Ｇ／３Ｇネットワークである。第１のネットワーク内のモビリティ管理ネットワーク要素はＡＭＦネットワーク要素であってよく、第１のネットワーク内のアクセスネットワークデバイスは（Ｒ）ＡＮデバイスであってよく、例えば、特にＮＧ−ＲＡＮデバイスである。端末デバイスから受信された信号測定報告に基づいて、端末デバイスが、５Ｇネットワークの信号カバレージを出て、２Ｇ／３Ｇネットワークの信号カバレージ中にあると判定し、ボイスサービスのＱｏＳフローを検出し、例えば、５Ｇ  ＱｏＳインジケーション（英語：５Ｇ  ＱｏＳ  ｉｎｄｉｃａｔｏｒ、略して５ＱＩ）＝１ＱｏＳフローであることを検出した後、ＮＧ−ＲＡＮデバイスは、ＡＭＦネットワーク要素へハンドオーバ要求メッセージを送信し、ハンドオーバ要求メッセージは、ＳＲＶＣＣハンドオーバインジケーションを搬送するか、もしくは２Ｇ／３Ｇネットワークのターゲット識別子を搬送するか、またはＳＲＶＣＣハンドオーバインジケーションと２Ｇ／３Ｇネットワークのターゲット識別子の両方を搬送して、５Ｇネットワークから２Ｇ／３Ｇネットワークへの、端末デバイスのボイスサービスのハンドオーバをトリガする。２Ｇ／３Ｇセルが、５Ｇセルの近隣セルとして使われ得る。端末デバイスは、５Ｇセルの信号強度および近隣セルの信号強度を測定し、測定された信号強度に基づいて信号測定報告を生成し、信号測定報告をＮＧ−ＲＡＮデバイスへ送信する。
【０２０９】
第１の情報を受信した後、第１のネットワーク内のモビリティ管理ネットワーク要素は、第１の情報に基づいて、第１のネットワークから第２のネットワークへの端末デバイスのハンドオーバを判定し得る。例えば、第１のネットワーク内のモビリティ管理ネットワーク要素は、ハンドオーバ要求メッセージを受信し、ハンドオーバ要求メッセージ内で搬送されるターゲット識別子を取得し、ターゲット識別子が第２のネットワークに属すと判定する。したがって、第１のネットワーク内のモビリティ管理ネットワーク要素は、端末デバイスが第１のネットワークから第２のネットワークにハンドオーバされる必要があると判定する。第１のネットワーク内のモビリティ管理ネットワーク要素は、第１の情報に基づいて、ハンドオーバがボイスサービスのハンドオーバであると判定し、具体的には、第１のネットワークから第２のネットワークへの、端末デバイスのボイスサービスのハンドオーバを判定し得る。例えば、第１のネットワーク内のモビリティ管理ネットワーク要素は、ハンドオーバ要求メッセージがボイスハンドオーバの第１の識別子を搬送すると判定し、したがって、端末デバイスのボイスサービスが第１のネットワークから第２のネットワークにハンドオーバされる必要があると判定する。例として、図１に示されるワイヤレス通信システムでは、ＮＧ−ＲＡＮデバイスによって送信されたハンドオーバ要求メッセージを受信した後、ＡＭＦネットワーク要素は、ハンドオーバ要求メッセージ内で搬送されるターゲット識別子に基づいて、ターゲット識別子が２Ｇ／３Ｇネットワークに属すと判定し得る。したがって、端末デバイスは、５Ｇネットワークから２Ｇ／３Ｇネットワークにハンドオーバされる必要があると判定される。代替として、ハンドオーバ要求メッセージ内で搬送されるＳＲＶＣＣハンドオーバインジケーションおよび／または第２のネットワークのターゲット識別子に基づいて、端末デバイスのボイスサービスは、５Ｇネットワークから２Ｇ／３Ｇネットワークにハンドオーバされる必要があると判定され得る。
【０２１０】
２０２．第１のネットワーク内のモビリティ管理ネットワーク要素は、第１の情報に基づいて、第３のネットワーク内のモビリティ管理ネットワーク要素へ第２の情報を送信し、それに応じて、第３のネットワーク内のモビリティ管理ネットワーク要素は、第１のネットワーク内のモビリティ管理ネットワーク要素から第２の情報を受信し、第２の情報は、第３のネットワーク内のモビリティ管理ネットワーク要素に、第２のネットワーク内のモバイル交換ネットワーク要素へハンドオーバ要求を送信するよう命令するのに使われる。
【０２１１】
本出願の本実施形態では、第１の情報を受信した後、第１のネットワーク内のモビリティ管理ネットワーク要素は、第１の情報に基づいて、第３のネットワーク内のモビリティ管理ネットワーク要素へ第２の情報を送信してよい。第２の情報は、第３のネットワーク内のモビリティ管理ネットワーク要素に、第２のネットワーク内のモバイル交換ネットワーク要素へハンドオーバ要求を送信するよう命令するのに使われる。第２の情報は、どのメッセージ内でも搬送されないことがあり、第３のネットワーク内のモビリティ管理ネットワーク要素へ直接送信される。代替として、第２の情報は、リロケーション要求（英語：ｒｅｌｏｃａｔｉｏｎ  ｒｅｑｕｅｓｔ）メッセージまたは別のメッセージ内で搬送されてよく、第３のネットワーク内のモビリティ管理ネットワーク要素へ送信される。第３のネットワークは、第１のネットワークと第２のネットワークの両方との相互動作インタフェースを有する。例えば、第１のネットワークが５Ｇネットワークであり、第２のネットワークが２Ｇ／３Ｇネットワークであるとき、第３のネットワークはＥＰＳネットワークであってよく、第３のネットワーク内のモビリティ管理ネットワーク要素はＭＭＥネットワーク要素であってよい。
【０２１２】
第２の情報は、第１の情報と同じ情報であってよい。例として、図１に示されるワイヤレス通信システムでは、ＡＭＦネットワーク要素は、ＮＧ−ＲＡＮデバイスによって送信されたハンドオーバ要求メッセージからＳＲＶＣＣハンドオーバインジケーションを取得し、ＳＲＶＣＣハンドオーバインジケーションをリロケーション要求メッセージに追加し、ＳＲＶＣＣハンドオーバインジケーションをＭＭＥネットワーク要素へ送信する。代替として、第２の情報は、第１の情報とは異なる情報であってよい。例えば、第２の情報は、第１の情報に基づいて生成され得る。さらなる例として、図１に示されるワイヤレス通信システムでは、ＡＭＦネットワーク要素は、ＮＧ−ＲＡＮデバイスによって送信されたハンドオーバ要求メッセージからターゲット識別子を取得し、ターゲット識別子が２Ｇ／３Ｇネットワークに属すと判定し、すなわち、端末デバイスのボイスサービスは、５Ｇネットワークから２Ｇ／３Ｇネットワークにハンドオーバされる必要があると判定する。したがって、ＳＲＶＣＣハンドオーバインジケーションが生成され、生成されたＳＲＶＣＣハンドオーバインジケーションは、リロケーション要求メッセージ内で搬送され、ＭＭＥネットワーク要素へ送信される。第２の情報は、第１のネットワークから第２のネットワークへの端末デバイスのハンドオーバを示すのに使われ、特に、ボイスサービスのハンドオーバを示すのに使われ、具体的には、第１のネットワークから第２のネットワークへの、端末デバイスのボイスサービスのハンドオーバを示すのに使われ得る。したがって、第２の情報は、第１のネットワークから第２のネットワークへのボイスハンドオーバの第２の識別子および／または第２のネットワークのターゲット識別子を含み得る。
【０２１３】
２０３．第３のネットワーク内のモビリティ管理ネットワーク要素は、第２の情報に基づいて、第２のネットワーク内のモバイル交換ネットワーク要素へハンドオーバ要求を送信し、それに応じて、第２のネットワーク内のモバイル交換ネットワーク要素は、第３のネットワーク内のモビリティ管理ネットワーク要素からハンドオーバ要求を受信する。
【０２１４】
第２の情報を受信した後、第３のネットワーク内のモビリティ管理ネットワーク要素は、第２の情報に基づいて、第１のネットワークから第２のネットワークへの端末デバイスのハンドオーバを判定することができ、特に、ハンドオーバがボイスサービスのハンドオーバであると判定し、第２のネットワーク内のモバイル交換ネットワーク要素へハンドオーバ要求を送信してよい。ハンドオーバ要求は、端末デバイスのボイスサービスを第２のネットワークにハンドオーバするのに使われる。例えば、ハンドオーバ要求は、パケット交換−回線交換要求（英語：ＰＳ  ｔｏ  ＣＳ  ｒｅｑｕｅｓｔ）メッセージであってよい。
【０２１５】
例として、図１に示されるワイヤレス通信システムでは、ＭＭＥネットワーク要素は、受信されたリロケーション要求メッセージから、ＳＲＶＣＣハンドオーバインジケーションおよび／または第２のネットワークのターゲット識別子を取得し、ＳＲＶＣＣハンドオーバインジケーションおよび／または第２のネットワークのターゲット識別子に基づいて、５Ｇネットワークから２Ｇ／３Ｇネットワークへの、端末デバイスのボイスサービスのハンドオーバを判定し、パケット交換−回線交換要求メッセージをＭＳＣネットワーク要素へ送信し、ここで、パケット交換−回線交換要求メッセージは、端末デバイスのボイスサービスを２Ｇ／３Ｇネットワークにハンドオーバするよう命令するのに使われる。
【０２１６】
２０４．第２のネットワーク内のモバイル交換ネットワーク要素は、ハンドオーバ要求に基づいて、第２のネットワークへの、端末デバイスのボイスサービスのハンドオーバを実施する。
【０２１７】
端末デバイスのボイスサービスを第２のネットワークにハンドオーバすることは、特に、ハンドオーバ準備フェーズおよびハンドオーバ実行フェーズという２つのフェーズを含み、これらは、既存の標準プロトコルにおいて定義される４Ｇ  ＳＲＶＣＣ手順と同様である。詳細については、３ＧＰＰ  ＴＳ２３．２１６を参照されたい。ハンドオーバ準備フェーズでは、第２のネットワーク内の基地局コントローラが、エアインタフェースリソースを準備し、第２のネットワーク内のモバイル交換ネットワーク要素および第３のネットワーク内のモビリティ管理ネットワーク要素を使うことによって、第１のネットワーク内のモビリティ管理ネットワーク要素にハンドオーバ準備応答メッセージを返す。第１のネットワーク内のモビリティ管理ネットワーク要素は、第１のネットワーク内のアクセスネットワークデバイスを使うことによって、端末デバイスが第２のネットワークにハンドオーバされるようにトリガする。ハンドオーバ実行フェーズでは、第２のネットワーク内の基地局コントローラは、端末デバイスが第２のネットワークにハンドオーバされたことを検出し、第２のネットワーク内のモバイル交換ネットワーク要素へ、第１のネットワークから第２のネットワークへの端末デバイスのハンドオーバが完了されたことを示す情報を送信する。例として、図１に示されるワイヤレス通信システムでは、第２のネットワークが、ＣＳボイスサービスをサポートする２Ｇ／３Ｇネットワークであるとき、ハンドオーバ準備フェーズにおいて、ＭＳＣネットワーク要素は、ＲＮＣ／ＢＳＣネットワーク要素へハンドオーバ要求（英語：ｈａｎｄｏｖｅｒ  ｒｅｑｕｅｓｔ）メッセージを送信し、ＲＮＣ／ＢＳＣネットワーク要素は、ハンドオーバ要求メッセージに基づいて、ＣＳボイスサービスの到着のために、対応するエアインタフェースリソースを準備する。対応するエアインタフェースリソースを準備した後、ＲＮＣ／ＢＳＣネットワーク要素は、ＭＳＣネットワーク要素へハンドオーバ肯定応答（英語：ｈａｎｄｏｖｅｒ  ａｃｋ）メッセージを返信して、ハンドオーバ要求メッセージに応答する。ＭＳＣネットワーク要素は、ＭＭＥネットワーク要素へパケット交換−回線交換応答（英語：ＰＳ  ｔｏ  ＣＳ  ｒｅｓｐｏｎｓｅ）メッセージを送信して、パケット交換−回線交換要求（英語：ＰＳ  ｔｏ  ＣＳ  ｒｅｑｕｅｓｔ）メッセージに応答する。ＭＭＥネットワーク要素は、ＡＭＦネットワーク要素へリロケーション応答（英語：ｒｅｌｏｃａｔｉｏｎ  ｒｅｓｐｏｎｓｅ）メッセージを送信して、リロケーション要求（英語：ｒｅｌｏｃａｔｉｏｎ  ｒｅｑｕｅｓｔ）メッセージに応答する。ＡＭＦネットワーク要素は、ＮＧ  ＲＡＮデバイスへハンドオーバコマンド（英語：ｈａｎｄｏｖｅｒ  ｃｏｍｍａｎｄ）メッセージを送信して、ＮＧ  ＲＡＮデバイスに、端末デバイスを２Ｇ／３Ｇネットワークの宛先基地局コントローラまたは宛先セルにハンドオーバするよう命令する。ＮＧ  ＲＡＮデバイスは、端末デバイスへハンドオーバコマンド（英語：ｈａｎｄｏｖｅｒ  ｃｏｍｍａｎｄ）メッセージを送信して、端末デバイスを、２Ｇ／３Ｇネットワークの宛先基地局コントローラまたは宛先セルにハンドオー��されるようにトリガする。ハンドオーバ準備フェーズは終わる。ハンドオーバ実行フェーズでは、ＲＮＣ／ＢＳＣネットワーク要素は、端末デバイスが２Ｇ／３Ｇネットワークの宛先基地局コントローラまたは宛先セルにアクセスすることを検出し得る。ＲＮＣ／ＢＳＣネットワーク要素は、ＭＳＣネットワーク要素へハンドオーバ完了（英語：ｈａｎｄｏｖｅｒ  ｃｏｍｐｌｅｔｅ）メッセージを送信して、第１のネットワークから第２のネットワークへの端末デバイスのハンドオーバが完了されたことを示す。
【０２１８】
ボイスサービスのハンドオーバが完了された後、第２のネットワーク内のモバイル交換ネットワーク要素は、第３のネットワーク内のモビリティ管理ネットワーク要素へ第１のハンドオーバ完了情報を送信してよく、第３のネットワーク内のモビリティ管理ネットワーク要素は、第１のハンドオーバ完了情報を受信した後、第１のネットワーク内のモビリティ管理ネットワーク要素へ第２のハンドオーバ完了情報を送信してよい。第１のハンドオーバ完了情報は、第１のネットワークから第２のネットワークへの、端末デバイスのボイスサービスのハンドオーバが完了されたことを示すのに使われ、第２のハンドオーバ完了インジケーション情報は、第１のネットワークから第２のネットワークへの端末デバイスのハンドオーバが完了されたことを示すのに使われるか、または第１のネットワークから第２のネットワークへの、端末デバイスのボイスサービスのハンドオーバが完了されたことを示すのにさらに使われる。第１のハンドオーバ完了情報および／または第２のハンドオーバ完了情報は、第１のネットワークから第２のネットワークへのボイスハンドオーバの識別子、例えば、ＳＲＶＣＣハンドオーバインジケーションを搬送し得る。例として、図１に示されるワイヤレス通信システムでは、ＲＮＣ／ＢＳＣネットワーク要素によって送信されたハンドオーバ完了メッセージに基づいて、５Ｇから２Ｇ／３Ｇへの、端末デバイスのボイスサービスのハンドオーバが完了されたと判定した後、ＭＳＣネットワーク要素は、ＭＭＥネットワーク要素へ、パケット交換−回線交換完了（英語：ＰＳ  ｔｏ  ＣＳ  ｃｏｍｐｌｅｔｅ）メッセージを送信してよい。パケット交換−回線交換完了メッセージを受信した後、ＭＭＥネットワーク要素は、ＡＭＦネットワーク要素へリロケーション完了（ｒｅｌｏｃａｔｉｏｎ  ｃｏｍｐｌｅｔｅ）メッセージを送信してよい。パケット交換−回線交換完了メッセージとリロケーション完了メッセージの両方が、ボイスサービスのハンドオーバが完了されたことを示すのに使われるＳＲＶＣＣハンドオーバインジケーションを搬送し得る。ボイスサービスのハンドオーバが完了された後、端末デバイスは、登録要求を送信することによって２Ｇ／３Ｇネットワークにさらに登録されてよい。特に、ボイスサービスのハンドオーバが完了されたと判定した後、端末デバイスは、経路エリア更新要求（英語：Ｒｏｕｔｅ  Ａｒｅａ  Ｕｐｄａｔｅ  ｒｅｑｕｅｓｔ、略してＲＡＵ  ｒｅｑｕｅｓｔ）および／またはアタッチ要求（英語：ａｔｔａｃｈ  ｒｅｑｕｅｓｔ）をＳＧＳＮネットワーク要素へ送信してよい。
【０２１９】
本出願の本実施形態では、端末デバイスのボイスサービスは、第１のネットワークと第３のネットワークとの間の通信および第３のネットワークと第２のネットワークとの間の通信を通して第１のネットワークから第２のネットワークにハンドオーバされることが可能であり、第１のネットワーク内の端末デバイスはボイスサービスを実装することができないという問題を解決することが認識されよう。さらに、端末デバイスは、第１のネットワークのセルから第２のネットワークのセルに直接ハンドオーバされて、第２のネットワーク内でボイスサービスを実行してよく、第３のネットワークのセルに最初にハンドオーバされる必要はない。例えば、端末デバイスは、５Ｇセルから２Ｇ／３Ｇセルに直接ハンドオーバされ、４Ｇセルに最初にハンドオーバされる必要はない。
【０２２０】
任意選択の実施形態では、ハンドオーバを実施するとき、第２のネットワーク内のモバイル交換ネットワーク要素は、端末デバイスについての情報を使う必要もある。したがって、第１のネットワーク内のモビリティ管理ネットワーク要素は、情報を取得し、第３のネットワーク内のモビリティ管理ネットワーク要素を使うことによって、情報を、第２のネットワーク内のモバイル交換ネットワーク要素へ送信してよい。したがって、第２のネットワーク内のモバイル交換ネットワーク要素は、端末デバイスについての情報に基づいて、ボイスサービスのハンドオーバを実施する。端末デバイスについての情報は、端末デバイスの階級値（英語：ｃｌａｓｓｍａｒｋ）、端末デバイスによってサポートされるコーデック（英語：ｓｕｐｐｏｒｔｅｄ  ｃｏｄｅｃ）についての情報、および端末デバイスのボイスサービスを第２のネットワークにハンドオーバするのに使われる加入情報という情報のうちの１つまたは複数を含み得る。端末デバイスの階級値は特に、端末デバイスの階級値２および／または階級値３を含み得る。端末デバイスによってサポートされるコーデックについての情報は特に、端末デバイスによってサポートされるＣＳボイスサービスのコーデックについての情報であってよい。加入情報は特に、相関移動局統合サービスデジタルネットワーク（英語：ｃｏｒｒｅｌａｔｉｏｎ−ｍｏｂｉｌｅ  ｓｔａｔｉｏｎ  Ｉｎｔｅｇｒａｔｅｄ  Ｓｅｒｖｉｃｅｓ  Ｄｉｇｉｔａｌ  Ｎｅｔｗｏｒｋ、略してＣ−ＭＳＩＳＤＮ）および／またはＳＲＶＣＣのためのセッション転送番号（ｓｅｓｓｉｏｎ  ｔｒａｎｓｆｅｒ  ｎｕｍｂｅｒ  ｆｏｒ  ＳＲＶＣＣ、略してＳＴＮ−ＳＲ）を含み得る。端末デバイスについての情報は、第１のネットワーク内のモビリティ管理ネットワーク要素によって取得され得る。例えば、第１のネットワーク内のモビリティ管理ネットワーク要素は、端末デバイスについての情報を、第１のネットワーク内の統合データ管理機能ネットワーク要素または加入データレジスタ（例えば、ＵＤＭ／ＨＳＳ）から取得し得る。第１のネットワーク内の加入データレジスタは、端末デバイスの元の加入情報（Ｃ−ＭＳＩＳＤＮおよび／またはＳＴＮ−ＳＲを含む）を記憶し、元の加入情報を、端末デバイスが第１のネットワークに登録される処理において、第１のネットワーク内のモビリティ管理ネットワーク要素へ送信してよい。第１のネットワーク内のモビリティ管理ネットワーク要素は、加入情報を記憶する。端末デバイスがＩＭＳネットワークへの登録手順を実施すると、ＩＭＳネットワーク内のアプリケーションサーバ（例えば、ＳＣＣ  ＡＳ）は、更新されたＳＴＮ−ＳＲを取得する。更新されたＳＴＮ−ＳＲは、アプリケーションサーバによって生成されるか、またはアクセス転送制御機能ネットワーク要素によって生成され、アプリケーションサーバへ送信され得る。アプリケーションサーバは、更新されたＳＴＮ−ＳＲを第１のネットワーク内の加入データレジスタへ送信し、第１のネットワーク内の加入データレジスタは、更新されたＳＴＮ−ＳＲが、当初記憶された加入情報の中のＳＴＮ−ＳＲと同じであるかどうかを判定し、更新されたＳＴＮ−ＳＲが、当初記憶された加入情��の中のＳＴＮ−ＳＲとは異なる場合、更新されたＳＴＮ−ＳＲを第１のネットワーク内のモビリティ管理ネットワーク要素へ送信する。第１のネットワーク内のモビリティ管理ネットワーク要素は、当初記憶されたＳＴＮ−ＳＲを、更新されたＳＴＮ−ＳＲで置き換え、更新されたＳＴＮ−ＳＲを加入データの一部として使う。
【０２２１】
例えば、図１に示されるワイヤレス通信システムでは、ＡＭＦネットワーク要素によってＭＭＥネットワーク要素へ送信されるリロケーション要求メッセージ、およびＭＭＥネットワーク要素によってＭＳＣネットワーク要素へ送信されるパケット交換−回線交換要求メッセージは、端末デバイスについての情報、すなわち、階級値、サポートされるコーデックについての情報、ＳＴＮ−ＳＲ、およびＣ−ＭＳＩＳＤＮをさらに搬送する。ＭＳＣネットワーク要素は、端末デバイスについての情報に基づいて、端末デバイスのボイスサービスを２Ｇ／３Ｇネットワークにハンドオーバする。
【０２２２】
本出願の本実施形態では、第１の情報を受信した後、第１のネットワーク内のモビリティ管理ネットワーク要素は、第１のネットワーク内のセッション管理ネットワーク要素から、端末デバイスの第３のネットワークのセッション情報をさらに取得し、第３のネットワークのセッション情報を、第３のネットワーク内のモビリティ管理ネットワーク要素へ送信し得る。第３のネットワークのセッション情報は、分離の後で取得される、第３のネットワーク内のボイスサービスのセッション管理（英語：ｓｅｓｓｉｏｎ  ｍａｎａｇｅｍｅｎｔ、略してＳＭ）コンテキスト（英語：ｃｏｎｔｅｘｔ）および／または分離の後で取得される、第３のネットワーク内の非ボイスサービスのＳＭコンテキスト情報を含む。第３のネットワーク内のモビリティ管理ネットワーク要素は、受信された情報に基づいて、対応する動作を実施する。以下は、実施形態を使うことによって、説明を行う。
【０２２３】
図３を参照すると、本願の一実施形態は、ボイスサービスのネットワークハンドオーバ方法の別の方法実施形態を提供する。この実施形態は、図１に示されているワイヤレス通信システムに特に適用され得る。
【０２２４】
この実施形態は、以下のステップを含む。
【０２２５】
３０１．第１のネットワーク内のアクセスネットワークデバイスが第１のネットワーク内のモビリティ管理ネットワーク要素に第１の情報を送信し、それに応じて、第１のネットワーク内のモビリティ管理ネットワーク要素は、第１のネットワーク内のアクセスネットワークデバイスから第１の情報を受信し、第１の情報は、第１のネットワークから第２のネットワークへの端末デバイスのハンドオーバを示すために使用される。
【０２２６】
３０１の関連の内容については、図２に対応する実施形態における２０１の説明を参照されたい。詳細は、本明細書には再度記載されていない。
【０２２７】
３０２．第１のネットワーク内のモビリティ管理ネットワーク要素は、第１の情報に基づいて第１のネットワーク内のセッション管理ネットワーク要素から端末デバイスの第３のネットワークにおけるＳＭコンテキスト情報を取得する。
【０２２８】
３０３．第１のネットワーク内のモビリティ管理ネットワーク要素は、第２の情報および取得された端末デバイスの第３のネットワークにおけるＳＭコンテキスト情報を、第１の情報に基づいて第３のネットワーク内のモビリティ管理ネットワーク要素に送信し、それに応じて、第３のネットワーク内のモビリティ管理ネットワーク要素は、第２の情報および端末デバイスの第３のネットワークにおけるＳＭコンテキスト情報を第１のネットワーク内のモビリティ管理ネットワーク要素から受信する。
【０２２９】
第２の情報を送信する関連の内容については、図２に対応する実施形態における２０２の説明を参照されたい。詳細は、本明細書には再度記載されていない。以下は、３０２および３０３におけるセッション管理コンテキストを取得し送信するプロセスについて特に記載している。
【０２３０】
本願のこの実施形態では、端末デバイスの第３のネットワークにおけるＳＭコンテキスト情報を第１のネットワーク内のセッション管理ネットワーク要素から取得する動作を実施することができるように、端末デバイスは第１のネットワークから第２のネットワークへハンドオーバされることを必要とすると、第１の情報に基づいて判定される。以下は、端末デバイスの第３のネットワークにおけるＳＭコンテキスト情報を取得する例示的な場合について記載している。
【０２３１】
第１の場合には、第１のネットワーク内のセッション管理ネットワーク要素は、分離動作を実施せず、未分離の端末デバイスの第３のネットワークにおけるＳＭコンテキスト情報が、第１のネットワーク内のモビリティ管理ネットワーク要素から取得される。
【０２３２】
第１のネットワーク内のモビリティ管理ネットワーク要素は、第１のネットワーク内のセッション管理ネットワーク要素に、ＳＭコンテキスト情報を取得するために使用される要求、例えば、ＳＭコンテキスト要求またはＳＭコンテキストサービス呼出し要求を送信する。第１のネットワーク内のセッション管理ネットワーク要素は、端末デバイスの第３のネットワークにおけるＳＭコンテキスト情報を取得し、端末デバイスの第３のネットワークにおけるＳＭコンテキスト情報を第１のネットワーク内のモビリティ管理ネットワーク要素に返す。第１のネットワーク内のモビリティ管理ネットワーク要素は、受信された端末デバイスの第３のネットワークにおけるＳＭコンテキスト情報を第３のネットワーク内のモビリティ管理ネットワーク要素に送信する。端末デバイスの第３のネットワークにおけるＳＭコンテキスト情報は、端末デバイスの第３のネットワークにおけるボイスサービスのＳＭコンテキスト情報および非ボイスサービスのＳＭコンテキスト情報を含む。端末デバイスの第３のネットワークにおけるＳＭコンテキスト情報は、端末デバイスの第１のネットワークにおけるＳＭコンテキスト情報に基づいて取得され得る。一例として、図１に示されている通信システムでは、ＡＭＦネットワーク要素がＳＭコンテキスト要求をＳＭＦネットワーク要素に送信し、ＳＭＦネットワーク要素は、ＳＭコンテキスト要求を受信し、ＳＭＦネットワーク要素によって記憶されている端末デバイスの４ＧネットワークにおけるＳＭコンテキスト情報を取得し、端末デバイスの４ＧネットワークにおけるＳＭコンテキスト情報をＡＭＦネットワーク要素に送信する。端末デバイスの４ＧネットワークにおけるＳＭコンテキスト情報を受信した後、ＡＭＦネットワーク要素は、ＳＭコンテキスト情報をＭＭＥネットワーク要素に転送する。端末デバイスの４ＧネットワークにおけるＳＭコンテキスト情報および第２の情報は共に、ＭＭＥネットワーク要素に送信されるリロケーション要求メッセージ内で搬送され得る。端末デバイスの４ＧネットワークにおけるＳＭコンテキスト情報は、端末デバイスの５ＧネットワークにおけるＳＭコンテキスト情報に基づいて取得される。
【０２３３】
第２の場合には、第１のネットワーク内のセッション管理ネットワーク要素は、端末デバイスの第３のネットワークにおけるＳＭコンテキスト情報に対して分離動作を実施し、第１のネットワーク内のモビリティ管理ネットワーク要素は、第１のネットワーク内のセッション管理ネットワーク要素から、分離後取得されるボイスサービスおよび／または非ボイスサービスのＳＭコンテキスト情報を取得する。
【０２３４】
第１のネットワーク内のモビリティ管理ネットワーク要素は、第１のネットワーク内のセッション管理ネットワーク要素に第３の情報を送信する。第３の情報は、ＳＭコンテキスト要求、ＳＭコンテキストサービス呼出し要求、またはＳＭコンテキスト情報を取得するために使用される別の要求内で搬送され得、第３の情報は、第１のネットワークから第２のネットワークへの端末デバイスのハンドオーバを示すために使用される。第１のネットワーク内のセッション管理ネットワーク要素は、第３の情報に基づいて端末デバイスの第３のネットワークにおけるＳＭコンテキスト情報に対して分離動作を実施し、分離後取得されるセッション情報を取得し、分離後取得されるセッション情報は、端末デバイスの第３のネットワークにおけるボイスサービスのＳＭコンテキスト情報および／または端末デバイスの第３のネットワークにおける非ボイスサービスのＳＭコンテキスト情報を含み、第１のネットワーク内のセッション管理ネットワーク要素に、分離後取得されるセッション情報を送信する。
【０２３５】
第１の情報および第２の情報と同様に、第３の情報は、第１のネットワークから第２のネットワークへの端末デバイスのボイスサービスのハンドオーバを示すために特に使用され得、第１のネットワークから第２のネットワークへのボイスハンドオーバの第３の識別子、および／または第２のネットワークのターゲット識別子を含み得る。分離されたＳＭコンテキスト情報は、メッセージ内で搬送されず、第１のネットワーク内のモビリティ管理ネットワーク要素に直接送信されてもよく、または、ＳＭコンテキスト応答（英語：ＳＭ  ｃｏｎｔｅｘｔ  ｒｅｓｐｏｎｓｅ）、セッションコンテキストサービス呼出し応答、または別のメッセージ内で搬送され、第１のネットワーク内のモビリティ管理ネットワーク要素に送信されてもよい。端末デバイスの第３のネットワークにおけるＳＭコンテキスト情報は、セッション管理ネットワーク要素によって、端末デバイスの第１のネットワークにおけるＳＭコンテキスト情報に基づいて取得され得る。
【０２３６】
一例として、図１に示されている通信システムでは、ＡＭＦネットワーク要素は、ＳＭＦネットワーク要素にＳＭコンテキスト要求を送信する。ＳＭコンテキスト要求は、ＳＲＶＣＣハンドオーバインジケーションを搬送する。ＳＭＦネットワーク要素は、ＳＲＶＣＣハンドオーバインジケーションに従って、ＳＭＦネットワーク要素によって記憶されている端末デバイスの４ＧネットワークにおけるＳＭコンテキスト情報を取得し、端末デバイスの４ＧネットワークにおけるＳＭコンテキスト情報に対して分離動作を実施し、分離されたＳＭコンテキスト情報を取得し、分離されたＳＭコンテキスト情報は、端末デバイスの４ＧネットワークにおけるボイスサービスのＳＭコンテキスト情報、および／または端末デバイスの４Ｇネットワークにおける非ボイスサービスのＳＭコンテキスト情報を含んでおり、分離されたＳＭコンテキスト情報をＡＭＦネットワーク要素に送信する。ＡＭＦネットワーク要素は、分離されたＳＭコンテキスト情報を受信した後、分離されたＳＭコンテキスト情報をＭＭＥネットワーク要素に転送する。分離されたＳＭコンテキスト情報および第２の情報は共に、ＭＭＥネットワーク要素に送信されるリロケーション要求メッセージ内で搬送され得る。端末デバイスの４ＧネットワークにおけるＳＭコンテキスト情報は、端末デバイスの５ＧネットワークにおけるＳＭコンテキスト情報に基づいて取得され得る。
【０２３７】
３０４．第３のネットワーク内のモビリティ管理ネットワーク要素は、第２の情報および端末デバイスの第３のネットワークにおけるＳＭコンテキスト情報に基づいて、第２のネットワーク内のモバイル交換ネットワーク要素にハンドオーバ要求を送信し、ハンドオーバ要求は、第２のネットワークへの端末デバイスのボイスサービスをハンドオーバするために使用される。
【０２３８】
第２の情報に加えて、第３のネットワーク内のモビリティ管理ネットワーク要素は、端末デバイスの第３のネットワークにおけるＳＭコンテキスト情報をさらに受信し、端末デバイスの第３のネットワークにおけるＳＭコンテキスト情報に基づいて、対応する異なる動作を実施する。説明は、下記で別途提供されている。
【０２３９】
第１の場合には、第３のネットワーク内のモビリティ管理ネットワーク要素は、第２の情報および未分離の端末デバイスの第３のネットワークにおけるＳＭコンテキスト情報を受信する。
【０２４０】
第３のネットワーク内のモビリティ管理ネットワーク要素は、未分離の端末デバイスの第３のネットワークにおけるＳＭコンテキスト情報に対して分離動作を実施し、分離後取得される端末デバイスの第３のネットワークにおけるボイスサービスのＳＭコンテキスト情報を取得し、ボイスサービスのＳＭコンテキスト情報および第２の情報に基づいて、第１のネットワークから第２のネットワークへの端末デバイスのボイスサービスのハンドオーバを判定し、第２のネットワーク内のモバイル交換ネットワーク要素にハンドオーバ要求を送信する。例えば、ＭＭＥネットワーク要素が未分離の端末デバイスの４ＧネットワークにおけるＳＭコンテキスト情報およびＳＲＶＣＣハンドオーバインジケーションを受信する場合、ＭＭＥネットワーク要素は、端末デバイスの４ＧネットワークにおけるＳＭコンテキスト情報に対して分離動作を実施し、分離後取得される端末デバイスの４ＧネットワークにおけるボイスサービスのＳＭコンテキスト情報を取得し、４ＧネットワークにおけるボイスサービスのＳＭコンテキスト情報およびＳＲＶＣＣハンドオーバインジケーションに基づいて、第１のネットワークから第２のネットワークへの端末デバイスのボイスサービスのハンドオーバを判定し、パケット交換−回線交換要求メッセージをＭＳＣネットワーク要素に送信する。
【０２４１】
第２の場合には、第３のネットワーク内のモビリティ管理ネットワーク要素は、第２の情報および分離後取得される端末デバイスの第３のネットワークにおけるボイスサービスのＳＭコンテキスト情報を受信する。
【０２４２】
第３のネットワーク内のモビリティ管理ネットワーク要素は、第２の情報および分離後取得される端末デバイスの第３のネットワークにおけるボイスサービスのＳＭコンテキスト情報に基づいて、第１のネットワークから第２のネットワークへの端末デバイスのボイスサービスのハンドオーバを判定し、第２のネットワーク内のモバイル交換ネットワーク要素にハンドオーバ要求を送信する。
【０２４３】
第３の場合には、第３のネットワーク内のモビリティ管理ネットワーク要素は、第２の情報および分離後取得される端末デバイスの第３のネットワークにおける非ボイスサービスのＳＭコンテキスト情報を受信する。
【０２４４】
第３のネットワーク内のモビリティ管理ネットワーク要素は、第２の情報に基づいて、第２のネットワークへの端末デバイスのボイスサービスのハンドオーバを判定し、端末デバイスの第３のネットワークにおける非ボイスサービスのＳＭコンテキスト情報に基づいて、第２のネットワークへの端末デバイスの非ボイスサービスのハンドオーバを判定する。換言すれば、端末デバイスのボイスサービスが第１のネットワークから第２のネットワークへハンドオーバされるとき、端末デバイスの非ボイスサービスは、第１のネットワークから第２のネットワークへ同期的にハンドオーバされることを必要とする。したがって、第３のネットワーク内のモビリティ管理ネットワーク要素は、第２のネットワーク内のモバイル交換ネットワーク要素にハンドオーバ要求を送信し、第２のネットワークへの端末デバイスの非ボイスサービスのハンドオーバをトリガする。
【０２４５】
例えば、ＭＭＥネットワーク要素が、分離後取得される端末デバイスの４Ｇネットワークにおける非ボイスサービスのＳＭコンテキスト情報、およびＳＲＶＣＣハンドオーバインジケーションを受信した場合、ＭＭＥネットワーク要素は、ＳＲＶＣＣハンドオーバインジケーションに従って、端末デバイスのボイスサービスが２Ｇ／３Ｇネットワークへハンドオーバされることを必要とすると判定し、４Ｇネットワークにおける非ボイスサービスのＳＭコンテキスト情報に基づいて、端末デバイスの非ボイスサービスが、２Ｇ／３Ｇネットワークへ端末デバイスのボイスサービスをハンドオーバするプロセスにおいて２Ｇ／３Ｇネットワークへハンドオーバされることを必要とすると判定し得る。２Ｇ／３ＧネットワークへのボイスサービスのハンドオーバをトリガするためにＭＳＣネットワーク要素にパケット交換−回線交換要求メッセージを送信することに加えて、ＭＭＥネットワーク要素は、２Ｇ／３Ｇネットワークへの非ボイスサービスのハンドオーバをトリガするために、ＳＧＳＮネットワーク要素に転送リロケーション要求（英語：ｆｏｒｗａｒｄ  ｒｅｌｏｃａｔｉｏｎ  ｒｅｑｕｅｓｔ）をさらに送信する。
【０２４６】
第４の場合には、第３のネットワーク内のモビリティ管理ネットワーク要素は、第２の情報と、分離後取得される端末デバイスの第３のネットワークにおける非ボイスサービスのＳＭコンテキスト情報と、分離後取得される端末デバイスの第３のネットワークにおけるボイスサービスのＳＭコンテキスト情報とを受信する。
【０２４７】
第３のネットワーク内のモビリティ管理ネットワーク要素は、第２の情報および分離後取得される端末デバイスの第３のネットワークにおけるボイスサービスのＳＭコンテキスト情報に基づいて、第１のネットワークから第２のネットワークへの端末デバイスのボイスサービスのハンドオーバを判定し、端末デバイスの第３のネットワークにおける非ボイスサービスのＳＭコンテキスト情報に基づいて、第２のネットワークへの端末デバイスの非ボイスサービスのハンドオーバを判定する。第３のネットワーク内のモビリティ管理ネットワーク要素は、第２のネットワーク内のモバイル交換ネットワーク要素にハンドオーバ要求を送信し、第２のネットワークへ端末デバイスの非ボイスサービスをハンドオーバする動作をトリガする。第４の場合の関連の内容については、第２の場合および第３の場合の説明を参照されたい。詳細は、本明細書には再度記載されていない。
【０２４８】
３０５．第２のネットワーク内のモバイル交換ネットワーク要素は、第３のネットワーク内のモビリティ管理ネットワーク要素によって送信されたハンドオーバ要求を受信し、ハンドオーバ要求に基づいて第２のネットワークへ端末デバイスのボイスサービスをハンドオーバする。
【０２４９】
３０５の関連の内容については、図２に対応する実施形態における２０４の説明を参照されたい。詳細は、本明細書には再度記載されていない。
【０２５０】
従来技術における端末デバイスのネットワークハンドオーバプロセスでは、ソースネットワーク内のモビリティ管理ネットワーク要素が、ソースネットワーク内のセッション管理ネットワーク要素から端末デバイスのＳＭコンテキスト情報を取得し、端末デバイスのＳＭコンテキスト情報がソースネットワークからターゲットネットワークへハンドオーバされるように、取得されたＳＭコンテキスト情報をターゲットネットワーク内のモビリティ管理ネットワーク要素に送信することを必要とする。しかし、前述の実施形態では、端末デバイスはＣＳボイスサービスをサポートする第２のネットワークへハンドオーバされることになるので、端末デバイスの第１のネットワークにおける元のＰＳボイスサービスのＳＭコンテキスト情報は、第２のネットワークにおけるＣＳボイスサービスのＳＭコンテキスト情報をマッピングまたは生成するために直接使用されることが可能でない。したがって、第１のネットワーク内のモビリティ管理ネットワーク要素は、ボイスサービスのＳＭコンテキスト情報を第１のネットワーク内のセッション管理ネットワーク要素から取得することを必要としない。さらに、ネットワークは、デフォルトで、第１のネットワークから第２のネットワークへの端末デバイスの非ボイスサービスのハンドオーバがサポートされないことを構成し得るので、第１のネットワーク内のモビリティ管理ネットワーク要素は、非ボイスサービスのＳＭコンテキスト情報をセッション管理ネットワーク要素から取得することを必要としない。結論として、第１のネットワーク内のモビリティ管理ネットワーク要素は、第１のネットワーク内のセッション管理ネットワーク要素から端末デバイスのＳＭコンテキスト情報を取得する動作をスキップしてよく、または、第１のネットワーク内のセッション管理ネットワーク要素は、端末デバイスにＳＭコンテキスト情報を送信する動作をスキップし、シグナリングオーバーヘッドを低減してもよい。詳細は下記に記載されている。
【０２５１】
任意選択の実施形態では、第１のネットワーク内のモビリティ管理ネットワーク要素は、ハンドオーバが第１のネットワークから第２のネットワークへの端末デバイスのハンドオーバであるかどうか判定し、第２のネットワークは、ＣＳボイスサービスをサポートするネットワークである。ハンドオーバが第１のネットワークから第２のネットワークへの端末デバイスのハンドオーバである場合、３０２における第１のネットワーク内のセッション管理ネットワーク要素から端末デバイスの第３のネットワークにおけるＳＭコンテキスト情報を取得する動作をスキップする。そして、第１のネットワーク内のモビリティ管理ネットワーク要素は、第１のネットワーク内のセッション管理ネットワーク要素からＳＭコンテキスト情報を受信しないことになる。例えば、図５に示されているように、ＡＭＦネットワーク要素は、ＮＧ  ＲＡＮデバイスからハンドオーバ要求メッセージを受信し、ハンドオーバ要求メッセージ内で搬送された第１の情報がターゲット２Ｇ／３Ｇセル識別子またはターゲットＲＮＣ／ＢＳＣ識別子である場合、ＡＭＦネットワーク要素は、ハンドオーバが５Ｇネットワークから２Ｇ／３Ｇネットワークへの端末デバイスのハンドオーバであり、したがって、ＳＭコンテキスト要求をＳＭＦネットワーク要素に送信する動作をスキップすると判定する。設計では、デフォルトでネットワーク構成を通じて、第１のネットワークから第２のネットワークへの端末デバイスのハンドオーバがボイスサービスの連続性を確保するためのものであると考えてもよい。換言すれば、第１のネットワーク内のモビリティ管理ネットワーク要素は、端末デバイスが第２のネットワークへハンドオーバされることになると判定することだけを必要とし、ハンドオーバが第１のネットワークから第２のネットワークへのボイスサービスのハンドオーバであると判定することを必要としない、換言すれば、端末デバイスの第３のネットワークにおけるＳＭコンテキスト情報を取得する動作をスキップしてよい。
【０２５２】
さらに、第１のネットワーク内のモビリティ管理ネットワーク要素は、ハンドオーバがボイスサービスのハンドオーバであると判定する、換言すれば、第１のネットワークから第２のネットワークへの端末デバイスのボイスサービスのハンドオーバを判定し、したがって、端末デバイスの第３のネットワークにおけるＳＭコンテキスト情報を取得する動作をスキップしてもよい。
【０２５３】
別の任意選択の実施形態では、第１のネットワーク内のモビリティ管理ネットワーク要素は、第１のネットワークから第２のネットワークへの端末デバイスの非ボイスサービスのハンドオーバがサポートされるかどうか判定し、第１のネットワークから第２のネットワークへの端末デバイスの非ボイスサービスのハンドオーバがサポートされない場合、３０２における第１のネットワーク内のセッション管理ネットワーク要素から端末デバイスの第３のネットワークにおけるＳＭコンテキスト情報を取得する動作をスキップし、第１のネットワーク内のセッション管理ネットワーク要素によって返されるＳＭコンテキスト情報を受信しない。第１のネットワークから第２のネットワークへの端末デバイスの非ボイスサービスのハンドオーバがサポートされるかどうかは、端末デバイス、第１のネットワーク内のデバイス、第２のネットワーク内のデバイス、および第３のネットワーク内のデバイスのうちの少なくとも１つまたは複数が、第１のネットワークから第２のネットワークへの端末デバイスの非ボイスサービスのハンドオーバをサポートするかどうかを示し得る。例えば、ＡＭＦネットワーク要素は、５Ｇネットワークから２Ｇ／３Ｇネットワークへの端末デバイスの非ボイスサービスのハンドオーバをサポートするように、端末デバイス、ＡＭＦネットワーク要素、ＭＭＥネットワーク要素、およびＭＳＣネットワーク要素が互いに協働するかどうか判定する。５Ｇネットワークから２Ｇ／３Ｇネットワークへの端末デバイスの非ボイスサービスのハンドオーバがサポートされる場合、ＡＭＦネットワーク要素は、ＳＭコンテキスト要求をＳＭＦネットワーク要素に送信し、ＳＭコンテキスト要求は、第３の情報を搬送し得、５Ｇネットワークから２Ｇ／３Ｇネットワークへの端末デバイスの非ボイスサービスのハンドオーバがサポートされない場合、ＡＭＦネットワーク要素は、ＳＭコンテキスト要求を送信する動作をスキップする。さらに、第１のネットワークから第２のネットワークへの端末デバイスの非ボイスサービスのハンドオーバがサポートされるかどうかは、第１のネットワークから第２のネットワークへの非ボイスサービスのハンドオーバの実行が第１のネットワークから第２のネットワークへ端末デバイスのボイスサービスをハンドオーバするプロセスにおいてサポートされるかどうかを意味し得る。例えば、ＡＭＦネットワーク要素は、５Ｇネットワークから２Ｇ／３Ｇネットワークへの端末デバイスのボイスサービスをハンドオーバするプロセスにおいて２Ｇ／３Ｇネットワークへの端末デバイスの非ボイスサービスのハンドオーバの実行をサポートするように、端末デバイス、ＡＭＦネットワーク要素、ＭＭＥネットワーク要素、およびＭＳＣネットワーク要素が互いに協働するかどうか判定する。
【０２５４】
それに応じて、第１のネットワーク内のセッション管理ネットワーク要素は、ＳＭコンテキスト情報を送信する動作をスキップし得る。詳細は下記に記載されている。
【０２５５】
任意選択の実施形態では、第１のネットワーク内のセッション管理ネットワーク要素は、第３の情報が受信されたかどうかに応じて、ハンドオーバが第１のネットワークから第２のネットワークへの端末デバイスのボイスサービスのハンドオーバであるかどうか判定し得、第２のネットワークは、ＣＳボイスサービスをサポートするネットワークである。ハンドオーバが第１のネットワークから第２のネットワークへの端末デバイスのボイスサービスのハンドオーバである場合、第１のネットワーク内のセッション管理ネットワーク要素は、ＳＭコンテキスト情報を第１のネットワーク内のセッション管理ネットワーク要素に送信する動作をスキップしてもよく、換言すれば、第１のネットワーク内のセッション管理ネットワーク要素は、ＳＭコンテキスト情報を第１のネットワーク内のモビリティ管理ネットワーク要素に送らず、または、第１のネットワーク内のセッション管理ネットワーク要素は、第１のネットワーク内のモビリティ管理ネットワーク要素に、ＳＭコンテキスト情報なしのメッセージを送信する。例えば、ＳＭＦネットワーク要素は、ＳＭコンテキスト要求またはＳＭコンテキストサービス呼出し要求を受信し、ＳＭコンテキスト要求またはＳＭコンテキストサービス呼出し要求が第３の情報を搬送している場合、ＳＭＦネットワーク要素は、ＳＭコンテキスト情報をＡＭＦネットワーク要素に送らず、またはＡＭＦネットワーク要素にＳＭコンテキスト情報なしのメッセージを送信する。
【０２５６】
別の任意選択の実施形態では、第１のネットワーク内のセッション管理ネットワーク要素は、第１のネットワークから第２のネットワークへの端末デバイスの非ボイスサービスのハンドオーバがサポートされるかどうか判定し得、第１のネットワークから第２のネットワークへの端末デバイスの非ボイスサービスのハンドオーバがサポートされない場合、ＳＭコンテキスト情報を第１のネットワーク内のモビリティ管理ネットワーク要素に送信する動作をスキップしてもよく、第１のネットワークから第２のネットワークへの端末デバイスの非ボイスサービスのハンドオーバがサポートされる場合、ＳＭコンテキスト情報を第１のネットワーク内のモビリティ管理ネットワーク要素に送信し、ＳＭコンテキスト情報は、非ボイスサービスのＳＭコンテキスト情報を含む。さらに、第１のネットワークから第２のネットワークへの端末デバイスの非ボイスサービスのハンドオーバがサポートされるかどうか判定することは、さらに具体的には、第１のネットワークから第２のネットワークへの非ボイスサービスのハンドオーバの実行が第１のネットワークから第２のネットワークへ端末デバイスのボイスサービスをハンドオーバするプロセスにおいてサポートされるかどうか判定することであってよい。さらに、第１のネットワークから第２のネットワークへの端末デバイスの非ボイスサービスのハンドオーバがサポートされるかどうかは、端末デバイス、第１のネットワーク内のデバイス、第２のネットワーク内のデバイス、および第３のネットワーク内のデバイスのうちの少なくとも１つまたは複数が第１のネットワークから第２のネットワークへの端末デバイスの非ボイスサービスのハンドオーバをサポートするかどうかを示し得る。例えば、ＳＭＦネットワーク要素は、５Ｇネットワークから２Ｇ／３Ｇネットワークへの端末デバイスの非ボイスサービスのハンドオーバをサポートするように、端末デバイス、ＡＭＦネットワーク要素、ＭＭＥネットワーク要素、およびＭＳＣネットワーク要素が互いに協働するかどうか判定し、５Ｇネットワークから２Ｇ／３Ｇネットワークへの端末デバイスの非ボイスサービスのハンドオーバがサポートされる場合、ＳＭコンテキスト情報をＡＭＦネットワーク要素に送信し、５Ｇネットワークから２Ｇ／３Ｇネットワークへの端末デバイスの非ボイスサービスのハンドオーバがサポートされない場合、ＳＭコンテキスト情報を送信する動作をスキップする。
【０２５７】
端末デバイスが第１のネットワークから第２のネットワークへのハンドオーバのプロセスにおいて非ボイスサービスの同期ハンドオーバをサポートしない場合、非ボイスサービスのＳＭコンテキスト情報は、第２のネットワークにハンドオーバされることが可能でない。第１のネットワークから第２のネットワークへの端末デバイスによって実施される登録エリア更新手順の実行がサポートされない場合、非ボイスサービスのＳＭコンテキスト情報は、第２のネットワークに転送されることが可能でない。したがって、本願のこの実施形態では、第１のネットワークのネットワークリソースの占有を解放するために、非ボイスサービスのＳＭコンテキスト情報の使用可能性に基づいて、非ボイスサービスのＳＭコンテキスト情報に対して消去動作または中断動作が実施されてもよい。以下は、一実施形態を使用することによって説明を提供する。
【０２５８】
図４を参照すると、本願の一実施形態は、ボイスサービスのネットワークハンドオーバ方法の別の方法実施形態を提供する。この実施形態は、図１に示されているワイヤレス通信システムに特に適用され得る。
【０２５９】
この実施形態は、以下のステップを含む。
【０２６０】
４０１．第１のネットワーク内のアクセスネットワークデバイスが、第１のネットワーク内のモビリティ管理ネットワーク要素に第１の情報を送信し、それに応じて、第１のネットワーク内のモビリティ管理ネットワーク要素は、第１のネットワーク内のアクセスネットワークデバイスから第１の情報を受信し、第１の情報は、第１のネットワークから第２のネットワークへの端末デバイスのハンドオーバを示すために使用される。
【０２６１】
４０１の関連の内容については、図２に対応する実施形態における２０１の説明を参照されたい。詳細は、本明細書には再度記載されていない。
【０２６２】
４０２．第１のネットワーク内のモビリティ管理ネットワーク要素は、第１の情報に基づいて第１のネットワーク内のセッション管理ネットワーク要素に第３の情報を送信する。
【０２６３】
第３の情報は、第１のネットワークから第２のネットワークへの端末デバイスのハンドオーバを示すために使用される。さらに、第３の情報は、ボイスサービスのハンドオーバ、すなわち、第１のネットワークから第２のネットワークへの端末デバイスのボイスサービスのハンドオーバを示すために使用される。
【０２６４】
４０３．第１のネットワーク内のセッション管理ネットワーク要素は、第３の情報に基づいて、端末デバイスの第１のネットワークの非ボイスサービスおよび／または端末デバイスの第３のネットワークの非ボイスサービスを中断する。
【０２６５】
端末デバイスの第１のネットワークの非ボイスサービスを中断することは、端末デバイスの第１のネットワークにおける非ボイスサービスのＳＭコンテキスト情報を中断すること、および別の動作を含む。端末デバイスの第１のネットワークにおける非ボイスサービスのＳＭコンテキスト情報を中断する前に、第１のネットワーク内のセッション管理ネットワーク要素は、端末デバイスの第１のネットワークにおけるＳＭコンテキスト情報に対して分離動作をさらに実施し得、分離後取得される端末デバイスの第１のネットワークにおける非ボイスサービスのＳＭコンテキスト情報を取得する。端末デバイスの第３のネットワークの非ボイスサービスを中断することは、端末デバイスの第３のネットワークにおける非ボイスサービスのＳＭコンテキスト情報を中断すること、および別の動作を含む。端末デバイスの第３のネットワークの非ボイスサービスのＳＭコンテキスト情報を中断する前に、第１のネットワーク内のセッション管理ネットワーク要素は、端末デバイスの第３のネットワークにおけるＳＭコンテキスト情報に対して分離動作をさらに実施し得、分離後取得される端末デバイスの第３のネットワークにおける非ボイスサービスのＳＭコンテキスト情報を取得する。
【０２６６】
非ボイスサービスを中断することは、非ボイスサービスのＳＭコンテキストのすべてまたは一部を予約し、消去しないこと、例えば、非ボイスサービスに関連するすべてのサービスフローを予約すること、または、非ボイスサービスに関連する非保証ビットレート（ｎｏｎ−Ｇｕａｒａｎｔｅｅｄ  Ｂｉｔ  Ｒａｔｅ、略して非ＧＢＲ）フローを予約し、非ボイスサービスに関連する保証ビットレート（Ｇｕａｒａｎｔｅｅｄ  Ｂｉｔ  Ｒａｔｅ、略してＧＢＲ）フローを消去することを指す。非ボイスサービスのＳＭコンテキストのすべてまたは一部を予約し、消去しないことに加えて、第１のネットワーク内のモビリティ管理ネットワーク要素は、非ボイスサービスを中断するための手順を完了するために何らかの対応する動作をさらに実施し得ることに留意されたい。例えば、動作は、それだけには限らないが、各中断された非ボイスサービスフローを中断状態に設定すること、中断通知をユーザプレーン機能ネットワーク要素に送信すること、端末デバイスのために第１のネットワークによって確立されたユーザプレーンリソースを解放することをトリガすること、中断通知をポリシーおよび課金機能ネットワーク要素に送信することを含む。中断通知を受信した後、ユーザプレーン機能ネットワーク要素は、中断された非ボイスサービスフローのデータパケットをバッファまたは破棄してよい。中断通知を受信した後、ポリシー課金機能ネットワーク要素は、対応するトラフィック統計収集を実施し、または、サービスサーバがダウンリンク非ボイスサービスのデータパケットを送信することを休止することができるように、対応する非ボイスサービスのサービスサーバに中断通知を送ってもよい。
【０２６７】
任意選択の実施形態では、第１のネットワーク内のセッション管理ネットワーク要素が、端末デバイスの第１のネットワークの非ボイスサービス、および／または端末デバイスの第３のネットワークの非ボイスサービスを中断する前に、第１のネットワーク内のセッション管理ネットワーク要素は、第１のネットワークから第２のネットワークへの端末デバイスの非ボイスサービスのハンドオーバがサポートされるかどうか判定し、第１のネットワークから第２のネットワークへの端末デバイスの非ボイスサービスのハンドオーバがサポートされない場合、端末デバイスの第１のネットワークの非ボイスサービス、および／または端末デバイスの第３のネットワークの非ボイスサービスを中断し、第１のネットワークから第２のネットワークへの端末デバイスの非ボイスサービスのハンドオーバがサポートされる場合、端末デバイスの第１のネットワークの非ボイスサービス、および／または端末デバイスの第３のネットワークの非ボイスサービスを中断することをスキップし得る。さらに、第１のネットワークから第２のネットワークへの端末デバイスの非ボイスサービスのハンドオーバがサポートされるかどうか判定することは、特に、第１のネットワークから第２のネットワークへ端末デバイスのボイスサービスをハンドオーバするプロセスにおいて、第１のネットワークから第２のネットワークへの非ボイスサービスのハンドオーバの実行がサポートされるかどうか判定することであり得る。第１のネットワークから第２のネットワークへの端末デバイスの非ボイスサービスのハンドオーバがサポートされるかどうかは、端末デバイス、第１のネットワーク内のデバイス、第２のネットワーク内のデバイス、および第３のネットワーク内のデバイスのうちの少なくとも１つまたは複数が第１のネットワークから第２のネットワークへの端末デバイスの非ボイスサービスのハンドオーバをサポートするかどうかを示し得る。例えば、ＳＭＦネットワーク要素は、５Ｇネットワークから２Ｇ／３Ｇネットワークへの端末デバイスの非ボイスサービスのハンドオーバをサポートするために、ＵＥ、ＡＭＦネットワーク要素、ＭＭＥネットワーク要素、およびＭＳＣネットワーク要素が互いに協働するかどうか判定する。
【０２６８】
別の任意選択の実施形態では、第１のネットワーク内のセッション管理ネットワーク要素が、端末デバイスの第１のネットワークの非ボイスサービス、および／または端末デバイスの第３のネットワークの非ボイスサービスを中断する前に、第１のネットワーク内のセッション管理ネットワーク要素は、第２のネットワークから第１のネットワークへの端末デバイスの復帰がサポートされるかどうか判定し、第２のネットワークから第１のネットワークへの端末デバイスの復帰がサポートされる場合、端末デバイスの第１のネットワークの非ボイスサービス、および／または端末デバイスの第３のネットワークの非ボイスサービスを中断する。第２のネットワークから第１のネットワークへの端末デバイスの復帰がサポートされるかどうか判定することは、特に、第２のネットワークにおける端末デバイスのボイスサービスが終了した後で、第２のネットワークから第１のネットワークへの端末デバイスの復帰がサポートされるかどうか判定することであり得る。第２のネットワークから第１のネットワークへの端末デバイスの復帰がサポートされるかどうかは、端末デバイス、第１のネットワーク内のデバイス、第２のネットワーク内のデバイス、および第３のネットワーク内のデバイスのうちの少なくとも１つまたは複数が第２のネットワークから第１のネットワークへ復帰することをサポートするかどうかを意味し得る。例えば、ＳＭＦネットワーク要素は、５Ｇネットワークから２Ｇ／３Ｇネットワークへの端末デバイスの復帰をサポートするために、ＵＥ、ＡＭＦネットワーク要素、ＭＭＥネットワーク要素、およびＭＳＣネットワーク要素が互いに協働するかどうか判定する。
【０２６９】
４０４．第１のネットワーク内のモビリティ管理ネットワーク要素は、第１の情報に基づいて第３のネットワーク内のモビリティ管理ネットワーク要素に第２の情報を送信し、それに応じて、第３のネットワーク内のモビリティ管理ネットワーク要素は、第１のネットワーク内のモビリティ管理ネットワーク要素から第２の情報を受信し、第２の情報は、第３のネットワーク内のモビリティ管理ネットワーク要素に、ハンドオーバ要求を第２のネットワーク内のモバイル交換ネットワーク要素に送信するように命令するために使用される。
【０２７０】
４０５．第３のネットワーク内のモビリティ管理ネットワーク要素は、第２の情報に基づいて第２のネットワーク内のモバイル交換ネットワーク要素にハンドオーバ要求を送信する。
【０２７１】
４０６．第２のネットワーク内のモバイル交換ネットワーク要素は、第３のネットワーク内のモビリティ管理ネットワーク要素によって送信されたハンドオーバ要求を受信し、ハンドオーバ要求に基づいて第２のネットワークに端末デバイスのボイスサービスをハンドオーバする。
【０２７２】
ボイスサービスのハンドオーバが完了した後、第２のネットワーク内のモバイル交換ネットワーク要素は、第３のネットワーク内のモビリティ管理ネットワーク要素に第１のハンドオーバ完了情報を送信し得、第３のネットワーク内のモビリティ管理ネットワーク要素は、第１のハンドオーバ完了情報を受信した後、第１のネットワーク内のモビリティ管理ネットワーク要素に第２のハンドオーバ完了情報を送信し得る。
【０２７３】
４０４、４０５、および４０６の関連の内容については、図２に対応する実施形態における２０２、２０３、および２０４の説明を参照されたい。詳細は、本明細書には再度記載されていない。４０２および４０４を実施する順序は限定されない。例えば、４０２は、４０４の前に実施されてもよく、または４０４は、４０２の前に実施されてもよい。
【０２７４】
４０７．第１のネットワークから第２のネットワークへの端末デバイスのハンドオーバが完了した後、第１のネットワーク内のセッション管理ネットワーク要素は、第１のネットワーク内のセッション管理ネットワーク要素におけるＳＭコンテキスト情報を消去および／または中断する。詳細は下記に記載されている。
【０２７５】
第１の場合には、第１のネットワーク内のモビリティ管理ネットワーク要素は、第１のネットワーク内のセッション管理ネットワーク要素にＳＭコンテキスト情報を消去するように命令する。
【０２７６】
具体的には、第１のネットワークから第２のネットワークへの端末デバイスのハンドオーバが完了したと判定した後、第１のネットワーク内のモビリティ管理ネットワーク要素は、第１のネットワーク内のセッション管理ネットワーク要素にセッション消去要求を送信し、セッション消去要求は、第１のネットワーク内のセッション管理ネットワーク要素に、端末デバイスの第１のネットワークのセッションおよび／または端末デバイスの第３のネットワークのセッションを消去するように要求するために使用される。第１のネットワーク内のセッション管理ネットワーク要素は、セッション消去要求に基づいて、端末デバイスの第１のネットワークのセッションおよび／または端末デバイスの第３のネットワークのセッションを消去する。例えば、２Ｇ／３Ｇネットワークへの端末デバイスのハンドオーバが完了したと判定した後、ＡＭＦネットワーク要素は、プロトコルデータユニットＰＤＵ（英語：Ｐｒｏｔｏｃｏｌ  Ｄａｔａ  Ｕｎｉｔ、略してＰＤＵ）セッション解放（英語：ｓｅｓｓｉｏｎ  ｒｅｌｅａｓｅ）メッセージをＳＭＦネットワーク要素に送信し、または、ＳＭＦネットワーク要素からセッション消去／更新サービスを呼出し、端末デバイスの５ＧＰＤＵセッションおよび／もしくは４Ｇネットワークのパケットデータネットワーク（英語：ｐａｃｋｅｔ−ｓｗｉｔｃｈｅｄ  ｄａｔａ  ｎｅｔｗｏｒｋ、略してＰＤＮ）セッションを消去するようにＳＭＦネットワーク要素をトリガする。ＳＭＦネットワーク要素は、ＰＤＵセッション解放メッセージに基づいて、またはＳＭＦネットワーク要素からセッション消去／更新サービスを呼出すことによって、端末デバイスの５Ｇ  ＳＭコンテキスト情報および／または４Ｇ  ＳＭコンテキスト情報を消去する。本明細書では、第１のネットワーク内のセッション管理ネットワーク要素が端末デバイスに関連するＳＭコンテキスト情報を消去することは、単にセッション消去手順のいくつかの動作であり、ＳＭＦは、セッション消去手順を完了するための別の動作、例えば、ＵＥに割り当てられたＩＰアドレスを解放すること、対応するユーザプレーンリソースを消去するように命令すること、およびセッション解放が完了したかどうかＡＭＦネットワーク要素に通知することを実施することをさらに必要とし得ることに留意されたい。これは、本明細書で限定されない。設計では、第１のネットワーク内のモビリティ管理ネットワーク要素は、第３のネットワーク内のモビリティ管理ネットワーク要素から受信された第２のハンドオーバ完了情報に基づいて、第１のネットワークから第２のネットワークへの端末デバイスのハンドオーバが完了したと判定し得る。例えば、ＡＭＦは、ＭＭＥネットワーク要素から受信されたリロケーション完了メッセージに基づいて、５Ｇネットワークから２Ｇ／３Ｇネットワークへの端末デバイスのハンドオーバが完了したと判定し得る。
【０２７７】
別の設計では、第１のネットワーク内のモビリティ管理ネットワーク要素が第１のネットワーク内のセッション管理ネットワーク要素にセッション消去要求を送信するとき、セッション消去要求は、なぜセッションが消去されるか理由についての情報をさらに搬送し得、この原因情報は、第１のネットワーク内のセッション管理ネットワーク要素に、なぜ端末デバイスのセッションが消去されるか特定の理由を示すために使用される。例えば、原因情報は、それだけには限らないが第１のネットワークから第２のネットワークへの端末デバイスのハンドオーバが完了したことを示す情報、または第１のネットワークから第２のネットワークへの端末デバイスのハンドオーバを示す情報を含み得る。第１のネットワークから第２のネットワークへの端末デバイスのハンドオーバが完了したことを示す情報は、第１のネットワークから第２のネットワークへの端末デバイスのボイスサービスのハンドオーバが完了したことを示す情報を含み得、第１のネットワークから第２のネットワークへの端末デバイスのハンドオーバを示す情報は、ボイスサービスなどにより第１のネットワークから第２のネットワークへの端末デバイスのハンドオーバを示す情報を含み得る。第１のネットワーク内のセッション管理ネットワーク要素によるセッション消去要求内の原因情報に基づく端末デバイスのセッションを消去する動作についての情報については、前述の説明を参照されたい。
【０２７８】
第２の場合には、第１のネットワーク内のモビリティ管理ネットワーク要素は、第１のネットワーク内のセッション管理ネットワーク要素に、ハンドオーバが完了したことを示す第４の情報を送信し、第１のネットワーク内のセッション管理ネットワーク要素は、第４の情報に基づいてＳＭコンテキスト情報を消去する。
【０２７９】
第１のネットワーク内のモビリティ管理ネットワーク要素は、第１のネットワーク内のセッション管理ネットワーク要素に第４の情報を送信し、第４の情報は、第１のネットワークから第２のネットワークへの端末デバイスのハンドオーバが完了したことを示すために使用される。第４の情報は、さらに具体的には、第１のネットワークから第２のネットワークへの端末デバイスのボイスサービスのハンドオーバが完了したことを示すために使用される。第４の情報を受信した後、第４の情報に基づいて第１のネットワークから第２のネットワークへの端末デバイスのハンドオーバが完了したと判定した後で、第１のネットワーク内のセッション管理ネットワーク要素は、端末デバイスの第１のネットワークにおけるＳＭコンテキスト情報および／または第３のネットワークにおけるＳＭコンテキスト情報を消去する。端末デバイスの第１のネットワークにおけるＳＭコンテキスト情報を消去することは、端末デバイスの第１のネットワークにおけるボイスサービスのＳＭコンテキスト情報、および／または端末デバイスの第１のネットワークにおける非ボイスサービスのＳＭコンテキスト情報を消去することを含む。端末デバイスの第３のネットワークにおけるＳＭコンテキスト情報を消去することは、端末デバイスの第３のネットワークにおけるボイスサービスのＳＭコンテキスト情報、および／または端末デバイスの第３のネットワークにおける非ボイスサービスのＳＭコンテキスト情報を消去することを含む。端末デバイスの第１のネットワークにおけるＳＭコンテキスト情報を消去する前に、第１のネットワーク内のセッション管理ネットワーク要素は、第３の情報または第４の情報に基づいて端末デバイスの第１のネットワークにおけるＳＭコンテキスト情報に対して分離動作をさらに実施し得、分離後取得される端末デバイスの第１のネットワークにおけるボイスサービスのＳＭコンテキスト情報および／または非ボイスサービスにおけるＳＭコンテキスト情報を取得する。端末デバイスの第３のネットワークにおけるＳＭコンテキスト情報を消去する前に、第３のネットワーク内のセッション管理ネットワーク要素は、第３の情報または第４の情報に基づいて端末デバイスの第３のネットワークにおけるＳＭコンテキスト情報に対して分離動作をさらに実施し得、分離後取得される端末デバイスの第３のネットワークにおけるボイスサービスのＳＭコンテキスト情報および／または非ボイスサービスのＳＭコンテキスト情報を取得する。
【０２８０】
任意選択の実施形態では、端末デバイスの第１のネットワークにおける非ボイスサービスのＳＭコンテキスト情報、および／または端末デバイスの第３のネットワークにおける非ボイスサービスのＳＭコンテキスト情報を消去する前に、第１のネットワーク内のセッション管理ネットワーク要素は、第１のネットワークから第２のネットワークへの端末デバイスの非ボイスサービスのハンドオーバがサポートされるかどうかさらに判定し、第１のネットワークから第２のネットワークへの端末デバイスの非ボイスサービスのハンドオーバがサポートされない場合、消去動作を実施し、第１のネットワークから第２のネットワークへの端末デバイスの非ボイスサービスのハンドオーバがサポートされる場合、消去動作をスキップし得る。さらに、第１のネットワークから第２のネットワークへの端末デバイスの非ボイスサービスのハンドオーバがサポートされるかどうか判定することは、さらに具体的には、第１のネットワークから第２のネットワークへの非ボイスサービスのハンドオーバの実行が第１のネットワークから第２のネットワークへ端末デバイスのボイスサービスをハンドオーバするプロセスにおいてサポートされるかどうか判定することであり得る。第１のネットワークから第２のネットワークへの端末デバイスの非ボイスサービスのハンドオーバがサポートされるかどうかは、端末デバイス、第１のネットワーク内のデバイス、第２のネットワーク内のデバイス、および第３のネットワーク内のデバイスのうちの少なくとも１つまたは複数が第１のネットワークから第２のネットワークへの端末デバイスの非ボイスサービスのハンドオーバをサポートするかどうか示し得る。例えば、ＳＭＦネットワーク要素は、５Ｇネットワークから２Ｇ／３Ｇネットワークへの端末デバイスの非ボイスサービスのハンドオーバをサポートするように、端末デバイス、ＡＭＦネットワーク要素、ＭＭＥネットワーク要素、およびＭＳＣネットワーク要素が互いに協働するかどうか判定する。
【０２８１】
別の任意選択の実施形態では、端末デバイスの第１のネットワークにおける非ボイスサービスのＳＭコンテキスト情報、および／または端末デバイスの第３のネットワークにおける非ボイスサービスのＳＭコンテキスト情報を消去する前に、第１のネットワーク内のセッション管理ネットワーク要素は、第２のネットワークから第１のネットワークへの端末デバイスの復帰がサポートされるかどうかさらに判定し、第２のネットワークから第１のネットワークへの端末デバイスの復帰がサポートされない場合、消去動作を実施し、第２のネットワークから第１のネットワークへの端末デバイスの復帰がサポートされる場合、消去動作をスキップし得る。第２のネットワークから第１のネットワークへの端末デバイスの復帰がサポートされるかどうか判定することは、さらに具体的には、第２のネットワークから第１のネットワークへの端末デバイスの復帰が第２のネットワークにおける端末デバイスのボイスサービスが終了した後、サポートされるかどうか判定することであり得る。第２のネットワークから第１のネットワークへの端末デバイスの復帰がサポートされるかどうかは端末デバイス、第１のネットワーク内のデバイス、第２のネットワーク内のデバイス、および第３のネットワーク内のデバイスのうちの少なくとも１つまたは複数が第２のネットワークから第１のネットワークへの端末デバイスの復帰をサポートするかどうかを意味し得る。例えば、ＳＭＦネットワーク要素は、第２のネットワークから第１のネットワークへの端末デバイスの復帰をサポートするように、端末デバイス、ＡＭＦネットワーク要素、ＭＭＥネットワーク要素、およびＭＳＣネットワーク要素が互いに協働するかどうか判定する。
【０２８２】
第３の場合には、第１のネットワーク内のモビリティ管理ネットワーク要素は、第１のネットワーク内のセッション管理ネットワーク要素に、ハンドオーバが完了したことを示す第４の情報を送信し、第１のネットワーク内のセッション管理ネットワーク要素は、第４の情報に基づいて端末デバイスの非ボイスサービスを中断する。
【０２８３】
第１のネットワーク内のモビリティ管理ネットワーク要素は、第１のネットワーク内のセッション管理ネットワーク要素に第４の情報を送信し、第４の情報は、第１のネットワークから第２のネットワークへの端末デバイスのハンドオーバが完了したことを示すために使用される。第４の情報は、さらに具体的には、第１のネットワークから第２のネットワークへの端末デバイスのボイスサービスのハンドオーバが完了したことを示すために使用される。第１のネットワーク内のセッション管理ネットワーク要素は、第４の情報を受信した後、第１のネットワークの非ボイスサービスおよび／または第３のネットワーク端末デバイスの非ボイスサービスを中断する。
【０２８４】
端末デバイスの第１のネットワークの非ボイスサービスを中断することは、端末デバイスの第１のネットワークにおける非ボイスサービスのＳＭコンテキスト情報を中断すること、および別の動作を含む。第１のネットワークにおける非ボイスサービスのＳＭコンテキスト情報を中断する前に、第１のネットワーク内のセッション管理ネットワーク要素は、第３の情報または第４の情報に基づいて端末デバイスの第１のネットワークにおけるＳＭコンテキスト情報に対して分離動作をさらに実施し、分離後取得される端末デバイスの第１のネットワークにおける非ボイスサービスのＳＭコンテキスト情報を取得し得る。端末デバイスの第３のネットワークの非ボイスサービスを中断することは、端末デバイスの第３のネットワークにおける非ボイスサービスのＳＭコンテキスト情報を中断すること、および別の動作を含む。第３のネットワークにおける非ボイスサービスのＳＭコンテキスト情報を中断する前に、第３のネットワーク内のセッション管理ネットワーク要素は、第３の情報または第４の情報に基づいて端末デバイスの第３のネットワークにおけるＳＭコンテキスト情報に対して分離動作をさらに実施し、分離後取得される端末デバイスの第３のネットワークにおける非ボイスサービスのＳＭコンテキスト情報を取得し得る。
【０２８５】
非ボイスサービスを中断することは、非ボイスサービスのＳＭコンテキストのすべてまたは一部を予約し、消去しないこと、例えば、非ボイスサービスに関連するすべてのサービスフローを予約すること、または非ボイスサービスに関連する非ＧＢＲフローを予約し、非ボイスサービスに関連するＧＢＲフローを消去することを指す。非ボイスサービスのＳＭコンテキストのすべてまたは一部を予約し、消去しないことに加えて、第１のネットワーク内のモビリティ管理ネットワーク要素は、非ボイスサービスを中断するための手順を完了するために何らかの対応する動作をさらに実施し得ることに留意されたい。例えば、動作は、それだけには限らないが、各中断された非ボイスサービスフローを中断状態に設定すること、中断通知をユーザプレーン機能ネットワーク要素に送信すること、端末デバイスのために第１のネットワークによって確立されたユーザプレーンリソースを解放することをトリガすること、および中断通知をポリシーおよび課金機能ネットワーク要素に送信することを含む。中断通知を受信した後、ユーザプレーン機能ネットワーク要素は、中断された非ボイスフローのデータパケットをバッファまたは破棄してよい。中断通知を受信した後、ポリシー課金機能ネットワーク要素は、対応するトラフィック統計収集を実施し、または、サービスサーバがダウンリンク非ボイスサービスのデータパケットを送信することを休止することができるように、対応する非ボイスサービスのサービスサーバに中断通知を送信してもよい。
【０２８６】
任意選択の実施形態では、第１のネットワーク内のセッション管理ネットワーク要素が、端末デバイスの第１のネットワークの非ボイスサービス、および／または端末デバイスの第３のネットワークの非ボイスサービスを中断する前に、第１のネットワーク内のセッション管理ネットワーク要素は、第１のネットワークから第２のネットワークへの端末デバイスの非ボイスサービスのハンドオーバがサポートされるかどうか判定し、第１のネットワークから第２のネットワークへの端末デバイスの非ボイスサービスのハンドオーバがサポートされない場合、端末デバイスの第１のネットワークの非ボイスサービス、および／または端末デバイスの第３のネットワークの非ボイスサービスを中断し、第１のネットワークから第２のネットワークへの端末デバイスの非ボイスサービスのハンドオーバがサポートされる場合、端末デバイスの第１のネットワークの非ボイスサービス、および／または端末デバイスの第３のネットワークの非ボイスサービスを中断することをスキップする。ハンドオーバをサポートすることの特定の意味については、４０３における関連の説明を参照されたい。詳細は、本明細書には再度記載されていない。
【０２８７】
別の任意選択の実施形態では、第１のネットワーク内のセッション管理ネットワーク要素が、端末デバイスの第１のネットワークの非ボイスサービス、および／または端末デバイスの第３のネットワークの非ボイスサービスを中断する前に、第１のネットワーク内のセッション管理ネットワーク要素は、第２のネットワークから第１のネットワークへの端末デバイスの復帰がサポートされるかどうか判定し、第２のネットワークから第１のネットワークへの端末デバイスの復帰がサポートされる場合、端末デバイスの第１のネットワークの非ボイスサービス、および／または端末デバイスの第３のネットワークの非ボイスサービスを中断する。復帰をサポートすることの特定の意味については、４０３における関連の説明を参照されたい。詳細は、本明細書には再度記載されていない。
【０２８８】
４０７の１つまたは複数の場合は、共に生じ得ることに留意されたい。例えば、第１のネットワーク内のセッション管理ネットワーク要素は、第４の情報を受信する。第２の場合および第３の場合を参照すると、第１のネットワーク内のセッション管理ネットワーク要素は、端末デバイスの非ボイスサービスを中断し、端末デバイスのボイスサービスのＳＭコンテキスト情報を消去する。
【０２８９】
任意選択の実施形態では、端末デバイスのボイスサービスハンドオーバを実施するとき、第２のネットワーク内のモバイル交換ネットワーク要素は、端末デバイスの第２のネットワークに対応するセキュリティコンテキスト情報を使用することをさらに必要とする。したがって、第１のネットワーク内のモビリティ管理ネットワーク要素は、端末デバイスの第１のネットワークのセキュリティコンテキスト情報を取得し、第１のネットワークのセキュリティコンテキスト情報に基づいて第３のネットワーク端末デバイスのセキュリティコンテキスト情報を取得し得る。第１のネットワーク内のモビリティ管理ネットワーク要素は、第３のネットワークのセキュリティコンテキスト情報を第３のネットワーク内のモビリティ管理ネットワーク要素に送信し、例えば、第３のネットワークのセキュリティコンテキスト情報をリロケーション要求メッセージ内で搬送する。第３のネットワーク内のモビリティ管理ネットワーク要素は、第３のセキュリティネットワークのセキュリティコンテキスト情報に基づいて端末デバイスの第２のネットワークのセキュリティコンテキスト情報を取得し、第２のネットワークのセキュリティコンテキスト情報を第２のネットワーク内のモバイル交換ネットワーク要素に送信する。したがって、ボイスサービスハンドオーバを実施する前に、第２のネットワーク内のモバイル交換ネットワーク要素は、受信された第２のネットワークのセキュリティコンテキスト情報に基づいて端末デバイスに対してセキュリティ認証および許可に関連する手順を実施する。別の可能な設計では、第１のネットワーク内のモビリティ管理ネットワーク要素は、端末デバイスの第１のネットワークのセキュリティコンテキスト情報をさらに取得し、第１のネットワークのセキュリティコンテキスト情報に基づいて端末デバイスの第２のネットワークのセキュリティコンテキスト情報を取得し得る。第１のネットワーク内のモビリティ管理ネットワーク要素は、第２のネットワークのセキュリティコンテキスト情報を第３のネットワーク内のモビリティ管理ネットワーク要素に送信し、例えば、第２のネットワークのセキュリティコンテキスト情報をリロケーション要求メッセージ内で搬送する。第３のネットワーク内のモビリティ管理ネットワーク要素は、第２のネットワークのセキュリティコンテキスト情報を第２のネットワーク内のモバイル交換ネットワーク要素に転送する。したがって、ボイスサービスハンドオーバを実施する前に、第２のネットワーク内のモバイル交換ネットワーク要素は、受信された第２のネットワークのセキュリティコンテキスト情報に基づいて端末デバイスに対してセキュリティ認証および許可に関連する手順を実施する。例えば、図１に示されているワイヤレス通信システムでは、ハンドオーバ要求メッセージを受信した後、ＡＭＦネットワーク要素は、ＡＭＦネットワーク要素によって記憶されている端末デバイスの５Ｇネットワークのセキュリティコンテキスト情報を取得し、５Ｇネットワークのセキュリティコンテキスト情報に基づいて端末デバイスの４Ｇネットワークのセキュリティコンテキスト情報を導出し、４Ｇネットワークのセキュリティコンテキスト情報をリロケーション要求メッセージに追加し、リロケーション要求メッセージをＭＭＥネットワーク要素に送信し、ＭＭＥネットワーク要素は、端末デバイスの４Ｇネットワークのセキュリティコンテキスト情報に基づいて端末デバイスの２Ｇ／３Ｇネットワークのセキュリティコンテキスト情報を導出し、端末デバイスの２Ｇ／３Ｇネットワークのセキュリティコンテキスト情報をパケット交換−回線交換要求に追加し、その要求をＭＳＣネットワーク要素に送信し、ＭＳＣネットワーク要素は、ＵＥに対して、ＵＥの２Ｇ／３Ｇネットワークのセキュリティコンテキスト情報に従ってセキュリティ認証および許可に関連するプロセスを実施する。別の例では、ＡＭＦネットワーク要素は、５Ｇネットワークのセキュリティコンテキスト情報に基づいて端末デバイスの２Ｇ／３Ｇネットワークのセキュリティコンテキスト情報を導出し、２Ｇ／３Ｇネットワークのセキュリティコンテキスト情報をリロケーション要求メッセージに追加し、リロケーション要求メッセージをＭＭＥネットワーク要素に送信し、ＭＭＥネットワーク要素は、セキュリティコンテキスト情報を導出することを必要とせず、その代わりに、２Ｇ／３Ｇネットワークのセキュリティコンテキスト情報は、パケット交換−回線交換要求内で搬送され、ＭＳＣネットワーク要素に送信される。
【０２９０】
任意選択の実施形態では、第１のネットワーク内のアクセスネットワークデバイスによって、第１のネットワーク内のモビリティ管理ネットワーク要素に第１の情報を送信する前に、方法は、アクセスネットワークデバイスによって、第１のネットワークから第２のネットワークへ端末デバイスのボイスサービスをハンドオーバするための実行可能性があるかどうか判定することと、ある場合、第１のネットワーク内のモビリティ管理ネットワーク要素に第１の情報を送信すること、または、ない場合、第１のネットワーク内のモビリティ管理ネットワーク要素に第１の情報を送信することをスキップすることとをさらに含む。
【０２９１】
可能な設計では、第１のネットワーク内のアクセスネットワークデバイスは、ハンドオーバ実行可能性インジケーション情報が取得されたかどうかに基づいて、第１のネットワークから第２のネットワークへ端末デバイスのボイスサービスをハンドオーバする実行可能性が存在するかどうか判定し得、ハンドオーバ実行可能性インジケーション情報は、第１のネットワークから第２のネットワークへの端末デバイスのボイスサービスのハンドオーバが実行可能であることを示すために使用される。第１のネットワーク内のアクセスネットワークデバイスは、ハンドオーバ実行可能性インジケーション情報が第１のネットワーク内のモビリティ管理ネットワーク要素から取得されたかどうかに従って実行可能性を判定し得る。あるいは、ハンドオーバ実行可能性インジケーション情報は、ハンドオーバ実行可能性インジケーション情報が第１のネットワーク内のモビリティ管理ネットワーク要素から取得されたとき第１のネットワーク内のアクセスネットワークデバイスに記憶され、実行可能性は、ハンドオーバ実行可能性インジケーション情報が第１のネットワーク内のアクセスネットワークデバイスからローカルに取得されたかどうかに基づいて判定されてもよい。
【０２９２】
以下は、ハンドオーバ実行可能性インジケーション情報を取得する方式について記載している。
【０２９３】
第１の能力情報は、ボイスサービス実行プロセスにおいて第１のネットワークから第２のネットワークへ端末デバイスをハンドオーバする能力情報を含み、ボイスサービス実行プロセスにおいて、端末デバイスが第１のネットワークから第２のネットワークへのハンドオーバをサポートするかどうかを示す能力情報、および／またはボイスサービス実行プロセスにおいて端末デバイスが第１のネットワークから第２のネットワークへハンドオーバされるサービスをサブスクライブするかどうかを示す情報、例えば、加入情報がＣ−ＭＳＩＳＤＮおよびＳＴＮ−ＳＲについての情報を含むかどうかの端末デバイスのＳＲＶＣＣ能力情報を特に含み得る。第２の能力情報は、第１のネットワーク内のアクセスネットワークデバイスによって、第１のネットワークから第２のネットワークへ端末デバイスをハンドオーバする能力情報を含み、第１のネットワーク内のアクセスネットワークデバイスによって、ボイスサービス実行プロセスにおいて第１のネットワークから第２のネットワークへ端末デバイスをハンドオーバする能力情報、例えば、ＮＧ  ＲＡＮデバイスのＳＲＶＣＣ能力情報を特に含み得る。第３の能力情報は、第１のネットワーク内のコアネットワークデバイスが端末デバイスを第１のネットワークから第２のネットワークへ切り替えることを示す能力情報を含み、第１のネットワーク内のコアネットワークデバイスが、ボイスサービス実行プロセスにおいて端末デバイスを第１のネットワークから第２のネットワークへ切り替えることを示す能力情報、例えば、ＡＭＦネットワーク要素およびＳＭＦネットワーク要素のＳＲＶＣＣ能力情報、ならびに第１のネットワークと第２のネットワークまたは第３のネットワークとの間に相互動作インタフェースがあるかどうかについての情報を特に含み得る。端末デバイスは、非アクセスストラタム（英語：ｎｏｎ−ａｃｃｅｓｓ  ｓｔｒａｔｕｍ、略してＮＡＳ）メッセージ、例えば、サービス要求（英語：ｓｅｒｖｉｃｅ  ｒｅｑｕｅｓｔ）メッセージ、または登録要求メッセージを第１のネットワーク内のモビリティ管理ネットワーク要素に送信する。非アクセスストラタムメッセージは、第１の能力情報を搬送し得、非アクセスストラタムメッセージは、第１のネットワーク内のアクセスネットワークデバイスによって第１のネットワーク内のモビリティ管理ネットワーク要素にトランスペアレントに送信され得る。第１のネットワーク内のアクセスネットワークデバイスが非アクセスストラタムメッセージをトランスペアレントに送信する、または、別のメッセージを送信するとき、エアインタフェースから取得された第１の能力情報および／または第２の能力情報もまた、第１のネットワーク内のモビリティ管理ネットワーク要素に送信され得る。第１のネットワーク内のモビリティ管理ネットワーク要素は、モビリティ管理ネットワーク要素の構成に従って別のネットワーク要素から第３の能力情報を取得してもよい。
【０２９４】
以下は、特定の例を使用することによって説明を提供する。
【０２９５】
第１のネットワーク内のモビリティ管理ネットワーク要素は、第１の能力情報、第２の能力情報、および第３の能力情報のうちの少なくとも１つに基づいて、第１のネットワークから第２のネットワークへ端末デバイスのボイスサービスをハンドオーバする実行可能性が存在するかどうか判定し、第１のネットワークから第２のネットワークへ端末デバイスのボイスサービスをハンドオーバする実行可能性が存在する場合、ハンドオーバ実行可能性インジケーション情報を生成し、ハンドオーバ実行可能性インジケーション情報を第１のネットワークアクセスネットワークデバイスに送信し得る。
【０２９６】
端末デバイスは、エアインタフェースメッセージをＮＧ  ＲＡＮデバイスに送信し、エアインタフェースメッセージは、サービス要求メッセージを搬送し、サービス要求メッセージは、端末デバイスをアイドル状態（ＣＭ−ＩＤＬＥ）から接続状態（ＣＭ−ＣＯＮＮＥＣＴＥＤ）に変更するために使用され、サービス要求メッセージは、端末デバイスのＳＲＶＣＣ能力情報を搬送し得る。ＮＧ  ＲＡＮデバイスは、エアインタフェースメッセージからサービス要求メッセージを取得し、Ｎ２インタフェースメッセージをＡＭＦネットワーク要素に送信する。Ｎ２インタフェースメッセージは、サービス要求メッセージを搬送する。ＮＧ  ＲＡＮデバイスは、サービス要求メッセージのメッセージ内容をパースしない。ＮＧ  ＲＡＮデバイスによってＡＭＦネットワーク要素に送信されたＮ２インタフェースメッセージは、エアインタフェースからＮＧ  ＲＡＮデバイスによって取得される端末デバイスのＳＲＶＣＣ能力、および／またはＮＧ  ＲＡＮデバイスのＳＲＶＣＣ能力をさらに搬送し得る。ＡＭＦネットワーク要素は、サービス要求メッセージを受信し、実行可能性条件が満たされるかどうか判定する。実行可能性条件は、以下の条件、すなわち、端末デバイスのＳＲＶＣＣ能力、端末デバイスの加入情報、ＮＧ  ＲＡＮデバイスのＳＲＶＣＣ能力、および５ＧネットワークのコアネットワークデバイスのＳＲＶＣＣ能力が５Ｇ  ＳＲＶＣＣ動作を可能にするかどうかの実行可能性のうちの１つまたは複数を含み、５Ｇ  ＳＲＶＣＣ動作は、端末デバイスの５Ｇネットワークのボイスサービスを２Ｇ／３Ｇネットワークのボイスサービスにハンドオーバすることである。この動作は、ネットワークカバレージ条件、すなわち、端末デバイスが進入するセルが比較的弱い５Ｇネットワーク信号カバレージを有し、比較的強い２Ｇ／３Ｇネットワーク信号カバレージであることによりトリガされても、または別の条件によりトリガされてもよい。これは、本願のこの実施形態において限定されない。
【０２９７】
端末デバイスのＳＲＶＣＣ能力情報は、端末デバイスがＳＲＶＣＣ手順を使用することによって５Ｇネットワークから２Ｇ／３Ｇネットワークへのハンドオーバをサポートする能力情報である。任意選択で、端末デバイスのＳＲＶＣＣ能力情報は、端末デバイスの鳴動ＳＲＶＣＣ（英語：ａｌｔｅｒｉｎｇ  ＳＲＶＣＣ、略してＳＲＶＣＣ）および／または鳴動前ＳＲＶＣＣ（英語：ｂｅｆｏｒｅ  ａｌｅｒｔｉｎｇ  ＳＲＶＣＣ、略してｂＳＲＶＣＣ）能力情報を含み、すなわち、端末デバイスは、鳴動ＳＲＶＣＣ手順および／または鳴動前ＳＲＶＣＣ手順を使用することによって、５Ｇネットワークから２Ｇ／３Ｇネットワークへのハンドオーバの能力をサポートする。ＡＭＦネットワーク要素は、端末デバイスを使用することによって、Ｎ２インタフェースメッセージ、登録要求メッセージ、または別のメッセージから能力情報を取得し得る。端末デバイスの加入情報は、端末デバイスがＳＲＶＣＣサービスをサポートするかどうかについての情報、すなわち、端末デバイスがオペレータからのＳＲＶＣＣサービスをサブスクライブすることを示す情報を含む。任意選択で、端末デバイスがサブスクライブするＳＲＶＣＣサービスは、鳴動ＳＲＶＣＣサービスおよび／または鳴動前ＳＲＶＣＣサービスを含む。ＡＭＦネットワーク要素は、ＵＤＭネットワーク要素から取得された端末デバイスの加入情報に基づいて、端末デバイスがＳＲＶＣＣサービスをサブスクライブするかどうか学習し得る。例えば、ＡＭＦネットワーク要素は、端末デバイスが５Ｇネットワークに登録されるプロセスにおいて、ＵＤＭネットワーク要素から端末デバイスの加入データを取得し得る。
【０２９８】
ＮＧ−ＲＡＮデバイスのＳＲＶＣＣ能力は、ＮＧ−ＲＡＮデバイスがＳＲＶＣＣ手順を使用することによって５Ｇネットワークから２Ｇ／３Ｇネットワークへのハンドオーバをサポートするという能力情報である。任意選択で、ＮＧ−ＲＡＮデバイスのＳＲＶＣＣ能力情報は、ＮＧ−ＲＡＮデバイスの鳴動ＳＲＶＣＣおよび／または鳴動前ＳＲＶＣＣ能力情報を含む。ＡＭＦネットワーク要素は、ＮＧ−ＲＡＮデバイスによってレポートされるＮ２インタフェースメッセージなどメッセージを使用することによってＮＧ−ＲＡＮデバイスのＳＲＶＣＣ能力情報を取得し得る。５Ｇネットワーク内のコアネットワークデバイスのＳＲＶＣＣ能力情報は、ＡＭＦネットワーク要素、および／またはＳＭＦネットワーク要素などがＳＲＶＣＣ手順を使用することによって５Ｇネットワークから２Ｇ／３Ｇネットワークへのハンドオーバをサポートするかどうかを示す能力情報であり、ＡＭＦネットワーク要素および／またはＳＭＦネットワーク要素の鳴動ＳＲＶＣＣおよび／または鳴動前ＳＲＶＣＣ能力情報を含み得る。５Ｇネットワーク内のコアネットワークデバイスのＳＲＶＣＣ能力は、相互動作インタフェースがＡＭＦネットワーク要素とＭＳＣネットワーク要素またはＭＭＥネットワーク要素との間に存在するかどうかを示す情報をさらに含み得る。ＡＭＦネットワーク要素は、オペレータ構成情報を使用することによって、前述の条件を取得し得る。例えば、ＡＭＦネットワーク要素、ＳＭＦネットワーク要素などがＳＲＶＣＣ能力をサポートするかどうかを示す情報は、ＡＭＦのオペレータ構成情報において直接構成される。ＡＭＦは、ＳＲＶＣＣ能力取得要求を別のネットワーク要素に送信することによって、別のネットワーク要素がＳＲＶＣＣ能力をサポートするかどうかさらに学習し得る。例えば、ＡＭＦネットワーク要素は、ＳＭＦネットワーク要素がＳＲＶＣＣ能力をサポートするかどうか学習するために、ＳＭＦネットワーク要素にクエリメッセージを送信する。
【０２９９】
実行可能性条件に基づいて、５Ｇネットワークから２Ｇ／３Ｇネットワークへ端末デバイスのボイスサービスをハンドオーバする実行可能性があると判定した場合、ＡＭＦネットワーク要素は、ハンドオーバ実行可能性インジケーション情報、例えば、その値が１である実行可能性インジケーション情報を生成し、Ｎ２インタフェースメッセージを使用することによってハンドオーバ実行可能性インジケーション情報をＮＧ  ＲＡＮデバイスに送信し得る。実行可能性条件に基づいて、５Ｇネットワークから２Ｇ／３Ｇネットワークへ端末デバイスのボイスサービスをハンドオーバする実行可能性がないと判定した場合、ＡＭＦネットワーク要素は、ハンドオーバ実行不可能インジケーション情報、例えば、その値が０である実行不可能インジケーション情報を生成し、Ｎ２インタフェースメッセージを使用することによってハンドオーバ実行不可能インジケーション情報をＮＧ  ＲＡＮデバイスに送信し得る。例えば、端末デバイスによって開始されたサービス要求手順が終了したとき、ＡＭＦネットワーク要素は、Ｎ２インタフェースメッセージをＮＧ  ＲＡＮデバイスに送信し、サービス受付メッセージまたはサービス拒否メッセージをＮ２インタフェースメッセージに追加する。ＡＭＦネットワーク要素は、ハンドオーバ実行可能性インジケーション情報またはハンドオーバ実行不可能インジケーション情報を共にＮ２インタフェースメッセージに追加し得る。
【０３００】
本願のこの実施形態では、端末デバイスは、代替として、端末デバイスのボイスサービスが終了した後、第２のネットワークから第１のネットワークへ復帰されてもよい。端末デバイスの復帰プロセスの詳細は、下記に記載されている。
【０３０１】
図５に示されるように、端末デバイスの復帰処理は以下のステップを含む。
【０３０２】
５０１：第３のネットワーク内のモビリティ管理ネットワーク要素は、ネットワーク識別子情報を第２のネットワーク内のモバイル交換ネットワーク要素に送信し、ネットワーク識別子情報は、端末デバイスが第１のネットワークからのものであることを示すために用いられ、例えば、最後（英語：ｌａｓｔ）の５Ｇ公衆陸上移動体ネットワーク識別（英語：Ｐｕｂｌｉｃ  Ｌａｎｄ  Ｍｏｂｉｌｅ  Ｎｅｔｗｏｒｋ  ｉｄｅｎｔｉｔｙ、略してＰＬＭＮ  ＩＤ）でよい。ネットワーク識別子情報は、ハンドオーバ要求内で搬送され得る。
【０３０３】
第３のネットワーク内のモビリティ管理ネットワーク要素は、複数の方式でネットワーク識別子情報を取得し得る。例えば、第３のネットワーク内のモビリティ管理ネットワーク要素は、第２の情報の受信ポートに基づいて、第１のネットワーク内のモビリティ管理ネットワーク要素の識別子を判定し、第１のネットワーク内のモビリティ管理ネットワーク要素の識別子に基づいて、ネットワーク識別子情報を取得する。他の例として、第１のネットワーク内のモビリティ管理ネットワーク要素は、ネットワーク識別子情報を、第３のネットワーク内のモビリティ管理ネットワーク要素に送信する。
【０３０４】
例えば、ＭＭＥネットワーク要素は、再配置要求メッセージの受信ポートに基づいてＡＭＦネットワーク要素の識別子を判定し、ＡＭＦネットワーク要素の識別子に基づいて最後の５Ｇ  ＰＬＭＮ  ＩＤを判定し、最後の５Ｇ  ＰＬＭＮ  ＩＤをパケット交換型から回線交換型への要求に追加し、パケット交換型から回線交換型への要求をＭＳＣネットワーク要素に送信する。
【０３０５】
５０２．第２のネットワーク内のモバイル交換ネットワーク要素は、ネットワーク識別子情報に基づいて、端末デバイスを第２のネットワークから第１のネットワークに復帰させるように、第２のネットワーク内の基地局コントローラをトリガする。
【０３０６】
端末デバイスを第２のネットワークから第１のネットワークに復帰させるように、第２のネットワーク内の基地局コントローラをトリガすることは、具体的には端末デバイスの無線リソースを解放するときに、端末デバイスを第２のネットワークから第１のネットワークに復帰させるように第２のネットワーク内の基地局コントローラをトリガすることでよい。第２のネットワーク内のモバイル交換ネットワーク要素は、ネットワーク識別子情報を第２のネットワーク内の基地局コントローラに送信することによって、端末デバイスを第２のネットワークから第１のネットワークに復帰させるように第２のネットワーク内の基地局コントローラをトリガし得る。ネットワーク識別子情報は、ハンドオーバ要求メッセージ、無線リソース確立メッセージ、または無線リソース解放メッセージが第２のネットワーク内の基地局コントローラに送信されるときに、第２のネットワーク内の基地局コントローラに送信され得る。詳細は以下で述べられる。例えば、ボイスサービスハンドオーバ準備段階において、ＭＳＣネットワーク要素は、最後の５Ｇ  ＰＬＭＮ  ＩＤを、ＲＮＣ／ＢＳＣネットワーク要素に送信されるハンドオーバ要求（英語：ｈａｎｄｏｖｅｒ  ｒｅｑｕｅｓｔ）メッセージに追加し得る。他の例として、端末デバイスがターゲット２Ｇ／３Ｇセルにアクセスし、無線リソース制御（英語：Ｒａｄｉｏ  Ｒｅｓｏｕｒｃｅ  Ｃｏｎｔｒｏｌ、略してＲＲＣ）接続、およびＩｕ／Ｂインタフェース接続を確立するとき、ＭＳＣネットワーク要素は、Ｉｕ／Ｂインタフェースを用いることによって、最後の５Ｇ  ＰＬＭＮ  ＩＤをＲＮＣ／ＢＳＣネットワーク要素を送信する。他の例として、無線リソース制御（英語：Ｒａｄｉｏ  Ｒｅｓｏｕｒｃｅ  Ｃｏｎｔｒｏｌ、略してＲＲＣ）接続、およびＩｕ／Ｂインタフェース接続が解放されるとき、ＭＳＣネットワーク要素は、最後の５Ｇ  ＰＬＭＮ  ＩＤをＲＮＣ／ＢＳＣネットワーク要素に送信する。
【０３０７】
５０３．第２のネットワーク内の基地局コントローラは、ネットワーク識別子情報に基づいて、端末デバイスを第１のネットワークに復帰させる。具体的には第２のネットワーク内の基地局コントローラは、端末デバイスの無線リソースを解放するときに、端末デバイスを第２のネットワークから第１のネットワークに復帰させる。例えば、ＲＮＣ／ＢＳＣネットワーク要素が、端末デバイスのボイスサービスは終了したと判定した後、またはＭＳＣネットワーク要素が、端末デバイスのボイスサービスは終了したことをＲＮＣ／ＢＳＣネットワーク要素に通知した後、ＭＳＣネットワーク要素によって送信された最後の５Ｇ  ＰＬＭＮ  ＩＤに基づいてＲＮＣ／ＢＳＣネットワーク要素によって端末デバイスに送信されたＲＲＣ接続解放メッセージは、リダイレクション情報を搬送し、リダイレクション情報は、最後の５Ｇ  ＰＬＭＮ  ＩＤに対応するネットワークにアクセスするように、または好ましくはアクセスするように、端末デバイスに命令するために用いられる。
【０３０８】
５０２を行う前に、第２のネットワーク内のモバイル交換ネットワーク要素は、第２のネットワークから第１のネットワークへの端末デバイスの復帰がサポートされているかどうかをさらに判定してよく、具体的には第２のネットワークから第１のネットワークへの端末デバイスの復帰が、第２のネットワーク内の端末デバイスのボイスサービスが終了した後にサポートされているかどうかを判定してよく、復帰がサポートされている場合は５０２を行う、または復帰がサポートされていない場合は復帰をトリガする動作をスキップし得る。第２のネットワークから第１のネットワークへの端末デバイスの復帰がサポートされているかどうかは、端末デバイス、第１のネットワーク内のデバイス、第２のネットワーク内のデバイス、および第３のネットワーク内のデバイスの少なくとも１つまたは複数が、第２のネットワークから第１のネットワークへの端末デバイスの復帰をサポートしているかどうかを意味し得る。例えば、第２のネットワーク内のモバイル交換ネットワーク要素は、端末デバイス、ＡＭＦネットワーク要素、ＭＭＥネットワーク要素、ＭＳＣネットワーク要素、およびＲＮＣ／ＢＳＣネットワーク要素が、第２のネットワークから第１のネットワークへの端末デバイスの復帰をサポートするために、互いに協働するかどうかを判定する。
【０３０９】
本出願のこの実施形態において、ボイスサービスのハンドオーバを行う前に、第１のネットワーク内のモビリティ管理ネットワーク要素は最初に、第１のネットワーク内のモビリティ管理ネットワーク要素と、第３のネットワーク内のモビリティ管理ネットワーク要素との間に相互動作インタフェースが存在するかどうかを判定し、相互動作インタフェースが存在する場合は、ボイスサービスのハンドオーバを行い得る。実際、本出願の前述の実施形態において、第１のネットワークと第３のネットワークとの間の通信、および第２のネットワークと第３のネットワークとの間の通信は、端末デバイスのボイスサービスが第１のネットワークから第２のネットワークにハンドオーバされることを可能にする。実際、本出願のこの実施形態において、ネットワークハンドオーバは代替として、第１のネットワークと第２のネットワークとの間の相互動作インタフェースを用いることによって実施され得る。例えば、図６に示されるように、第１のネットワークは５Ｇネットワークでよく、第２のネットワークは２Ｇ／３Ｇネットワークでよく、ＡＭＦネットワーク要素とＭＳＣネットワーク要素との間に相互動作インタフェースが存在する。したがって、ボイスサービスのハンドオーバを行う前に、第１のネットワーク内のモビリティ管理ネットワーク要素は、第１のネットワーク内のモビリティ管理ネットワーク要素と、第３のネットワーク内のモビリティ管理ネットワーク要素と、第２のネットワーク内のモバイル交換ネットワーク要素との間に、相互動作インタフェースが存在するかどうかを判定し得る。第１のネットワーク内のモビリティ管理ネットワーク要素と、第３のネットワーク内のモビリティ管理ネットワーク要素との間に相互動作インタフェースが存在する場合、ボイスサービスのネットワークハンドオーバは、図２に対応する方法実施形態に従って実施され得る。第１のネットワーク内のモビリティ管理ネットワーク要素と、第２のネットワーク内のモバイル交換ネットワーク要素との間に相互動作インタフェースが存在する場合、ボイスサービスのネットワークハンドオーバは、図７に対応する方法実施形態に従って実施され得る。図７に対応する方法実施形態の詳細は以下で述べられる。
【０３１０】
図７を参照すると、本出願の実施形態は、ボイスサービスのネットワークハンドオーバ方法の他の方法実施形態をもたらす。この実施形態は、具体的には図６に示されるワイヤレス通信システムに適用され得る。
【０３１１】
この実施形態は以下のステップを含む：
【０３１２】
７０１．第１のネットワーク内のアクセスネットワークデバイスは、第１の情報を第１のネットワーク内のモビリティ管理ネットワーク要素に送信し、それに対応して、第１のネットワーク内のモビリティ管理ネットワーク要素は、第１の情報を第１のネットワーク内のアクセスネットワークデバイスから受信し、第１の情報は、第１のネットワークから第２のネットワークへのユーザ機器のハンドオーバを示すために用いられる。
【０３１３】
７０１の関連する内容の詳細については、図２に対応する実施形態における２０１を参照されたい。詳細はここでは再び述べられない。
【０３１４】
７０２：第１のネットワーク内のモビリティ管理ネットワーク要素は、第１の情報を第１のネットワーク内のアクセスネットワークデバイスから受信し、第１のネットワーク内のモビリティ管理ネットワーク要素は、第１の情報に基づいて第２のネットワーク内のモバイル交換ネットワーク要素にハンドオーバ要求を送信する；それに対応して、第２のネットワーク内のモバイル交換ネットワーク要素は、ハンドオーバ要求を受信し、ハンドオーバ要求は、端末デバイスのボイスサービスを第２のネットワークにハンドオーバするために用いられる。
【０３１５】
本出願のこの実施形態において、第１の情報を受信した後、第１のネットワーク内のモビリティ管理ネットワーク要素は、第１のネットワーク内のモビリティ管理ネットワーク要素と、第２のネットワーク内のモバイル交換ネットワーク要素との間の相互動作インタフェースを用いることによって、ハンドオーバ要求を第２のネットワーク内のモバイル交換ネットワーク要素に送信し得る。例として、図６に示されるワイヤレス通信システムにおいて、第２のネットワーク内のモバイル交換ネットワーク要素は、ＭＳＣネットワーク要素でよい。ＡＭＦネットワーク要素は、ハンドオーバ要求メッセージを受信し、ＳＲＶＣＣハンドオーバインジケーション、および／またはハンドオーバ要求メッセージ内で搬送される２Ｇ／３Ｇネットワークのターゲット識別子に基づいて、パケット交換型から回線交換型への要求をＭＳＣネットワーク要素に送信し、パケット交換型から回線交換型への要求は、端末デバイスのボイスサービスを２Ｇ／３Ｇネットワークにハンドオーバするように、ＭＳＣネットワーク要素に命令するために用いられる。
【０３１６】
第１の情報を受信した後、第１のネットワーク内のモビリティ管理ネットワーク要素は、第２のネットワークのセキュリティコンテキスト情報をさらに取得し、第２のネットワークのセキュリティコンテキスト情報を第２のネットワーク内のモバイル交換ネットワーク要素に送信してよく、例えば、第２のネットワーク内のモバイル交換ネットワーク要素が、第２のネットワークのセキュリティコンテキスト情報に基づいて端末デバイスのボイスサービスを第２のネットワークにハンドオーバするように、第２のネットワークのセキュリティコンテキスト情報をハンドオーバ要求に追加し得る。
【０３１７】
第１のネットワーク内のモビリティ管理ネットワーク要素は、２つの方式で、第２のネットワークのセキュリティコンテキスト情報を取得し得る。一方の方式では、第１のネットワーク内のモビリティ管理ネットワーク要素は最初に、第１のネットワークのセキュリティコンテキスト情報に基づいて、第３のネットワークのセキュリティコンテキスト情報を取得し、次いで第３のネットワークのセキュリティコンテキスト情報に基づいて、第２のネットワークのセキュリティコンテキスト情報を取得し得る。例えば、ＡＭＦは、ＡＭＦによって記憶された５Ｇネットワークのセキュリティコンテキスト情報に基づいて、４Ｇネットワークのセキュリティコンテキスト情報を導出し、次いで４Ｇネットワークのセキュリティコンテキスト情報に基づいて、２Ｇ／３Ｇネットワークのセキュリティコンテキスト情報を導出する。他方の方式では、第１のネットワーク内のモビリティ管理ネットワーク要素は、第３のネットワークのセキュリティコンテキストを用いずに、第１のネットワークのセキュリティコンテキストに基づいて、第２のネットワークのセキュリティコンテキストを直接生成し得る。例えば、ＡＭＦは、ＡＭＦによって記憶された５Ｇネットワークセキュリティコンテキスト情報に基づいて、２Ｇ／３Ｇネットワークのセキュリティコンテキスト情報を直接導出する。
【０３１８】
７０３．第２のネットワーク内のモバイル交換ネットワーク要素は、ハンドオーバ要求を受信し、ハンドオーバ要求に基づいて、端末デバイスのボイスサービスを第２のネットワークにハンドオーバする。
【０３１９】
端末デバイスのボイスサービスを第２のネットワークにハンドオーバするハンドオーバ処理については、２０４の関連する説明を参照されたい。詳細はここでは再び述べられない。
【０３２０】
ボイスサービスのハンドオーバを完了した後、第２のネットワーク内のモバイル交換ネットワーク要素は、ハンドオーバ完了情報を第１のネットワーク内のモビリティ管理ネットワーク要素に送信し得る。ハンドオーバ完了情報は、ハンドオーバが完了されたことを示すために用いられ、第１のネットワークから第２のネットワークへのボイスハンドオーバの識別子、例えば、ＳＲＶＣＣハンドオーバインジケーションを搬送し得る。
【０３２１】
ボイスサービスのハンドオーバが完了された後、端末デバイスはさらに、登録要求を送信することによって２Ｇ／３Ｇネットワークに登録され得る。具体的には、ボイスサービスのハンドオーバが完了されたことを判定した後、端末デバイスは、ルートエリア更新要求および／またはアタッチメント要求をＳＧＳＮネットワーク要素に送信し得る。
【０３２２】
この実施形態において、第１のネットワークと第２のネットワークとの間の通信は、端末デバイスのボイスサービスが、第１のネットワークから第２のネットワークに直接ハンドオーバされることを可能にし、端末デバイスのボイスサービスが最初に第３のネットワークにハンドオーバされる必要はない。したがって、第１のネットワーク内の端末デバイスがボイスサービスを実施できないという問題が解決される。
【０３２３】
任意選択の実施形態において、ハンドオーバを行うとき、第２のネットワーク内のモバイル交換ネットワーク要素はまた、端末デバイスについての情報を用いる必要がある。したがって、第１のネットワーク内のモビリティ管理ネットワーク要素は、情報を取得してよく、情報を第２のネットワーク内のモバイル交換ネットワーク要素に送信し得る。したがって、第２のネットワーク内のモバイル交換ネットワーク要素は、情報に基づいてボイスサービスのハンドオーバを行う。端末デバイスについての情報は、以下の情報の１つまたは複数を含み得る：端末デバイスの階級値、端末デバイスによってサポートされるコーデックについての情報、および端末デバイスのボイスサービスを第２のネットワークにハンドオーバするために用いられる加入情報。端末デバイスの階級値は、具体的には端末デバイスの階級値２および／または階級値３を含み得る。端末デバイスによってサポートされるコーデックについての情報は、具体的には端末デバイスによってサポートされるＣＳボイスサービスのコーデックについての情報でよい。加入情報は、具体的にはＣ−ＭＳＩＳＤＮおよび／またはＳＴＮ−ＳＲを含み得る。情報は、第１のネットワーク内のモビリティ管理ネットワーク要素によって取得され得る。例えば、第１のネットワーク内のモビリティ管理ネットワーク要素は、端末デバイスについての情報を、第１のネットワーク内の統合化データ管理機能ネットワーク要素、または加入データレジスタ（例えば、ＵＤＭ／ＨＳＳ）から取得し得る。第１のネットワーク内の加入データレジスタは、端末デバイスの元の加入情報（Ｃ−ＭＳＩＳＤＮおよび／またはＳＴＮ−ＳＲを含む）を記憶し、端末デバイスが第１のネットワークに登録される処理において、元の加入情報を第１のネットワーク内のモビリティ管理ネットワーク要素に送信し得る。第１のネットワーク内のモビリティ管理ネットワーク要素は、加入情報を記憶する。端末デバイスがＩＭＳネットワークへの登録手順を行うとき、ＩＭＳネットワーク内のアプリケーションサーバ（例えば、ＳＣＣ  ＡＳ）は、更新されたＳＴＮ−ＳＲを取得する。更新されたＳＴＮ−ＳＲは、アプリケーションサーバによって生成され、またはアクセス転送制御機能ネットワーク要素によって生成され、アプリケーションサーバに送信され得る。アプリケーションサーバは、更新されたＳＴＮ−ＳＲを第１のネットワーク内の加入データレジスタに送信し、第１のネットワーク内の加入データレジスタは、更新されたＳＴＮ−ＳＲが、元々記憶された加入情報におけるＳＴＮ−ＳＲと同じかどうかを判定し、更新されたＳＴＮ−ＳＲが、元々記憶された加入情報におけるＳＴＮ−ＳＲと異なる場合は、更新されたＳＴＮ−ＳＲを第１のネットワーク内のモビリティ管理ネットワーク要素に送信する。第１のネットワーク内のモビリティ管理ネットワーク要素は、元々記憶されたＳＴＮ−ＳＲを、更新されたＳＴＮ−ＳＲで置き換え、加入データの一部として更新されたＳＴＮ−ＳＲを用いる。
【０３２４】
この実施形態と、図２から図５に対応する実施形態との差は、ネットワークハンドオーバが、第１のネットワークと第２のネットワークとの間の直接の通信を通して実施されることにある。図３に対応する実施形態と同様に、この実施形態において、端末デバイスの第２のネットワーク内のＳＭコンテキスト情報は、第１のネットワーク内のセッション管理ネットワーク要素から取得されてもよい。差は、取得されたＳＭコンテキスト情報が、第２のネットワーク内のモバイル交換ネットワーク要素に送信されることにある。ＳＭコンテキスト情報を取得する方式、およびＳＭコンテキスト情報を送信する方式は、図３に対応する実施形態におけるものと同様である。詳細については、前述の実施形態における説明を参照されたい。詳細はここでは再び述べられない。図４に対応する実施形態と同様に、この実施形態において、ＳＭＦネットワーク要素におけるＳＭコンテキスト情報は、第３の情報または第４の情報に基づいて、消去または保留されてもよい。ＳＭコンテキスト情報を消去または保留する方式は、図４に対応する実施形態におけるものと同様である。詳細については、前述の実施形態における説明を参照されたい。詳細はここでは再び述べられない。図５に対応する実施形態と同様に、この実施形態において、端末デバイスは第２のネットワークから第１のネットワークに復帰されてもよく、差は、第１のネットワーク内のモビリティ管理ネットワーク要素が、ネットワーク識別子情報を取得し、ネットワーク識別子情報を第２のネットワーク内のモバイル交換ネットワーク要素に直接送信することにある。他の内容は、図５に対応する実施形態におけるものと同様である。詳細については、前述の実施形態における説明を参照されたい。詳細はここでは再び述べられない。加えて、第１の情報を第１のネットワーク内のモビリティ管理ネットワーク要素に送信する前に、第１のネットワーク内のアクセスネットワークデバイスはさらに、端末デバイスのボイスサービスを第１のネットワークから第２のネットワークにハンドオーバすることの実現可能性があるかどうかを判定し得る。実現可能性判定の方式は、前述の実施形態における関連する内容と同様であり、差は、実現可能性が、第３のネットワークを通さずに、端末デバイスのボイスサービスを第１のネットワークから第２のネットワークにハンドオーバすることの実現可能性であることにある。詳細については、前述の実施形態における説明を参照されたい。詳細はここでは再び述べられない。
【０３２５】
上記では本発明の実施形態における方法実施形態が述べられ、以下は、モジュール化された機能エンティティの観点から本発明の実施形態における装置実施形態を述べる。
【０３２６】
図８を参照すると、本出願は、ボイスサービスのネットワークハンドオーバ装置をもたらす。装置は、受信ユニット８０１と送信ユニット８０２とを含む。この実施形態における装置は、第１のネットワーク内のモビリティ管理ネットワーク要素において用いられ得る。
【０３２７】
受信ユニット８０１は、第１のネットワーク内のアクセスネットワークデバイスから第１の情報を受信するように構成され、第１の情報は、第１のネットワークから第２のネットワークへの端末デバイスのハンドオーバを示すために用いられる。
【０３２８】
送信ユニット８０２は、第１の情報に基づいて、第２の情報を第３のネットワーク内のモビリティ管理ネットワーク要素に送信するように構成され、第２の情報は、第３のネットワーク内のモビリティ管理ネットワーク要素に、ハンドオーバ要求を第２のネットワーク内のモバイル交換ネットワーク要素に送信するように命令するために用いられ、ハンドオーバ要求は、端末デバイスのボイスサービスを第２のネットワークにハンドオーバするために用いられる。
【０３２９】
第１のネットワークと第３のネットワークとの間の通信、および第３のネットワークと第２のネットワークとの間の通信は、端末デバイスのボイスサービスが第２のネットワークにハンドオーバされることを可能にし、ボイスサービスの連続性を実施し、端末デバイスが第１のネットワーク内でボイスサービスを実施できないという問題を解決することが理解されることができる。
【０３３０】
任意選択で、第１の情報は、第１のネットワークから第２のネットワークへの端末デバイスのボイスサービスのハンドオーバを示すために用いられる。この実施形態において、第１のネットワークから第２のネットワークへの端末デバイスのボイスサービスのハンドオーバは、ボイスサービスの連続性を維持することである。
【０３３１】
任意選択で、第２のネットワークは回線交換型ボイスサービスをサポートする。
【０３３２】
任意選択で、送信ユニット８０２は、端末デバイスについての情報を第３のネットワーク内のモビリティ管理ネットワーク要素に送信するようにさらに構成され、端末デバイスについての情報は、以下の情報の１つまたは複数を含む：端末デバイスの階級値、端末デバイスによってサポートされるコーデックについての情報、および端末デバイスのボイスサービスを第２のネットワークにハンドオーバするために用いられる加入情報。
【０３３３】
任意選択で、第１の情報は、第１のネットワークから第２のネットワークへのボイスハンドオーバの第１の識別子、および／または第２のネットワークのターゲット識別子を含み、
第２の情報は、第１のネットワークから第２のネットワークへのボイスハンドオーバの第２の識別子、および／または第２のネットワークのターゲット識別子を含む。
【０３３４】
任意選択で、受信ユニット８０１は、端末デバイスの第３のネットワークのセッション情報を、第１のネットワーク内のセッション管理ネットワーク要素から受信するようにさらに構成され、第３のネットワークのセッション情報は、第３のネットワークのボイスサービスのセッション管理コンテキスト情報、または第３のネットワークの非ボイスサービスのセッション管理コンテキスト情報を含み、
送信ユニット８０２は、端末デバイスの第３のネットワークのセッション情報を、第３のネットワーク内のモビリティ管理ネットワーク要素に送信するようにさらに構成される。
【０３３５】
任意選択で、送信ユニット８０２は、第３の情報を、第１のネットワーク内のセッション管理ネットワーク要素に送信するようにさらに構成され、第３の情報は、第１のネットワークから第２のネットワークへの端末デバイスのハンドオーバを示すために用いられ、第３の情報は、第１のネットワークから第２のネットワークへのボイスハンドオーバの第３の識別子、および／または第２のネットワークのターゲット識別子を含む。
【０３３６】
任意選択で、装置は、第１のネットワークから第２のネットワークへの端末デバイスの非ボイスサービスのハンドオーバがサポートされることを判定するように構成された、第１の判定ユニットをさらに含む。
【０３３７】
任意選択で、装置は、第１のネットワークから第２のネットワークへの端末デバイスのハンドオーバが完了されたことを判定した後、送信ユニットを用いることによって、セッション消去要求を、第１のネットワーク内のセッション管理ネットワーク要素に送信するように構成された第２の判定ユニットをさらに含み、セッション消去要求は、第１のネットワーク内のセッション管理ネットワーク要素に、端末デバイスの第１のネットワークのセッション管理コンテキスト情報、および／または端末デバイスの第３のネットワークのセッション管理コンテキスト情報を消去するように要求するために用いられ、第３のネットワークのセッション管理コンテキスト情報は、第１のネットワークのセッション管理コンテキスト情報に基づいて生成される。
【０３３８】
任意選択で、送信ユニット８０２は、原因情報を第１のネットワーク内のセッション管理ネットワーク要素に送信するようにさらに構成され、原因情報は、端末デバイスの第１のネットワークのセッション管理コンテキスト情報、および／または端末デバイスの第３のネットワークのセッション管理コンテキスト情報がなぜ消去されるのかを示すために用いられる。
【０３３９】
任意選択で、原因情報は、第１のネットワークから第２のネットワークへの端末デバイスのボイスサービスのハンドオーバが完了されたことを示す情報を含む。
【０３４０】
任意選択で、送信ユニット８０２は、第４の情報を第１のネットワーク内のセッション管理ネットワーク要素に送信するようにさらに構成され、第４の情報は、第１のネットワークから第２のネットワークへの端末デバイスのハンドオーバが完了されたことを示すために用いられる。
【０３４１】
任意選択で、装置は、第１のネットワーク内のモビリティ管理ネットワーク要素と、第３のネットワーク内のモビリティ管理ネットワーク要素との間に相互動作インタフェースが存在することを判定するように構成された第３の判定ユニットをさらに含む。
【０３４２】
任意選択で、装置は、第１の情報に基づいて、端末デバイスの第３のネットワークのセッション管理コンテキスト情報を、第１のネットワーク内のセッション管理ネットワーク要素から取得する動作をスキップするように構成されたスキッピングユニットをさらに含む。
【０３４３】
任意選択で、装置は、第１のネットワークから第２のネットワークへの端末デバイスの非ボイスサービスのハンドオーバがサポートされないことを判定するように構成された第４の判定ユニットをさらに含む。
【０３４４】
任意選択で、第１のネットワークから第２のネットワークへの端末デバイスの非ボイスサービスのハンドオーバがサポートされないことは、端末デバイス、第１のネットワーク内のデバイス、第２のネットワーク内のデバイス、および第３のネットワーク内のデバイスの少なくとも１つまたは複数が、第１のネットワークから第２のネットワークへの端末デバイスの非ボイスサービスのハンドオーバをサポートしないことを含む。
【０３４５】
図９を参照すると、本出願は、ボイスサービスのネットワークハンドオーバ装置をもたらす。装置は、受信ユニット９０１と送信ユニット９０２とを含む。この実施形態における装置は、第３のネットワーク内のモビリティ管理ネットワーク要素において用いられ得る。
【０３４６】
受信ユニット９０１は、第２の情報を第１のネットワーク内のモビリティ管理ネットワーク要素から受信するように構成され、第２の情報は、第１のネットワークから第２のネットワークへの端末デバイスのハンドオーバを示すために用いられる。
【０３４７】
送信ユニット９０２は、第２の情報に基づいて、ハンドオーバ要求を第２のネットワーク内のモバイル交換ネットワーク要素に送信するように構成され、ハンドオーバ要求は、端末デバイスのボイスサービスを第２のネットワークにハンドオーバするために用いられる。
【０３４８】
任意選択で、受信ユニット９０１は、端末デバイスについての情報を第１のネットワーク内のモビリティ管理ネットワーク要素から受信するようにさらに構成され、端末デバイスについての情報は、端末デバイスの階級値、端末デバイスによってサポートされるコーデックについての情報、および端末デバイスのボイスサービスを第２のネットワークにハンドオーバするために用いられる加入情報の、１つまたは複数の情報を含み、送信ユニット９０２は、端末デバイスについての情報を送信するようにさらに構成される。
【０３４９】
任意選択で、送信ユニット９０２は、ネットワーク識別子情報を第２のネットワーク内のモバイル交換ネットワーク要素に送信するようにさらに構成され、ネットワーク識別子情報は、端末デバイスが第１のネットワークからのものであることを示すために用いられる。
【０３５０】
任意選択で、装置は、第２のネットワークから第１のネットワークへの端末デバイスの復帰がサポートされていることを判定するように構成された判定ユニットをさらに含む。
【０３５１】
任意選択で、第２の情報は、第１のネットワークから第２のネットワークへのボイスハンドオーバの識別子、および／または第２のネットワークのターゲット識別子を含む。
【０３５２】
任意選択で、装置は、トリガユニットをさらに含み、
受信ユニット９０１は、端末デバイスの第３のネットワークの非ボイスサービスのセッション管理コンテキスト情報を第１のネットワーク内のモビリティ管理ネットワーク要素から受信するようにさらに構成され、トリガユニットは、端末デバイスの第３のネットワークの非ボイスサービスのセッション管理コンテキスト情報に基づいて、第２のネットワークの端末デバイスの非ボイスサービスのハンドオーバをトリガするように構成される。
【０３５３】
設計において、端末デバイスのボイスサービスが第２のネットワークにハンドオーバされるとき、端末デバイスの非ボイスサービスは、第２のネットワークにハンドオーバされることもできる。したがって、第１のネットワークが、端末デバイスに対してサービスをもたらすことができないとき、第２のネットワークが端末デバイスのために働き続け、ユーザエクスペリエンスを改善する。
【０３５４】
図１０を参照すると、本出願は情報取得装置をもたらす。装置は、受信ユニット１００１と、分離ユニット１００２と、送信ユニット１００３とを含む。この実施形態における装置は、第１のネットワーク内のセッション管理ネットワーク要素において用いられ得る。
【０３５５】
受信ユニット１００１は、第３の情報を第１のネットワーク内のモビリティ管理ネットワーク要素から受信するように構成され、第３の情報は、第１のネットワークから第２のネットワークへの端末デバイスのハンドオーバを示すために用いられる。
【０３５６】
分離ユニット１００２は、分離されたセッション管理コンテキスト情報を取得するために、第３の情報に基づいて、端末デバイスの第３のネットワークのセッション管理コンテキスト情報に対して分離動作を行うように構成され、分離されたセッション管理コンテキスト情報は、端末デバイスの第３のネットワークの非ボイスサービスのセッション管理コンテキスト情報、および／または分離の後に取得された端末デバイスの第３のネットワークのボイスサービスのセッション管理コンテキスト情報を含む。
【０３５７】
送信ユニット１００３は、分離されたセッション管理コンテキスト情報を第１のネットワーク内のモビリティ管理ネットワーク要素に送信するように構成される。
【０３５８】
任意選択で、第３の情報は、第１のネットワークから第２のネットワークへの端末デバイスのボイスサービスのハンドオーバを示すために用いられる。
【０３５９】
任意選択で、装置は、第１のネットワークから第２のネットワークへの端末デバイスの非ボイスサービスのハンドオーバがサポートされることを判定するように構成された、第１の判定ユニットをさらに含む。
【０３６０】
任意選択で、第１のネットワークから第２のネットワークへの端末デバイスの非ボイスサービスのハンドオーバがサポートされることは、端末デバイス、第１のネットワーク内のデバイス、第２のネットワーク内のデバイス、および第３のネットワーク内のデバイスの少なくとも１つまたは複数が、第１のネットワークから第２のネットワークへの端末デバイスの非ボイスサービスのハンドオーバをサポートすることを含む。
【０３６１】
任意選択で、装置は、端末デバイスの第３のネットワークの非ボイスサービスのセッション管理コンテキスト情報を保留するように構成された、保留ユニットをさらに含む。
【０３６２】
任意選択で、装置は、第１のネットワークから第２のネットワークへの端末デバイスの非ボイスサービスのハンドオーバがサポートされないことを判定する、または第２のネットワークから第１のネットワークへの端末デバイスの復帰がサポートされることを判定するように構成された、第２の判定ユニットをさらに含む。
【０３６３】
任意選択で、第１のネットワークから第２のネットワークへの端末デバイスの非ボイスサービスのハンドオーバがサポートされないことは、端末デバイス、第１のネットワーク内のデバイス、第２のネットワーク内のデバイス、および第３のネットワーク内のデバイスの少なくとも１つまたは複数が、第１のネットワークから第２のネットワークへの端末デバイスの非ボイスサービスのハンドオーバをサポートしないことを含む。
【０３６４】
任意選択で、第２のネットワークから第１のネットワークへの端末デバイスの復帰がサポートされることは、端末デバイス、第１のネットワーク内のデバイス、第２のネットワーク内のデバイス、および第３のネットワーク内のデバイスの少なくとも１つまたは複数が、第２のネットワークから第１のネットワークへの端末デバイスの復帰をサポートすることを含む。
【０３６５】
図１１を参照すると、本出願は、情報処理装置をもたらす。装置は、受信ユニット１１０１とスキッピングユニット１１０２とを含む。この実施形態における装置は、第１のネットワーク内のセッション管理ネットワーク要素において用いられ得る。
【０３６６】
受信ユニット１１０１は、第３の情報を第１のネットワーク内のモビリティ管理ネットワーク要素から受信するように構成され、第３の情報は、第１のネットワークから第２のネットワークへの端末デバイスのハンドオーバを示すために用いられる。
【０３６７】
スキッピングユニット１１０２は、第３の情報に基づいて、端末デバイスの第３のネットワークのセッション管理コンテキスト情報を、第１のネットワーク内のモビリティ管理ネットワーク要素に送信する動作をスキップするように構成される。
【０３６８】
任意選択で、第３の情報は、第１のネットワークから第２のネットワークへの端末デバイスのボイスサービスのハンドオーバを示すために用いられる。
【０３６９】
任意選択で、装置は、第１のネットワークから第２のネットワークへの端末デバイスの非ボイスサービスのハンドオーバがサポートされないことを判定するように構成された判定ユニットをさらに含む。
【０３７０】
任意選択で、第１のネットワークから第２のネットワークへの端末デバイスの非ボイスサービスのハンドオーバがサポートされないことは、端末デバイス、第１のネットワーク内のデバイス、第２のネットワーク内のデバイス、および第３のネットワーク内のデバイスの少なくとも１つまたは複数が、第１のネットワークから第２のネットワークへの端末デバイスの非ボイスサービスのハンドオーバをサポートしないことを含む。
【０３７１】
図１２を参照すると、本出願は、情報保留装置をもたらす。装置は、受信ユニット１２０１と保留ユニット１２０２とを含む。この実施形態における装置は、第１のネットワーク内のセッション管理ネットワーク要素において用いられ得る。
【０３７２】
受信ユニット１２０１は、第３の情報を第１のネットワーク内のモビリティ管理ネットワーク要素から受信するように構成され、第３の情報は、第１のネットワークから第２のネットワークへの端末デバイスのハンドオーバを示すために用いられる。
【０３７３】
保留ユニット１２０２は、第３の情報に基づいて、端末デバイスの第１のネットワークの非ボイスサービスのセッション管理コンテキスト情報、および／または端末デバイスの第３のネットワークの非ボイスサービスのセッション管理コンテキスト情報を保留するように構成される。
【０３７４】
任意選択で、第３の情報は、第１のネットワークから第２のネットワークへの端末デバイスのボイスサービスのハンドオーバを示すために用いられる。
【０３７５】
任意選択で、装置は、第１のネットワークから第２のネットワークへの端末デバイスの非ボイスサービスのハンドオーバがサポートされないことを判定する、または第２のネットワークから第１のネットワークへの端末デバイスの復帰がサポートされることを判定するように構成された、判定ユニットをさらに含む。
【０３７６】
任意選択で、第１のネットワークから第２のネットワークへの端末デバイスの非ボイスサービスのハンドオーバがサポートされないことは、端末デバイス、第１のネットワーク内のデバイス、第２のネットワーク内のデバイス、および第３のネットワーク内のデバイスの少なくとも１つまたは複数が、第１のネットワークから第２のネットワークへの端末デバイスの非ボイスサービスのハンドオーバをサポートしないことを含む。
【０３７７】
任意選択で、第２のネットワークから第１のネットワークへの端末デバイスの復帰がサポートされることは、端末デバイス、第１のネットワーク内のデバイス、第２のネットワーク内のデバイス、および第３のネットワーク内のデバイスの少なくとも１つまたは複数が、第２のネットワークから第１のネットワークへの端末デバイスの復帰をサポートすることを含む。
【０３７８】
図１３を参照すると、本出願は、情報保留装置をもたらす。装置は、受信ユニット１３０１と保留ユニット１３０２とを含む。この実施形態における装置は、第１のネットワーク内のセッション管理ネットワーク要素において用いられ得る。
【０３７９】
受信ユニット１３０１は、第４の情報を第１のネットワーク内のモビリティ管理ネットワーク要素から受信するように構成され、第４の情報は、第１のネットワークから第２のネットワークへの端末デバイスのハンドオーバが完了されたことを示すために用いられる。
【０３８０】
保留ユニット１３０２は、第４の情報に基づいて、端末デバイスの第１のネットワークの非ボイスサービスのセッション管理コンテキスト情報、および／または端末デバイスの第３のネットワークの非ボイスサービスのセッション管理コンテキスト情報を保留するように構成される。
【０３８１】
任意選択で、第４の情報は、第１のネットワークから第２のネットワークへの端末デバイスのボイスサービスのハンドオーバが完了されたことを示すために用いられる。
【０３８２】
任意選択で、装置は、第１のネットワークから第２のネットワークへの端末デバイスの非ボイスサービスのハンドオーバがサポートされないことを判定する、または第２のネットワークから第１のネットワークへの端末デバイスの復帰がサポートされることを判定するように構成された、判定ユニットをさらに含む。
【０３８３】
任意選択で、第１のネットワークから第２のネットワークへの端末デバイスの非ボイスサービスのハンドオーバがサポートされないことは、端末デバイス、第１のネットワーク内のデバイス、第２のネットワーク内のデバイス、および第３のネットワーク内のデバイスの少なくとも１つまたは複数が、第１のネットワークから第２のネットワークへの端末デバイスの非ボイスサービスのハンドオーバをサポートしないことを含む。
【０３８４】
任意選択で、第２のネットワークから第１のネットワークへの端末デバイスの復帰がサポートされることは、端末デバイス、第１のネットワーク内のデバイス、第２のネットワーク内のデバイス、および第３のネットワーク内のデバイスの少なくとも１つまたは複数が、第２のネットワークから第１のネットワークへの端末デバイスの復帰をサポートすることを含む。
【０３８５】
図１４を参照すると、本出願は、情報消去装置をもたらす。装置は、受信ユニット１４０１と消去ユニット１４０２とを含む。この実施形態における装置は、第１のネットワーク内のセッション管理ネットワーク要素において用いられ得る。
【０３８６】
受信ユニット１４０１は、第４の情報を第１のネットワーク内のモビリティ管理ネットワーク要素から受信するように構成され、第４の情報は、第１のネットワークから第２のネットワークへの端末デバイスのハンドオーバが完了されたことを示すために用いられる。
【０３８７】
消去ユニット１４０２は、第４の情報に基づいて、端末デバイスの第１のネットワークのセッション管理コンテキスト情報、および／または端末デバイスの第３のネットワークのセッション管理コンテキスト情報を消去するように構成される。
【０３８８】
任意選択で、第４の情報は、第１のネットワークから第２のネットワークへの端末デバイスのボイスサービスのハンドオーバが完了されたことを示すために用いられる。
【０３８９】
任意選択で、消去ユニットは、第１の消去ユニットおよび／または第２の消去ユニットを含み、
第１の消去ユニットは、端末デバイスの第１のネットワークのボイスサービスのセッション管理コンテキスト情報、および／または端末デバイスの第１のネットワークの非ボイスサービスのセッション管理コンテキスト情報を消去するように構成され、
第２の消去ユニットは、端末デバイスの第３のネットワークのボイスサービスのセッション管理コンテキスト情報、および／または端末デバイスの第３のネットワークの非ボイスサービスのセッション管理コンテキスト情報を消去するように構成される。
【０３９０】
任意選択で、装置は、第１のネットワークから第２のネットワークへの端末デバイスの非ボイスサービスのハンドオーバがサポートされないことを判定する、または第２のネットワークから第１のネットワークへの端末デバイスの復帰がサポートされないことへを判定するように構成された、判定ユニットをさらに含む。
【０３９１】
任意選択で、第１のネットワークから第２のネットワークへの端末デバイスの非ボイスサービスのハンドオーバがサポートされないことは、端末デバイス、第１のネットワーク内のデバイス、第２のネットワーク内のデバイス、および第３のネットワーク内のデバイスの少なくとも１つまたは複数が、第１のネットワークから第２のネットワークへの端末デバイスの非ボイスサービスのハンドオーバをサポートしないことを含む。
【０３９２】
任意選択で、第２のネットワークから第１のネットワークへの端末デバイスの復帰がサポートされることは、端末デバイス、第１のネットワーク内のデバイス、第２のネットワーク内のデバイス、および第３のネットワーク内のデバイスの少なくとも１つまたは複数が、第２のネットワークから第１のネットワークへの端末デバイスの復帰をサポートすることを含む。
【０３９３】
図１５を参照すると、本出願は、ネットワーク復帰装置をもたらす。装置は、受信ユニット１５０１とトリガユニット１５０２とを含む。この実施形態における装置は、第２のネットワーク内のモバイル交換ネットワーク要素において用いられ得る。
【０３９４】
受信ユニット１５０１は、ネットワーク識別子情報を第３のネットワーク内のモビリティ管理ネットワーク要素から受信するように構成され、ネットワーク識別子情報は、端末デバイスが第１のネットワークからのものであることを示すために用いられる。
【０３９５】
トリガユニット１５０２は、ネットワーク識別子情報に基づいて、端末デバイスを第２のネットワークから第１のネットワークに復帰させるために、第２のネットワーク内の基地局コントローラをトリガするように構成される。
【０３９６】
任意選択で、トリガユニット１５０２は具体的には、ネットワーク識別子情報に基づいて、端末デバイスの無線リソースを解放するときに、端末デバイスを第２のネットワークから第１のネットワークに復帰させるように、第２のネットワーク内の基地局コントローラをトリガするように構成される。
【０３９７】
任意選択で、トリガユニット１５０２は、
ネットワーク識別子情報を第２のネットワーク内の基地局コントローラに送信するように構成された、送信ユニットを含む。
【０３９８】
任意選択で、送信ユニットは具体的には、第２のネットワーク内の基地局コントローラにハンドオーバ要求メッセージ、シグナリング接続確立応答、または無線リソース解放要求を送信するときに、ネットワーク識別子情報を第２のネットワーク内の基地局コントローラに送信するように構成される。
【０３９９】
任意選択で、装置は、第２のネットワークから第１のネットワークへの端末デバイスの復帰がサポートされていることを判定するように構成された判定ユニットをさらに含む。
【０４００】
任意選択で、第２のネットワークから第１のネットワークへの端末デバイスの復帰がサポートされることは、端末デバイス、第１のネットワーク内のデバイス、第２のネットワーク内のデバイス、および第３のネットワーク内のデバイスの少なくとも１つまたは複数が、第２のネットワークから第１のネットワークへの端末デバイスの復帰をサポートすることを含む。
【０４０１】
上記は、本発明の実施形態における装置を、モジュール型機能エンティティの観点から述べている。以下は、本発明の実施形態におけるネットワークデバイスを、ハードウェア処理の観点から述べる。
【０４０２】
図１６を参照すると、本発明の実施形態はネットワークデバイスの装置実施形態をもたらす。この実施形態におけるネットワークデバイスは、プロセッサ１６０１と、メモリ１６０２と、インタフェース１６０３と、バス１６０４とを含み、インタフェース１６０３は、ワイヤレスまたは有線の方式で実施されてよく、具体的にはネットワークインタフェースカードなどの要素でよい。プロセッサ１６０１、メモリ１６０２、およびインタフェース１６０３は、バス１６０４を用いることによって接続される。インタフェース１６０３は、受信器１６０３１と、送信器１６０３２とをさらに含む。
【０４０３】
プロセッサ１６０１は、中央処理装置（略してＣＰＵ）、特定用途向け集積回路（英語：Ａｐｐｌｉｃａｔｉｏｎ  Ｓｐｅｃｉｆｉｃ  Ｉｎｔｅｇｒａｔｅｄ  Ｃｉｒｃｕｉｔ、略してＡＳＩＣ）、または本出願のこの実施形態を実施するように構成された１つまたは複数の集積回路でよい。
【０４０４】
この実施形態において、メモリ１６０２は、オペレーティングシステム１６０２１と、アプリケーションプログラム１６０２２とを含み、プログラム、コード、または命令を記憶するように構成される。プログラム、コード、または命令を実行するとき、プロセッサまたはハードウェアデバイスは、図２から図５に示される方法を完了し得る。メモリ１６０２は、高速ランダムアクセスメモリ（英語：Ｒａｎｄｏｍ  Ａｃｃｅｓｓ  Ｍｅｍｏｒｙ、略してＲＡＭ）を含んでよく、または不揮発性メモリ（英語：ｎｏｎ−ｖｏｌａｔｉｌｅ  ｍｅｍｏｒｙ）、例えば、少なくとも１つの磁気ディスク記憶装置を含み得る。
【０４０５】
ネットワークデバイスは、第１のネットワーク内のアクセスネットワークデバイス、第１のネットワーク内のモビリティ管理ネットワーク要素、第１のネットワーク内のセッション管理ネットワーク要素、第３のネットワーク内のモビリティ管理ネットワーク要素、または第２のネットワーク内のモバイル交換ネットワーク要素でよい。
【０４０６】
例えば、実施形態において、プロセッサ１６０１は、図２から図４および図７の任意の第１のネットワーク内のアクセスネットワークデバイスの他の動作または機能を行うように構成される。受信器１６０３１は、第１のネットワーク内のアクセスネットワークデバイスと、第１のネットワーク内のユーザ機器／モビリティ管理ネットワーク要素との間の通信を実施するように構成される。
【０４０７】
他の実施形態において、プロセッサ１６０１は、図２から図４および図７の任意の第１のネットワーク内のモビリティ管理ネットワーク要素の他の動作または機能を行うように構成される。受信器１６０３１は、第１のネットワーク内のモビリティ管理ネットワーク要素と、第１のネットワーク内のアクセスネットワークデバイス、第３のネットワーク内のモビリティ管理ネットワーク要素、または第２のネットワーク内のモバイル交換ネットワーク要素との間の通信を実施するように構成される。
【０４０８】
他の実施形態において、プロセッサ１６０１は、図２から図４および図７の任意の第１のネットワーク内のセッション管理ネットワーク要素の他の動作または機能を行うように構成される。受信器１６０３１は、第１のネットワーク内のセッション管理ネットワーク要素と、第１のネットワーク内のモビリティ管理ネットワーク要素との間の通信を実施するように構成される。
【０４０９】
他の実施形態において、プロセッサ１６０１は、図２から図４および図７の任意の第３のネットワーク内のモビリティ管理ネットワーク要素の他の動作または機能を行うように構成される。受信器１６０３１は、第３のネットワーク内のモビリティ管理ネットワーク要素と、第１のネットワーク内のモビリティ管理ネットワーク要素／第２のネットワーク内のモバイル交換ネットワーク要素との間の通信を実施するように構成される。
【０４１０】
他の実施形態において、プロセッサ１６０１は、図２から図４および図７の任意の第２のネットワーク内のモバイル交換ネットワーク要素の他の動作または機能を行うように構成される。受信器１６０３１は、第２のネットワーク内のモバイル交換ネットワーク要素と、第１のネットワーク内のモビリティ管理ネットワーク要素、第３のネットワーク内のモビリティ管理ネットワーク要素、および第２のネットワーク内の基地局コントローラとの間の通信を実施するように構成される。
【０４１１】
本出願の実施形態は、命令を含んだ、コンピュータ可読記憶媒体をさらにもたらす。コンピュータ上で命令が稼働されるとき、コンピュータは前述の方法を行うことが可能になる。
【０４１２】
本出願の実施形態は、命令を含んだ、コンピュータプログラム製品をさらにもたらす。コンピュータ上でコンピュータプログラム製品が稼働されるとき、コンピュータは前述の方法を行うことが可能になる。
【０４１３】
本出願においてもたらされる実施形態は、本出願の中心となる概念から逸脱せずに、１つまたは複数の実施形態に分割され得る。実施形態は、互いに組み合わされてよく、互いから習得され得る。これは本出願の実施形態において限定されない。
【０４１４】
本明細書、「特許請求の範囲」、および本出願の実施形態の添付の図面において、「第１の」、「第２の」、「第３の」、「第４の」などの用語は、同様な対象物を区別するためのものであるが、特定の順序またはシーケンスを示さない。このような形で用いられるデータは、本明細書で述べられる実施形態が本明細書で示されまたは述べられる順序以外の他の順序で実施されることができるように、適切な状況において置き換え可能であることが理解されるべきである。加えて、「含む（ｉｎｃｌｕｄｅ）」、「有する（ｈａｖｅ）」、および他の変形は、非排他的包含を包括することを意味し、例えば、ステップまたはユニットのリストを含む処理、方法、システム、製品、またはデバイスは、明示的に列挙されたステップまたはユニットに必ずしも限定されず、明示的に列挙されないまたはこのような処理、方法、製品、またはデバイスに固有でない他のステップまたはユニットを含み得る。
【０４１５】
前述の実施形態のすべてまたはいくつかは、ソフトウェア、ハードウェア、ファームウェア、またはそれらの任意の組み合わせを用いることによって実施され得る。実施形態を実施するためにソフトウェアプログラムが用いられるとき、実施形態のすべてまたはいくつかは、コンピュータプログラム製品の形で実施され得る。コンピュータプログラム製品は、１つまたは複数コンピュータ命令を含む。コンピュータプログラム命令がロードされコンピュータ上で実行されるとき、本出願の実施形態による手順または機能が、すべてまたは部分的に生成される。コンピュータは、汎用コンピュータ、専用コンピュータ、コンピュータネットワーク、または他のプログラマブル装置でよい。コンピュータ命令は、コンピュータ可読記憶媒体に記憶されてよく、またはコンピュータ可読記憶媒体から他のコンピュータ可読記憶媒体に送信され得る。例えば、コンピュータ命令は、ウェブサイト、コンピュータ、サーバ、またはデータセンタから、他のウェブサイト、コンピュータ、サーバ、またはデータセンタに、有線（例えば、同軸ケーブル、光ファイバ、またはデジタル加入者線（ｄｉｇｉｔａｌ  ｓｕｂｓｃｒｉｂｅｒ  ｌｉｎｅ、略してＤＳＬ））、またはワイヤレス（例えば、赤外線、無線、またはマイクロ波）の方式で送信され得る。コンピュータ可読記憶媒体は、コンピュータによってアクセスされることができる任意の使用可能な媒体でよく、または１つまたは複数の使用可能な媒体を統合したサーバまたはデータセンタなどのデータ記憶デバイスでよい。使用可能な媒体は、磁気媒体（例えば、フロッピーディスク、ハードディスク、または磁気テープ）、光媒体（例えば、ＤＶＤ）、半導体媒体（例えば、ソリッドステートディスク（ｓｏｌｉｄ  ｓｔａｔｅ  ｄｉｓｋ、略してＳＳＤ））などでよい。
【０４１６】
実施形態を参照して本出願が述べられたが、保護を請求する本出願を実施するプロセスにおいて、当業者は、添付の図面、開示された内容、および添付の「特許請求の範囲」を考察することによって、開示された実施形態の他の変形を理解し、実施し得る。「特許請求の範囲」において、「備える（ｃｏｍｐｒｉｓｉｎｇ）」は、他の構成要素または他のステップを除外せず、および「ａ」または「１つ（ｏｎｅ）」は、複数の意味を除外しない。単一のプロセッサまたは他のユニットは、「特許請求の範囲」に挙げられたいくつかの機能を実施し得る。いくつかの方策は、互いに異なる従属請求項で述べられるが、これは、より良好な効果を生じるようにこれらの方策が組み合わされることができないことを意味しない。
【０４１７】
特定の特徴およびそれらの実施形態を参照して本出願が述べられたが、本出願の精神および範囲から逸脱せずに、それらに対して様々な修正および組み合わせが行われ得ることが明らかである。それに対応して、本明細書および添付の図面は、添付の「特許請求の範囲」によって定義される本出願の説明のための単なる例であり、本出願の範囲を包括する修正、変形、組み合わせ、または等価物のいずれかまたはすべてと見なされる。明らかに、当業者は、本出願の精神および範囲から逸脱せずに、本出願に対して様々な修正および変形を行うことができる。本出願は、本出願のこれらの修正および変形を、それらが以下の「特許請求の範囲」およびそれらの等価な技術の範囲に含まれることを条件として、包括するものである。
【図１】
2021517790.tif 000003
【図２】
2021517790.tif 000004
【図３】
2021517790.tif 000005
【図４】
2021517790.tif 000006
【図５】
2021517790.tif 000007
【図６】
2021517790.tif 000008
【図７】
2021517790.tif 000009
【図８】
2021517790.tif 000010
【図９】
2021517790.tif 000011
【図１０】
2021517790.tif 000012
【図１１】
2021517790.tif 000013
【図１２】
2021517790.tif 000014
【図１３】
2021517790.tif 000015
【図１４】
2021517790.tif 000016
【図１５】
2021517790.tif 000017
【図１６】
2021517790.tif 000018
【手続補正書】
【提出日】令和2年11月6日(2020.11.6)
【手続補正１】
【補正対象書類名】特許請求の範囲
【補正対象項目名】全文
【補正方法】変更
【補正の内容】
【特許請求の範囲】
【請求項１】
ボイスサービスのネットワークハンドオーバ方法であって、
第１のネットワーク内のモビリティ管理ネットワーク要素によって、前記第１のネットワーク内のアクセスネットワークデバイスから第１の情報を受信するステップであって、前記第１の情報は、前記第１のネットワークから第２のネットワークへの端末デバイスのハンドオーバを示すのに使われる、ステップと、
前記第１のネットワーク内の前記モビリティ管理ネットワーク要素によって、前記第１の情報に基づいて、第３のネットワーク内のモビリティ管理ネットワーク要素へ第２の情報を送信するステップであって、前記第２の情報は、前記第３のネットワーク内の前記モビリティ管理ネットワーク要素に、前記第２のネットワーク内のモバイル交換ネットワーク要素へハンドオーバ要求を送信するよう命令するのに使われ、前記ハンドオーバ要求は、前記端末デバイスのボイスサービスを前記第２のネットワークにハンドオーバするのに使われる、ステップと
を含む方法。
【請求項２】
前記方法は、
前記第１のネットワーク内の前記モビリティ管理ネットワーク要素によって、前記第３のネットワーク内の前記モビリティ管理ネットワーク要素へ、前記端末デバイスについての情報を送信するステップであって、前記端末デバイスについての前記情報は、前記端末デバイスの前記ボイスサービスを前記第２のネットワークにハンドオーバするのに使われる加入情報を含む、ステップをさらに含む請求項１に記載の方法。
【請求項３】
前記加入情報は、相関移動局統合サービスデジタルネットワーク（Ｃ−ＭＳＩＳＤＮ）と、単一無線ボイスコール連続性（ＳＲＶＣＣ）のためのセッション転送番号（ＳＴＮ−ＳＲ）とを含む請求項２に記載の方法。
【請求項４】
前記第１の情報は、前記第１のネットワークから前記第２のネットワークへのボイスハンドオーバの第１の識別子および／または前記第２のネットワークのターゲット識別子を含み、
前記第２の情報は、前記第１のネットワークから前記第２のネットワークへのボイスハンドオーバの第２の識別子および／または前記第２のネットワークの前記ターゲット識別子を含む請求項１乃至３のいずれか一項に記載の方法。
【請求項５】
前記第１のネットワークから前記第２のネットワークへのボイスハンドオーバの前記第１の識別子は、ＳＲＶＣＣハンドオーバインジケーションであり、前記第１のネットワークから前記第２のネットワークへの、前記端末デバイスの前記ボイスサービスの前記ハンドオーバを示すのに使われる請求項４に記載の方法。
【請求項６】
前記第１のネットワークから前記第２のネットワークへのボイスハンドオーバの前記第２の識別子は、ＳＲＶＣＣハンドオーバインジケーションであり、前記第１のネットワークから前記第２のネットワークへの、前記端末デバイスの前記ボイスサービスの前記ハンドオーバを示すのに使われる請求項４又は５に記載の方法。
【請求項７】
前記第２のネットワークの前記ターゲット識別子は、ターゲット無線ネットワークコントローラ（ＲＮＣ）識別子を含む請求項４乃至６のいずれか一項に記載の方法。
【請求項８】
前記方法は、
前記第１のネットワーク内の前記モビリティ管理ネットワーク要素によって、前記第１のネットワークから前記第２のネットワークへの、前記端末デバイスの前記ハンドオーバが完了されたと判定した後、前記第１のネットワーク内のセッション管理ネットワーク要素へセッション消去要求を送信するステップであって、前記セッション消去要求は、前記第１のネットワーク内の前記セッション管理ネットワーク要素に、前記端末デバイスの前記第１のネットワーク内のセッション管理コンテキスト情報を消去するよう要求するのに使われ、ステップをさらに含む請求項１乃至７のいずれか一項に記載の方法。
【請求項９】
前記第１のネットワーク内の前記モビリティ管理ネットワーク要素によって、前記第１のネットワーク内の前記モビリティ管理ネットワーク要素と前記第３のネットワーク内の前記モビリティ管理ネットワーク要素との間に相互動作インタフェースが存在すると判定するステップをさらに含む請求項１乃至８のいずれか一項に記載の方法。
【請求項１０】
前記方法は、前記第１のネットワーク内の前記モビリティ管理ネットワーク要素によって、前記第１の情報に基づいて、前記第１のネットワーク内のセッション管理ネットワーク要素から、前記端末デバイスの前記第３のネットワーク内のセッション管理コンテキスト情報を取得する動作をスキップするステップをさらに含む請求項１乃至９のいずれか一項に記載の方法。
【請求項１１】
前記第１のネットワークは第５世代（５Ｇ）ネットワークであり、前記第２のネットワークは第３世代（３Ｇ）ネットワークであり、前記第３のネットワークは発展型パケットシステム（ＥＰＳ）ネットワークである請求項１乃至１０のいずれか一項に記載の方法。
【請求項１２】
前記第１のネットワーク内の前記モビリティ管理ネットワーク要素はアクセスおよびモビリティ管理機能（ＡＭＦ）ネットワーク要素であり、前記第２のネットワーク内の前記モバイル交換ネットワーク要素は移動交換センタ（ＭＳＣ）ネットワーク要素であり、前記第３のネットワーク内の前記モビリティ管理ネットワーク要素はモビリティ管理エンティティ（ＭＭＥ）ネットワーク要素である請求項１乃至１１のいずれか一項に記載の方法。
【請求項１３】
ボイスサービスのネットワークハンドオーバ方法であって、
第３のネットワーク内のモビリティ管理ネットワーク要素によって、第１のネットワーク内のモビリティ管理ネットワーク要素から第２の情報を受信するステップであって、前記第２の情報は、前記第１のネットワークから第２のネットワークへの端末デバイスのハンドオーバを示すのに使われる、ステップと、
前記第３のネットワーク内の前記モビリティ管理ネットワーク要素によって、前記第２の情報に基づいて、前記第２のネットワーク内のモバイル交換ネットワーク要素へハンドオーバ要求を送信するステップであって、前記ハンドオーバ要求は、前記端末デバイスのボイスサービスを前記第２のネットワークにハンドオーバするのに使われる、ステップと
を含む方法。
【請求項１４】
前記第３のネットワーク内の前記モビリティ管理ネットワーク要素によって、前記第１のネットワーク内の前記モビリティ管理ネットワーク要素から、前記端末デバイスについての情報を受信するステップであって、前記端末デバイスについての前記情報は、前記端末デバイスの前記ボイスサービスを前記第２のネットワークにハンドオーバするのに使われる加入情報を含む、ステップと、
前記第３のネットワーク内の前記モビリティ管理ネットワーク要素によって、前記第２のネットワーク内の前記モバイル交換ネットワーク要素へ前記端末デバイスについての前記情報を送信するステップと
をさらに含む請求項１３に記載の方法。
【請求項１５】
前記加入情報は、相関移動局統合サービスデジタルネットワーク（Ｃ−ＭＳＩＳＤＮ）と、ＳＲＶＣＣのためのセッション転送番号（ＳＴＮ−ＳＲ）とを含む、請求項１４に記載の方法。
【請求項１６】
前記第２の情報は、前記第１のネットワークから前記第２のネットワークへのボイスハンドオーバの識別子および／または前記第２のネットワークのターゲット識別子を含む請求項１３乃至１５のいずれか一項に記載の方法。
【請求項１７】
前記第１のネットワークから前記第２のネットワークへのボイスハンドオーバの前記第１の識別子は、ＳＲＶＣＣハンドオーバインジケーションであり、前記第１のネットワークから前記第２のネットワークへの、前記端末デバイスの前記ボイスサービスの前記ハンドオーバを示すのに使われる請求項１６に記載の方法。
【請求項１８】
前記第１のネットワークから前記第２のネットワークへのボイスハンドオーバの前記第２の識別子は、ＳＲＶＣＣハンドオーバインジケーションであり、前記第１のネットワークから前記第２のネットワークへの、前記端末デバイスの前記ボイスサービスの前記ハンドオーバを示すのに使われる請求項１６又は１７に記載の方法。
【請求項１９】
前記第２のネットワークの前記ターゲット識別子は、ターゲット無線ネットワークコントローラ（ＲＮＣ）識別子を含む請求項１６乃至１８のいずれか一項に記載の方法。
【請求項２０】
前記第１のネットワークは第５世代（５Ｇ）ネットワークであり、前記第２のネットワークは第３世代（３Ｇ）ネットワークであり、前記第３のネットワークは発展型パケットシステム（ＥＰＳ）ネットワークである請求項１３乃至１９のいずれか一項に記載の方法。
【請求項２１】
前記第１のネットワーク内の前記モビリティ管理ネットワーク要素はアクセスおよびモビリティ管理機能（ＡＭＦ）ネットワーク要素であり、前記第２のネットワーク内の前記モバイル交換ネットワーク要素は移動交換センタ（ＭＳＣ）ネットワーク要素であり、前記第３のネットワーク内の前記モビリティ管理ネットワーク要素はモビリティ管理エンティティ（ＭＭＥ）ネットワーク要素である請求項１３乃至２０のいずれか一項に記載の方法。
【請求項２２】
少なくとも１つのプロセッサと、コンピュータ命令を記憶するメモリとを備える装置であって、前記命令は、前記少なくとも１つのプロセッサによって実行されたとき、前記装置に、請求項１乃至１２のいずれか一項に記載の方法を実施させる装置。
【請求項２３】
少なくとも１つのプロセッサと、コンピュータ命令を記憶するメモリとを備える装置であって、前記命令は、前記少なくとも１つのプロセッサによって実行されたとき、前記装置に、請求項１３乃至２１のいずれか一項に記載の方法を実施させる装置。
【請求項２４】
コンピュータ命令を備えるコンピュータ可読記憶媒体であって、前記コンピュータ命令が端末デバイス上で稼働されたとき、前記端末デバイスは請求項１乃至２１のいずれか一項に記載のネットワークハンドオーバ方法を実施することを可能にされるコンピュータ可読記憶媒体。
【手続補正２】
【補正対象書類名】明細書
【補正対象項目名】０００２
【補正方法】変更
【補正の内容】
【０００２】
本出願は、参照によってその全体が本明細書に組み込まれている、２０１８年４月９日に中国国家知識産権局に出願され、「ＮＥＴＷＯＲＫ  ＨＡＮＤＯＶＥＲ  ＭＥＴＨＯＤ  ＡＮＤ  ＡＰＰＡＲＡＴＵＳ  ＯＦ  ＶＯＩＣＥ  ＳＥＲＶＩＣＥ」と題する中国特許出願第２０１８１０３１２５９５．２号に対する優先権を主張する。
【手続補正３】
【補正対象書類名】明細書
【補正対象項目名】００６９
【補正方法】変更
【補正の内容】
【００６９】
可能な設計では、第２のネットワークから第１のネットワークへの端末デバイスの復帰がサポートされることは、第２のネットワークのボイスサービスが終わった後の、第２のネットワークから第１のネットワークへの端末デバイスの復帰がサポートされることを含む。
【手続補正４】
【補正対象書類名】明細書
【補正対象項目名】００７７
【補正方法】変更
【補正の内容】
【００７７】
可能な設計では、第２のネットワークから第１のネットワークへの端末デバイスの復帰がサポートされることは、第２のネットワークのボイスサービスが終わった後の、第２のネットワークから第１のネットワークへの端末デバイスの復帰がサポートされることを含む。
【手続補正５】
【補正対象書類名】明細書
【補正対象項目名】００８５
【補正方法】変更
【補正の内容】
【００８５】
可能な設計では、第２のネットワークから第１のネットワークへの端末デバイスの復帰がサポートされないことは、端末デバイス、第１のネットワーク内のデバイス、第２のネットワーク内のデバイス、および第３のネットワーク内のデバイスのうちの少なくとも１つまたは複数が、第２のネットワークから第１のネットワークへの端末デバイスの復帰をサポートしないことを含む。
【手続補正６】
【補正対象書類名】明細書
【補正対象項目名】００８６
【補正方法】変更
【補正の内容】
【００８６】
可能な設計では、第２のネットワークから第１のネットワークへの端末デバイスの復帰がサポートされないことは、第２のネットワークのボイスサービスが終わった後の、第２のネットワークから第１のネットワークへの端末デバイスの復帰がサポートされないことを含む。
【手続補正７】
【補正対象書類名】明細書
【補正対象項目名】０３９０
【補正方法】変更
【補正の内容】
【０３９０】
任意選択で、装置は、第１のネットワークから第２のネットワークへの端末デバイスの非ボイスサービスのハンドオーバがサポートされないことを判定する、または第２のネットワークから第１のネットワークへの端末デバイスの復帰がサポートされないことを判定するように構成された、判定ユニットをさらに含む。
【国際調査報告】
2021517790.tif 000019
2021517790.tif 000020
2021517790.tif 000021
2021517790.tif 000022